(57)【特許請求の範囲】
【請求項１】
コーヒー調製器具及び第一のコーヒー豆包装カートリッジを有するコーヒー飲料装置であって、ここで前記第一のコーヒー豆包装カートリッジは前記コーヒー調製器具に取外し可能に接続され、前記第一のコーヒー豆包装カートリッジはコーヒー豆を保持しかつ供給するようにされていて、前記第一のコーヒー豆包装カートリッジは、
コーヒー豆を保持する内部容積とコーヒー豆出口を画定する少なくとも１つの流出孔とを有する容器、
前記内部容積から前記第一のコーヒー豆包装カートリッジの流出孔に向けて前記コーヒー豆を移送できるようにされた移送手段、を有し、
ここで、前記コーヒー調製器具は、前記移送手段により前記流出孔に向けて移送されるコーヒー豆を受けとるための流入孔を有し、前記流入孔を介して前記コーヒー器具に入ったコーヒー豆を粉砕するためのグラインダー、及び前記グラインダーによって得られた挽いたコーヒーに基づいてコーヒーを調製するための調製デバイスを有し、ここで、前記装置は、更に、前記移送手段により移送されるコーヒー豆を受け入れるための計量室を備えていて、ここで、前記計量室は前記グラインダーの一部を形成する基部部分を有し、前記基部部分は前記コーヒー調製器具内で垂直方向に延在する第一軸の周りを回転するようにされていて、ここで、前記装置は、前記グラインダーを作動したときに、コーヒー豆を前記計量室から前記グラインダーに移送させ、そしてコーヒー豆を粉砕するために前記基部部分が前記垂直軸の周りを回転するようにされているものであって、前記装置は前記第一のコーヒー豆包装カートリッジから前記グラインダーへ所定の注入分のコーヒー豆を用意しかつ供給する第一注入デバイスを有し、前記第一のコーヒー豆包装カートリッジが前記コーヒー調製器具に接続される又は接続されているときに、前記第一注入デバイスは少なくともその一部が前記コーヒー調製器具によって形成され、かつ前記装置の前記計量室を有するであって、前記装置が更に第二のコーヒー豆包装カートリッジを備えられ、前記第二のコーヒー豆包装カートリッジはコーヒー豆を保持しかつ供給し、並びに好ましくは前記コーヒー調製器具に取り外し可能にも接続されるようにされ、前記第二のコーヒー豆包装カートリッジは前記調製器具及び前記第一のコーヒー豆包装カートリッジの前記第一注入デバイスとは別の第二注入デバイスを有し、前記第二のコーヒー豆包装カートリッジが前記コーヒー調製器具に接続されると、前記第一注入デバイスとは無関係に好ましくは１注入分のコーヒー豆を用意し及び／又は１注入分のコーヒー豆を前記コーヒー調製器具の流入孔に供給することを特徴とする装置。
【請求項２】
前記基部部分は、前記基部部分が前記第一垂直軸に直角で、かつ前記第一垂直軸から離れて延在する方向へ下方に延在するような円錐形を有している、請求項１に記載の装置。
【請求項３】
前記計量室は、前記第一のコーヒー豆包装カートリッジの部分である第一室部分と、前記コーヒー調製器具の部分である第二室部分とに分割され、ここで、前記第二室部分は前記グラインダーの一部を形成する前記基部部分を有し、前記基部部分は垂直方向に延在する第一軸の周りを回転するため前記コーヒー調製器具内に配置される、請求項１又は２に記載の装置。
【請求項４】
前記第一室部分は前記流出孔を有し、かつ、前記第二室部分は前記流入孔を有し、ここで、好ましくは、前記第一室部分は前記第二室部分の上に設置され、ここで、前記流出孔は前記流入孔の上に延在する、請求項３に記載の装置。
【請求項５】
前記装置は、前記計量室がコーヒー豆を受けた後に、コーヒー豆の一部を保持し、及び／又は計量室が、８０〜１６０ｍｌのコーヒーからなる１杯のコーヒーのような一人前のコーヒー飲料を作るために好ましくは必要な注入量のコーヒー豆に相当するコーヒー豆の一部を受けるように構成された、請求項１ないし４のうちのいずれか１項に記載の装置。
【請求項６】
前記移送手段が、前記移送手段を駆動したときに、コーヒー豆を前記計量室に向けて、そして前記計量室の中へ移送するために、前記計量室に対して可動である一部分を有する、請求項１ないし５のうちのいずれか１項に記載の装置。
【請求項７】
前記コーヒー調製器具は第一モーターと垂直に延在する駆動軸を備え、ここで、前記駆動軸は駆動するために前記第一のコーヒー豆包装カートリッジの前記移送手段に取外し可能に接続され、それにより、前記モーターにより前記駆動軸が回転したとき、前記移送手段を動かす、請求項６に記載の装置。
【請求項８】
前記可動である部分が、前記移送手段を駆動したとき第二垂直軸の周りを回転する、基部及び／又は複数の羽根を有する、請求項６又は７に記載の装置。
【請求項９】
前記移送手段は、前記コーヒー豆を重力の影響下で前記計量室に向けて移送するための前記容器のじょうご状の下方に延在する底部壁を有する、請求項１ないし８のうちのいずれか１項に記載の装置。
【請求項１０】
前記移送手段は前記容器の前記じょうご状、及び、前記計量室に対して可動な前記部分を有する、請求項６又は９に記載の装置。
【請求項１１】
前記移送手段は、前記コーヒー豆を重力の影響下で前記計量室に向けて移送するための下方に延在する底部壁を有する、請求項１ないし５のうちのいずれか１項に記載の装置。
【請求項１２】
前記第一室部分は前記計量室の容積を上方垂直方向で限定する上端壁を備え、ここで、前記第二室部分の基部部分は前記計量室の容積を下方垂直方向で限定する、請求項３、又は請求項３の従属項となるときの請求項４ないし１１のうちのいずれか１項に記載の装置。
【請求項１３】
前記第一室部分及び前記第二室部分はそれぞれ前記計量室の容積を制限する少なくとも１つの直立した側壁を備えている、請求項３、又は請求項３の従属項となるときの請求項４ないし１１のうちのいずれか１項に記載の装置。
【請求項１４】
前記第一室部分は、前記移送手段によって前記コーヒー豆を前記計量室に入れるための流入開口を有する直立した側壁を備えている、請求項３、又は請求項３の従属項となるときの請求項４ないし１１のうちのいずれか１項に記載の装置。
【請求項１５】
前記移送手段は、前記コーヒー豆を前記計量室に移送するために前記コーヒー豆を少なくとも水平方向へ移送するようにされた、請求項１ないし１４のうちのいずれか１項に記載の装置。
【請求項１６】
前記第一のコーヒー豆包装カートリッジは、前記第一のコーヒー豆包装カートリッジが前記コーヒー調製器具に接続されていないときに、前記コーヒー豆出口を閉じるための閉じ手段を有する、請求項１ないし１５のいずれか１項に記載の装置。
【請求項１７】
前記閉じ手段は、前記第一のコーヒー豆包装カートリッジが前記コーヒー調製器具に接続されるときに、前記コーヒー豆出口を開くように構成されている、請求項１６に記載の装置。
【請求項１８】
前記グラインダーは前記計量室に対して中心に配置される、請求項１ないし１７のうちのいずれか１項に記載の装置。
【請求項１９】
前記グラインダーは第二室部分に対して中心に配置される、請求項３または請求項３の従属項である時の請求項４ないし１８のうちのいずれか１項に記載の装置。
【請求項２０】
前記コーヒー調製器具は、制御デバイスを備えている、請求項１ないし１９のいずれか１項に記載の装置。
【請求項２１】
前記制御デバイスは、前記第一モーター及び／又は前記グラインダーを制御するように構成される、請求項７又は２０に記載の装置。
【請求項２２】
使用中、第一工程で、前記計量室をコーヒー豆で充填するために前記移送手段が駆動され、そして、前記第一工程の完了後に続く第二工程で、前記粉砕デバイスが作動されて前記計量室を空にし、そして前記第一工程の期間に前記計量室内に集められたコーヒー豆を粉砕するように、前記制御デバイスが構成されている、請求項２１に記載の装置。
【請求項２３】
使用中、前記第一工程で、前記移送手段は前記計量室をコーヒー豆で充填するのに必要とされるよりも長い時間駆動され、及び／又は、前記第二工程で、前記粉砕デバイスは、前記計量室を空にし又は少なくとも実質的に完全に空にし、かつ前記第一工程の期間に前記計量室に集められたすべてのコーヒー豆を粉砕するのに必要とされるよりも長い時間作動されるように、前記制御デバイスが構成されている、請求項２２に記載の装置。
【請求項２４】
前記第一工程で、前記移送手段は、前記計量室をコーヒー豆で完全に充填する又は少なくともほぼ完全に充填するのに必要とされるよりも長い時間駆動される、請求項２３に記載の装置。
【請求項２５】
前記計量室の容積は、それが前記第一工程で、コーヒー豆で充填されると、豆の量は、１杯のコーヒーを作るための１注入分のコーヒー豆に相当する、請求項２３又は２４に記載の装置。
【請求項２６】
前記制御デバイスが前記調製デバイスを制御するように前記コーヒー調製器具が構成され、ここで、使用中、前記第二工程の完了に続く第三工程で、前記調製デバイスが前記挽いたコーヒー及び前記コーヒー調製器具の加熱素子によって加熱された温水に基づいてコーヒーを調製するように前記制御デバイスが構成されている、請求項２２ないし２５のいずれか１項に記載の装置。
【請求項２７】
前記第二注入デバイスは、１杯のコーヒー飲料の量を作るのを意図した１杯のコーヒー豆の量になる所定の注入量のコーヒー豆を保持しかつ供給するようにされている、請求項１ないし２６のいずれか１項に記載の装置。
【請求項２８】
前記第二のコーヒー豆包装カートリッジの前記第二注入デバイスは、内部容積とコーヒー豆出口を画定する少なくとも１つの流出孔を有するハウジングを有し、前記内部容積は所定の注入分のコーヒー豆を保持するようにされ、ここで、前記コーヒー豆出口は、前記第二のコーヒー豆包装カートリッジが前記コーヒー調製器具に接続されたときに、前記コーヒー調製器具の流入孔と連通するように配置することができる、請求項２７に記載の装置。
【請求項２９】
前記コーヒー調製器具は、前記第一のコーヒー豆包装カートリッジ及び前記第二のコーヒー豆包装カートリッジに取り外し可能に接続するための接続手段を有し、前記接続手段は前記コーヒー調製器具の上側にある凹部を有し、前記凹部は側壁によって囲まれていて、かつ前記第一のコーヒー豆包装カートリッジ及び前記第二のコーヒー豆包装カートリッジの下側からそれぞれ突出する対応する部分を受け入れるために構成されている、請求項１ないし２８のいずれか１項に記載の装置。
【請求項３０】
前記側壁は前記コーヒー調製器具の前記上側から突出している、請求項２９に記載の装置。
【請求項３１】
前記側壁は前記各コーヒー豆包装カートリッジの差込み素子を受け入れる開口を有している、請求項２９又は３０に記載の装置。
【請求項３２】
前記第一のコーヒー豆包装カートリッジ及び前記第二のコーヒー豆包装カートリッジは前記差込み素子を有している、請求項３１に記載の装置。
【請求項３３】
前記第二のコーヒー豆包装カートリッジは、前記第二のコーヒー豆包装カートリッジが前記コーヒー調製器具に接続されていないときに、前記コーヒー豆出口を閉じるための閉じ手段を有する、請求項２８又は請求項２８の従属項であるときの請求項２９ないし３２のいずれか１項に記載の装置。
【請求項３４】
更に、前記各コーヒー豆包装カートリッジが前記コーヒー調製器具に接続されているかを検出するように構成されているセンサーを有する、請求項１ないし３３のいずれか１項に記載の装置。
【請求項３５】
前記センサーはスイッチである、請求項３４に記載の装置。
【請求項３６】
請求項１ないし３５のいずれか１項に記載の前記コーヒー調製器具と請求項１ないし３５のいずれか１項に記載の前記第二のコーヒー豆包装カートリッジとを有する装置。
【請求項３７】
前記グラインダーを作動したとき、前記基部部分は前記第一垂直軸の周りを回転して注入分のコーヒー豆を前記計量室から前記グラインダーへ移送し、そして、前記コーヒー豆を粉砕するように、前記装置が構成されている、請求項１ないし３６のいずれか１項に記載の装置。
【請求項３８】
前記装置は、使用中に前記粉砕デバイスは前記計量室を空にし、前記計量室に集められた前記コーヒー豆を粉砕するように構成された、請求項１ないし３７のいずれかに１項に記載の装置。
【請求項３９】
前記装置は、使用中、前記粉砕デバイスが前記計量室を空にし又は少なくとも実質的に完全に空にし、そして、前記計量室に集められたすべての前記コーヒー豆を粉砕するのに必要とされる時間よりも長い時間作動されるように構成されている、請求項３８に記載の装置。
【請求項４０】
前記計量室を前記空にし、かつ、前記コーヒー豆を粉砕する前に、第一工程で、前記移送手段を駆動して前記計量室をコーヒー豆で充填する、請求項３８又は３９に記載の装置。
【請求項４１】
前記移送手段は前記計量室をコーヒー豆で完全に充填し又は少なくとも実質的に完全に充填するのに必要とされる時間よりも長い時間駆動される、請求項４０に記載の装置。
【請求項４２】
前記コーヒー調製器具は、前記コーヒー調製器具の前記流入孔を開き及び／又は閉じるように構成された閉じ手段を有し、前記閉じ手段は、好ましくは前記コーヒー調製器具及び／又は前記カートリッジの前記コーヒー調製器具への（からの）接続（接続を切る）をすることによって制御できるように構成される、請求項１ないし４１のいずれか１項に記載の装置。
【請求項４３】
前記第二のコーヒー豆包装カートリッジはコーヒー豆を保持しかつ供給するように構成され、前記第二のコーヒー豆包装カートリッジは１注入分のコーヒー豆を供給する第二注入デバイスを有している、請求項１ないし４２のいずれか１項に記載の装置と共に使用するための第二のコーヒー豆包装カートリッジ。
【請求項４４】
前記第二のコーヒー豆包装カートリッジの前記第二注入デバイスは、内部容積とコーヒー豆出口を画定する少なくとも１つの流出孔を有するハウジングを有し、前記内部容積は所定の注入分のコーヒー豆を保持するようにされ、ここで、好ましくは前記コーヒー豆出口は、前記第二のコーヒー豆包装カートリッジがコーヒー調製器具に接続されたときに、前記コーヒー調製器具の流入孔と連通するように配置することができる、請求項４３に記載の第二のコーヒー豆包装カートリッジ。
【請求項４５】
前記第二のコーヒー豆包装カートリッジは、コーヒー調製器具の駆動軸を受けるための凹部を前記ハウジング内に設けられた、請求項４４に記載の第二のコーヒー豆包装カートリッジ。
【請求項４６】
前記第二注入デバイスは所定の注入量のコーヒー豆を保持するホッパーを有し、前記ホッパーは出口を有し、前記第二のコーヒー豆包装カートリッジがコーヒー調製器具に接続されると、前記ホッパーの出口は前記コーヒー調製器具の前記流入孔と整合され、ここで、前記移送手段は閉じ板を有し、前記閉じ板は第一の位置では少なくともかなりの範囲で、好ましくは全体に前記出口を閉じ、これにより前記流入孔に向かうコーヒー豆の通過を妨げ、そして、第二の位置では前記出口を塞がないか、ほとんど塞がず、そして、そこで前記移送手段が、更に前記第一の位置から前記第二の位置へ、又はその逆も同様に、前記閉じ板を作動する手動動作の作動手段を含んでいる、請求項４３に記載の第二のコーヒー豆包装カートリッジ。
【請求項４７】
前記第二のコーヒー豆包装カートリッジは、所定の注入分のコーヒー豆を保持するじょうご状ホルダーと前記ホルダーからコーヒー豆を放出する出口を有し、前記出口は前記じょうご状ホルダーの上端に配置され、前記第二のコーヒー豆包装カートリッジがコーヒー調製器具に接続されたときに、それの前記流入孔と整合され、ここで、前記移送手段はらせん状コンベヤー手段で、使用中に回転可能に作動されて所定の注入分のコーヒー豆を前記じょうご状ホルダーから前記出口に向かって進める、請求項４３に記載の第二のコーヒー豆包装カートリッジ。
【請求項４８】
飲料を調製する方法であって、
前記第一のコーヒー豆包装カートリッジを前記コーヒー調製器具に接続し、
前記モーター手段と共に前記垂直に延在する駆動軸を回転し、これにより前記第一のコーヒー豆包装カートリッジの前記移送手段を駆動しかつ動かして、１注入分の前記コーヒー豆を用意し、そして前記第一のコーヒー豆包装カートリッジの前記流出孔に向けて移送し、
前記コーヒー調製器具内にそれの前記流入孔を通って入るコーヒー豆を粉砕して挽いたコーヒーを作り、
挽いたコーヒーに基づいてコーヒーを調製し、
前記第二のコーヒー豆包装カートリッジを前記コーヒー調製器具に接続し、
前記第二のコーヒー豆包装カートリッジの前記第二注入デバイスを作動して、１注入分のコーヒー豆を用意し、そして、それを前記コーヒー調製器具とは独立に前記第二のコーヒー豆包装カートリッジの前記流出孔に向けて移送し、
前記コーヒー調製器具内にそれの前記流入孔を通って入るコーヒー豆を粉砕して挽いたコーヒーを作り、
挽いたコーヒーに基づいてコーヒーを調製する、請求項１ないし４２のいずれか１項に記載のコーヒー飲料装置によって飲料を作る方法。
【請求項４９】
前記第二のコーヒー豆包装カートリッジを前記コーヒー調製器具に接続する工程の前に、１注入分のコーヒー豆を用意し、そして、それを前記第二のコーヒー豆包装カートリッジの前記流出孔に向けて移送するために前記第二のコーヒー豆カートリッジの前記第二注入デバイスを作動する工程を実行する、請求項４８に記載の方法。
【請求項５０】
前記第二注入デバイスは手動で作動される、請求項４８又は４９に記載の方法。
【発明の詳細な説明】
【技術分野】
【０００１】
本発明は、特許請求の範囲の請求項１の前文に記載のコーヒー飲料装置に関する。そのような既知の装置で、包装カートリッジ内の焙煎したコーヒー豆を、粉砕メカニズムを有するコーヒー調製器具に接続させることができる。
【発明の概要】
【発明が解決しようとする課題】
【０００２】
上記した問題を考慮して、本発明は、いろいろな方法でコーヒー飲料を調製する装置に関し、消費者の特別な好み（特に、濃度）に従って飲料を調製することを可能とする。さらに、本発明の目的は、上記した種類のコーヒー飲料の調製をする、更にコムパクトとなるであろう装置を提案するものである。更に一般的な意味で、そのため、本発明の目的は、先行技術の欠点の少なくとも１つを克服し、又は改善することである。また、本発明の目的は、組み立て及び操作の煩わしさを減らすことができ、かつその上、比較的安価に作ることができる選択的な構造物を提供することでもある。更に、本発明の目的はコーヒー豆を保持しかつ供給するデバイスを有する改良した装置を提供するもので、これはコーヒー豆の供給を制御することができるものである。もう１つの方法として、本発明の目的は、コーヒー豆を保持しかつ供給するコーヒー豆供給デバイスを得るのに実用的な選択を大衆に少なくとも提供することである。
【課題を解決するための手段】
【０００３】
別に記載の無い限り、明細書及び特許請求の範囲の請求項において、コーヒー豆は、焼いた／焙煎のコーヒー豆であることと理解されたい。明細書及び請求項でのコーヒー豆は、砕いたコーヒー豆、即ちコーヒー豆砕片をも含み、そのコーヒー豆砕片は所望のコーヒー飲料を抽出するために、さらに挽かれるものと理解されたい。コーヒー豆は、それらが包装される前に、例えば砕かれる。一実施例において、コーヒー豆包装内のコーヒー豆の少なくとも一部分は約３０以下に、特に約１５以下に、更に特別には約１０以下の砕片に分けられる。１つのコーヒー豆砕片は、その結果、例えば１つのコーヒー豆の３０分の１、特に１５分の１、更に特別には１０分の１以上からなる。例えば、コーヒー豆砕片は１つのコーヒー豆の半分又は四半分を含む。そのままのコーヒー豆と比較したコーヒー豆砕片を使用する利点は、コーヒー豆砕片は比較的に簡単にグラインダーに供給することができ、及び／又は包装を比較的に簡単に封じることができることである。これは、コーヒー豆砕片は比較的に小さく、したがって包装及び器具の開口を通して比較的に容易に流れることができ、及び／又はコーヒー豆出口及び／又は閉じ手段を容易には塞がないからである。コーヒー豆は事前に、挽くのではないが、砕片に分割しておくので、それで、比較的により多くの豆表面が、コーヒー豆そのままの場合よりも、周囲の空気と接触することがある。一方、挽いたコーヒーの場合よりもより少ない豆表面が空気と接触し、そのためコーヒー豆砕片は、挽いたコーヒー豆よりもよく保存することができる。コーヒー飲料を調製するちょうどその前に、コーヒー飲料を得るためにコーヒー豆砕片が挽かれる。本記載において、したがってコーヒー豆は破砕したコーヒー豆も含むこともあると理解されたい、すなわち、所望のコーヒー飲料を調製する前に砕いたコーヒー豆はさらに挽かれる。
【０００４】
そのために、本発明の好ましい一態様によれば、特許請求の範囲請求項１の記載のコーヒー飲料装置が提供される。コーヒー豆包装カートリッジは、コーヒー調製器具に取外し可能に結合され、そして、複数杯分のコーヒー豆を保持し、供給するようにされている。それは、内部容積とコーヒー豆出口を画定する少なくとも１つの流出孔を有する容器を含み、その内部容積はコーヒー豆及びその内部容積からカートリッジの流出孔に向かってコーヒー豆を移送することができるようにされた移送手段を保持している。コーヒー器具は、移送手段を用いて流出孔に向かって移送されるコーヒー豆を受ける流入孔と、流入孔を介してコーヒー器具に入ったコーヒー豆を挽くためのグラインダーと、グラインダーによって得られた挽いたコーヒーに基づいてコーヒーを調製するための調製デバイスとを有している。本装置は、更に、コーヒー豆を受ける計量室を備えていて、コーヒー豆は移送手段によってその計量室に移送される。好ましくは、充填された後で、計量室は注入された量のコーヒー豆を保持する。計量室はグラインダーの一部を形成する基部部分を有する。基部部分はコーヒー器具内で垂直方向に延在する軸の周りを回転するようにされている。装置は、グラインダーが作動したときに、コーヒー豆を計量室からグラインダーに移送させ、そしてコーヒー豆を挽くために基部部分が垂直軸の周りを回転するようにされている。グラインダーの部分であり、かつ計量室を空にするために回転する計量室の基部部分を使用することは、計量室の別の基部板および別のグラインダーを設ける別の選択肢と比較して、装置の高さを減少させることにもなる。コーヒー調製器具と第一のコーヒー豆包装カートリッジは所定の注入量のコーヒー豆を保持し、かつ前記第一のコーヒー豆包装カートリッジからグラインダーへ供給する第一注入デバイスを有している。この第一注入デバイスは、第一のコーヒー豆包装カートリッジがコーヒー調製器具に接続される又は接続されたときに、調製器具の計量室を有する。本装置は、更に第二のコーヒー豆包装カートリッジが用意される。第二のコーヒー豆包装カートリッジはコーヒー豆を保持しかつ供給するように構成され、コーヒー調製器具に取り外し可能に接続可能でもある。第二のコーヒー豆包装カートリッジは、調製器具及び第一のコーヒー豆包装カートリッジの第一注入デバイスとは別の第二注入デバイスを有していてコーヒー調製器具とは関係なく１注入量のコーヒー豆を用意し及び／又はコーヒー調製器具の流入孔に供給する。このように、多目的のコーヒー飲料装置が提供され、それは小型で、そしてそれを用いて、消費者は、１人前のコーヒー飲料を作るために用いられるコーヒー豆注入量をコーヒー調製器具に決めさせることができ、又は、消費者はコーヒー調製器具とは無関係に１注入分のコーヒー豆を用意する。
【０００５】
計量室は、カートリッジの一部である第一室部分と、コーヒー調製器具の一部である第二室部分に分けることができる。カートリッジと調製器具にわたっての計量室の分割は、さらにより小型のコーヒー飲料装置を提供することができる。
【０００６】
この点に関して、基部部分が垂直軸に直角にかつ垂直軸から離れる方向に下方に延在するようにした円錐形を有する基部部分であることは計量室を空にするのに都合がよい。
【０００７】
本発明によるコーヒー飲料装置の別の利点は、第一室部分が流出孔を含むかつ第二室部分が流入孔を含んでいて、さらに流出孔は流入孔の上に延在していることである。これにより計量室を比較的に安価に作ることができる。
【０００８】
計量室は、好ましくは一杯のコーヒー飲料を調製するのに必要である注入された量のコーヒー豆に対応する分のコーヒー豆を受けるようにすることができる。移送手段は、移送手段を駆動したときにコーヒー豆を計量室に向けて効果的に移送させるための、計量室に対して可動である部分を有することができる。コーヒー調製器具に第一モーター及び垂直に延在する駆動軸を設けることができ、駆動軸は、駆動するためにカートリッジの移送手段に解放可能に接続され、それにより、第一モーターによって駆動軸が回転したときに移送手段を動かす。その可動部分は、移送手段を駆動したときに別の垂直軸の周りを回転する下部及び／又は複数の羽根を有することができる。
【０００９】
さらに、移送手段は、コーヒー豆を計量室に向けて重力の作用で移送するための下方に延在する底部壁を有することができる。別の方法として、移送手段は、コーヒー豆を計量室に向けて重力の作用によってのみ移送するための下方に延在する底部壁を有することができる。
【００１０】
第一室部分に、上方垂直方向に計量室の体積を限定する上端壁を設けることができ、第二室部分の底部分は計量室の体積を下方垂直方向で限定する。
【００１１】
別の方法又は追加的に、第一室部分は、計量室へ移送手段によってコーヒー豆を入れる流入開口を有する直立した側壁を備えることができる。
【００１２】
本発明のコーヒー飲料装置の別の利点は、移送手段が、コーヒー豆を計量室に及び／又は計量室の流入開口に向けて移送させるために、少なくとも水平方向にコーヒー豆を移送するようにする場合である。
【００１３】
グラインダーは、第二室部分に対して中心に配置することができる。それは、垂直軸の方向に在る円錐形部分を有することができ、それでグラインダーを駆動したときにこの円錐形部分は垂直軸の周りを回転する。グラインダーはモーターによって駆動することができる。駆動軸及びグラインダーは別のモーターで駆動することができる。
【００１４】
コーヒー調製器具は、コーヒー豆包装カートリッジに取外し可能な結合のための接続手段を有することができる。その接続手段はコーヒー調製器具の上側に凹部を有することができ、その凹部は側壁に囲まれ、かつコーヒー豆包装カートリッジの下側から突出する対応する部分を受けるように形成されている。この側壁はコーヒー調製器具の上側から突出し、ハウジングによって覆われている。
【００１５】
本発明の一実施例によれば、側壁はコーヒー豆包装カートリッジの差込み素子を受ける入れる開口を有している。コーヒー豆包装カートリッジは、コーヒー調製器具に結合するために、差込み素子を開口に挿入して回転させるようにして、凹部に挿入される。側壁はコーヒー豆包装カートリッジが最終位置に達したときに、それ以上回転するのを妨げる阻止要素を含むことができる。このように、利用者は容易にかつ確実にカートリッジをコーヒー調製器具に装着することができる。好ましくは、コーヒー豆包装カートリッジは、その最終位置に到達するために、約５０度回転させられる。カートリッジとコーヒー調製器具間の接続はスナップ結合である。
【００１６】
さらに、凹部は、その中心に回転可能な突出端を有することができ、その突出端は駆動軸の端部に固定される。
【００１７】
垂直軸の周りを第二室部分の基部部分が回転可能であり、その垂直軸は第二室部分の基部部分の中心を通り抜けている。基部部分は、垂直軸の全周囲にその垂直軸に直角に、かつ垂直軸から離れる方向に延在する方向に下方に延在することができる。
【００１８】
コーヒー豆包装カートリッジがコーヒー調製器具に結合されていないときに、コーヒー豆包装カートリッジはコーヒー豆出口を閉じる閉じ手段を有することができる。このようにして、コーヒー豆包装カートリッジがコーヒー調製器具に接続されていないときに、コーヒー豆がコーヒー豆包装カートリッジから抜け出るのが避けられる。
【００１９】
コーヒー豆包装カートリッジがコーヒー調製器具に接続されたときに、その閉じ手段はコーヒー豆出口を開けるように構成することができる。
【００２０】
閉じ手段は、容器の底部側に、コーヒー豆出口と、開口を有する回転可能な閉じ円盤とを有する閉じ部材を有する。コーヒー豆包装カートリッジをコーヒー調製器具に接続するために、回転可能な閉じ円盤の開口はコーヒー豆出口と整合する位置に持ってこられる。
【００２１】
閉じ部材は１対の羽根付きアームを有し、閉じ円盤は、閉じた位置で羽根付きアームの後ろで拘束される移動止めを有する。
【００２２】
出口開口は、カートリッジを作動させる前に、内部容積を密封する除去可能な密封素子と関連付けることができ、ここで、好ましくは、前記密封素子はガスがカートリッジから逃げるのを阻止する。飲料装置は、好ましくは、初めてカートリッジが調製器具に接続される場合に、密封素子を破砕しかつ移動させる手段を有することができる。密封素子はシール薄膜とすることができる。
【００２３】
装置は、使用時に、粉砕デバイスを作動して、計量室を空にし、かつ計量室に受け取られ及び／又は保持されたコーヒー豆を挽くように構成することができる。粉砕デバイスは、計量室を空に、或は少なくともほとんど空にし、かつ計量室に受け取られたすべてのコーヒー豆を粉砕するのに必要とされる時間より長く作動させることができる。このようにして、計量室を空にすることが確実に行うことができる。計量室を空にし、かつコーヒー豆を粉砕するより前に、最初の段階で、移送手段が駆動されて計量室をコーヒー豆で充填することができる。移送手段は、計量室をコーヒー豆で完全に充填する、或は少なくともほぼ完全に充填するのに要求される時間より長く駆動することができる。このようにして、計量室へのコーヒー豆の注入は確実に行うことができる。
【００２４】
コーヒー調製器具は、これらの工程を遂行するために第一モーター及び／又はグラインダーを制御するための制御デバイスを備えることができる。制御デバイスは調製デバイスを制御することができ、ここで、制御デバイスは、使用中に、空にしかつ粉砕工程が完了した後に続けて、調製デバイスが挽いたコーヒー及びコーヒー調製器具の加熱デバイスによって加熱された温水に基づいてコーヒーを調製するように構成することができる。計量室の容積は、それがコーヒー豆で完全に充填されると、その豆の量は１杯のコーヒーを作るための１注入分のコーヒー豆に対応するであろう。１注入分のコーヒー豆は、５〜１１、好ましくは６〜８グラムのコーヒー豆を含むことができる。コーヒー調製器具は、制御デバイスが調製デバイスを制御するようにされていて、ここで、制御デバイスは、使用中に、第二工程の完了後の第三工程で、調製デバイスが挽いたコーヒー及びコーヒー調製器具の加熱デバイスによって加熱された温水に基づいてコーヒーを調製するようにされている。
【００２５】
本発明によれば、コーヒー豆包装カートリッジは、消費者によってコーヒー豆で（再）充填できるように設計することもできる。好ましくは、コーヒー豆包装カートリッジはコーヒー豆で充填されていて、コーヒー豆で再充填できるように設計されていない。その場合は、カートリッジは市販されるコーヒー豆用の包装である。
【００２６】
別な実施例によれば、本装置は、更に、コーヒー豆包装カートリッジがコーヒー調製器具に接続されているかどうかを検出するようにされたセンサーを有する。そのセンサーは検出結果を制御装置に信号を送るように構成される。センサーはスイッチ、例えばマイクロスイッチとすることができる。コーヒー豆包装カートリッジは、コーヒー調製器具に結合されたときに、そのスイッチを作動する突出部分を有する。その突出部分は１つの差込み素子の下又は上に配置され、コーヒー豆包装カートリッジがその最終位置に到達したときに、スイッチを作動させる。スイッチは、コーヒー調製器具の上側にある凹部を囲む側壁内の開口内に配置することができ、突出部が開口を介してスイッチを作動する。スイッチは側壁内の水平壁セグメントの後方に隠すことができ、そして開口は水平壁セグメント間の隙間でもよく、突出部分はその隙間にはまることができる。制御装置は第一モーターとグラインダーを制御するようにされて、第一のコーヒー豆包装カートリッジが存在することが検出された場合だけ、それらは作動することができるようにすることができる。このようにして、装置は、その装置に特に設計されたコーヒー豆包装カートリッジと作動することを確実にする。これらのカートリッジは装置の製造者によって、質の高められたコーヒー豆を充填して販売することができ、これにより風味の良いコーヒー飲料を最終消費者に保証する。
【００２７】
一実施例において、第二注入デバイスが所定の注入分のコーヒー豆を保持しかつ供給するように用意され、その注入分の量は１人前のコーヒー豆の量に等しく、それは１杯のコーヒー飲料の量を作るためのものである。代わりに、第二注入デバイスは、多数の区画を有することができ、それぞれの多数の区画は所定の注入分のコーヒー豆で充填されている。そのため各区画は１注入分のコーヒー豆を保持していることが都合がよく、その注入分の量は１人前のコーヒー豆の量に等しく、それは１杯のコーヒー飲料の量を作るためのものである。特に、それぞれの注入分は重量で約５０グラム以下、詳しくは２０グラム以下、更に詳しくは１５グラム以下である。
【００２８】
本発明によれば、第二のコーヒー豆包装カートリッジの第二注入デバイスは内部容積を含むハウジングとコーヒー豆出口を画定する少なくとも１つの流出孔を有し、内部容積は所定の注入量のコーヒー豆を保持するもので、ここで、第二のコーヒー豆包装カートリッジがコーヒー調製器具に接続されたときに、前記コーヒー豆出口はコーヒー調製器具の流入孔と連通して配置することができる。第二のコーヒー豆包装カートリッジが多くの区画を有するので、そこで好ましくは各区画がコーヒー豆出口を画定する少なくとも１つの流出孔を有する。
【００２９】
一実施例において、第二のコーヒー豆包装カートリッジのコーヒー調製器具への接続は、ハウジングがコーヒー調製器具の流入孔に対して回転可能になるようにされる。更に、コーヒー飲料装置は、コーヒー豆が第二のコーヒー豆包装カートリッジからコーヒー調製器具に重力で移送されるように構成される。
【００３０】
本発明によれば、第二のコーヒー豆包装カートリッジの第二注入デバイスは、所定の注入量のコーヒー豆を内部容積から第二注入デバイスの少なくとも１つの流出孔に向けて移送することができるように構成された移送手段を有することができる。そのような移送手段は移動可能注入要素を形成する。
【００３１】
第二のコーヒー豆包装カートリッジがコーヒー調製器具に接続されるならば、第二注入デバイスの流出孔に向かって第二注入デバイスの移送手段により移送されるコーヒー豆は、コーヒー調製器具によってコーヒーを調製するために流入孔を介して受け取ることができるように、第二のコーヒー豆包装カートリッジはコーヒー調製器具に適合されるようにできる。このように、消費者は第二のコーヒー豆包装から調製器具へ注入分のコーヒー豆を供給する追加的な操作をする必要がない。第二注入デバイスの移送手段がコーヒー調製器具とは無関係に作動するように構成されているときは、消費者はコーヒー飲料を作る際に使用される彼又は彼女自身のコーヒー豆の量を簡単な方法で決めることができる。具体的には、移送手段は手動で作動されるように構成される。
【００３２】
一実施例では、第二注入デバイスの移送手段は可動構造を含み、この可動構造はコーヒー豆に接触するために少なくとも部分的に内部容積内に存在し、ここで、移送手段は更に手動動作の作動手段を有し、その手動動作の作動手段は可動構造を手動で作動させるために少なくとも部分的に内部容積の外側に設けられる。本発明によれば、第二のコーヒー豆包装カートリッジの移送手段は手動で作動されるように構成されているので、使用者は所望の量になるまで移送手段を手動で作動することによって、容易な方法で供給される豆の量を調節することができる。手動で動作する作動手段によって、可動構造は内部容積の外側から動かすことができる。このように、例えばコーヒー豆を出口に押しやるために、力をコーヒー豆に掛けることができる。別の方法は、他の力、例えば重力によるコーヒー豆の出口への移動に対する妨害は可動構造を動かして除去することができる。これらの方法で、使用者はコーヒー豆をコーヒー調製器具に供給するのを制御できる。
【００３３】
一実施例において、第二のコーヒー豆包装カートリッジの移送手段は、回転可能車軸のような回転可能素子を含み、その素子は少なくとも部分的に内部容積内に配置される。そのような回転可能素子は容器の内部で小型の構造を提供する可能性をもたらし、したがって、第二のコーヒー豆包装カートリッジによって占められる容積の不必要な増加をかなり防ぐことになる。
【００３４】
一実施例において、作動手段は回転可能素子を回転するように構成されている。好ましくは作動手段は回転可能素子に接続されたクランク・ハンドルを有している。
【００３５】
一実施例において、回転可能素子は少なくとも部分的にコンベヤー・スクリューとして形成される。好ましくは、可動構造はネジ穴を有し、そのネジ穴を通してコンベヤー・スクリューが係合する。そのような構造は小型であるが、同時に、コーヒー豆物質の出口への供給を多少正確に制御することを可能とする。
【００３６】
一実施例において、可動構造は回転可能素子に堅く結合されていて、ここで、可動構造は少なくとも１つの第一開口を備えその開口を通してコーヒー豆を通過させ、ここで、第二のコーヒー豆包装カートリッジは少なくとも１つの第二開口を備え、その第二開口は使用時に少なくとも１つの第一開口の上又は下に配置され、かつ、出口に対する入り口を提供する、ここで、回転可能素子を回転する結果、少なくとも１つの開口は少なくとも１つの第二開口と整合させることができる。好ましくは、第二開口は出口によって形成される。その結果、使用時に可動素子は回転可能素子と一緒に回転する。少なくとも１つの開口を少なくとも１つの第二開口と整合させる結果として、ある量のコーヒー豆が移動でき、例えば出口に向かいそして内部容積から落下できる。このようにして、少なくとも１つの開口を少なくとも１つの第二出口に繰り返し整合させることによって、コーヒー豆の供給を制御できる。したがって、この実施例又は他の実施例において、出口は複数の開口からなり、例えば、少なくとも１つの第二開口を含むことができることが明らかとなる。出口を形成することができる複数の開口は、手動で相互に連結し又は連結しないことができる。
【００３７】
一実施例において、可動構造はプランジャーを含む。
【００３８】
好ましくは、第二のコーヒー豆包装カートリッジは、更に出口に向かうコーヒー豆の通過を妨げるようにされたバリアを内部容積内に設ける。そのようなバリアは出口へ向かうコーヒー豆の制御不能な移動を実質的に抑えることができるであろう。
【００３９】
好ましくは、バリアは出口へ向かうコーヒー豆の通過を妨げる弁を含む。そのような弁は出口へ向かうコーヒー豆の制御不能な移動を実質的に抑えることができるであろう。好ましくは、弁は、その弁が開いたときに変形する柔軟性素子を含む。
【００４０】
一実施例において、バリアは、使用時に容器の頂部から間隔を置いた内壁を含み、ここで、移送手段は、使用時に容器の頂部と内壁との間の隙間を介してコーヒー豆を移動させるようにされている。この内壁は、使用時に出口に達するコーヒー豆のバリアを構成することができる。可動構造によってコーヒー豆を上方に移送させることによって、コーヒー豆を内壁を越えて移送させることができる。このようにして、コーヒー豆は出口に到達することができる。
【００４１】
好ましくは、内壁は内部容積の第一部分を内部容積の第二部分から分離し、ここで、可動構造は内部容積の第一部分内に配置され、ここで、出口は内部容積の第二部分を介して達することができる。
【００４２】
一実施例において、第二のコーヒー豆包装カートリッジの可動構造は、弾性部材によって第二のコーヒー豆包装カートリッジに弾性的に取り付けられ、そのため、可動構造は手動の作動手段で弾性部材を変形しながら、繰り返し第一の位置と第二の位置との間を移動でき、例えば、弾性部材を変形しながら、第一の位置から第二の位置に移動し、又、逆もまた同じ。使用中、弾性部材の変形は、例えば第一の位置から第二の位置への移動中に生じるであろう。第二の位置から第一の位置へ戻る移動中に、即ち「逆もまた同じ」、弾性部材の変形は減少するかもしれず、あるいは完全に無くなるかもしれない。その結果、弾性部材は、可動構造の第二の位置から第一の位置への戻りの移動を促進する。そのため、実質的に一方向のみから作動手段に力を掛ければ十分である。これは、作動手段の操作を比較的簡単なものにする。
【００４３】
好ましくは、第二のコーヒー豆包装カートリッジは、内部容積内にコーヒー豆が出口に向かう通路が設けられ、ここで、第二の位置で通路は少なくとも部分的に可動構造によって妨害され、そして第一の位置で通路は、第二の位置でのときよりも可動構造による妨害は少なく、選択的には、可動構造によって妨害されない。しかし、代わりに、第一の位置で、通路は少なくとも部分的に可動構造によって妨害され、そして第二の位置では通路は第一の位置でのときより可動構造による妨害を少なくし、そして、選択的には可動構造によって妨害されない。
【００４４】
好ましくは、第一の位置は、使用中、第二の位置の上又は下に配置される。好ましくは、少なくともコーヒー豆の一部が、使用中に第二のコーヒー豆包装カートリッジの可動構造の上に配置される。第一の位置が第二の位置の上に配置され、コーヒー豆の少なくとも一部分が可動構造の上に配置されるならば、可動構造を第一の位置と第二の位置との間を繰り返し移動させると、コーヒー豆の振動をもたらすことになるであろう。第二の位置から第一の位置への移動中は、コーヒー豆は、使用中、比較的に変形可能な部材によって駆動されて上方向へ動くであろう。第一の位置から第二の位置への移動中は、使用中、コーヒー豆は重力に駆動されて下方向に動くであろう。そのような振動動作は有益なものと考えられるが、それは内部容積を通って第一の位置へのコーヒー豆の移動を促進するからである。
【００４５】
一実施例において、第二のコーヒー豆包装カートリッジは、その容器又はハウジングにコーヒー調製器具の駆動軸を受けるための凹部を設けている。このように、第二の豆包装カートリッジは手動で動作できるが、モーターのような駆動部材を備えたコーヒー調製器具と組み合わせて使用することができる。そのような駆動軸は、別のコーヒー豆包装カートリッジの移送手段を駆動するように構成することができる。好ましくは、容器は凹部で閉じている。
【００４６】
別の方法では、凹部は、例えば駆動軸とカートリッジとの間の機械的な接触を防ぐようにすることができる。このように、カートリッジは調製器具と組み合わせて使用するか、又は更に駆動部材を備えた別の外部器具と組み合わせて使用することもでき、同時に、カートリッジは、外部駆動部材を備えない別の外部器具と組み合わせて使用することもできる。
【００４７】
好ましくは、移送手段は、使用中に、コーヒー調製器具の駆動軸によって移送手段が駆動されるのを妨げるように配置されている。
【００４８】
一実施例において、第二のコーヒー豆包装カートリッジは、コーヒー豆を保持しかつ供給するスクーパーを有し、コーヒー調製器具に接続されるとスクーパーはその流入孔に整合し、スクーパーはその軸の回りを回転することによって移送手段としても働くように構成され、これにより流入孔へコーヒー豆を注ぐ。コーヒー調製器具に供給されるコーヒー豆の注入量は、ここでは非常に簡単であり、それはスクーパーを充填することによってなされる。
【００４９】
好ましくは、第二のコーヒー豆包装カートリッジはスクーパーを手動で回転するハンドルを有する。
【００５０】
代わりの実施例では、第二のコーヒー豆包装カートリッジはコーヒー豆を保持するホッパーを有する。ホッパーは好ましくは出口を有し、その出口は、第二のコーヒー豆包装カートリッジがコーヒー調製器具に接続されると、コーヒー調製器具の流入孔と整合される。移送手段は、都合よくは閉じ板を有することで、閉じ板はその第一の位置では少なくともかなり、好ましくは全体に出口を閉じ、これにより流入孔に向かうコーヒー豆の通過を妨げ、そして、第二の位置では出口を塞がないか、ほとんど塞がず、ここで移送手段が、更に第一の位置から第二の位置へ、又はその逆も同様に、閉じ板を作動する手動の作動手段を含んでいる。コーヒー調製器具に供給されるコーヒー豆の量は、コーヒー豆がコーヒー調製器具に供給される第一の位置と、そうではない第二の位置との間で移送手段の閉じ板を移動することによって注入することができる。
【００５１】
好ましくは、第二の位置で閉じ板は、ホッパーの内部容積の第一の部分をホッパーの内部容積の第二の部分から少なくとも実質的に区切って、これにより、第一の部分から第二の部分へのコーヒー豆の通過を妨げる。第二の部分の量は、閉じ板が第一の位置のときにコーヒー調製器具に供給される一杯分の量に対応する。
【００５２】
好ましくは、閉じ板は仮想シリンダーの第一部分を形成し、シリンダーの他の部分は開いていて、ここで、手動の作動手段が閉じ板を第一及び第二の位置へ、それぞれ回転するように構成されている。各回転で、ホッパーの内部容積の第二の部分に対応する１注入分のコーヒー豆がコーヒー調製器具に供給される。
【００５３】
第一及び第二のコーヒー豆包装カートリッジの内の少なくとも１つは、コーヒー豆を保持するじょうご状ホルダーとコーヒー豆をホルダーから放出する出口を有することができる。出口はじょうご状ホルダーの上端部に配置され、コーヒー豆包装カートリッジがコーヒー調製器具に接続されたときに、その流入孔と整合され、ここで、移送手段はらせん状の移送手段で、使用中に回転可能に作動されてじょうご状ホルダーからコーヒー豆を出して出口に向かって進める。コーヒー調製器具に供給されるコーヒー豆の量は、この場合はらせん状のコンベヤー手段がじょうご状ホルダー内のコーヒー豆を回転させる時間の長さに左右される。
【００５４】
好ましくは、らせん状のコンベヤー手段は、前記じょうごの内壁上にらせん状に突出する縁部によって得られ、じょうご状の内壁上のコーヒー豆に対するらせん状の軌道によって形成される。らせん状のコンベヤー手段は、コーヒー豆が内壁上を回転し続けるのを妨げる不動の阻止要素を含むことができ、これにより、らせん状軌道に従って出口に向かってコーヒー豆を上方へ駆動する。その結果、じょうご状ホルダー内のコーヒー豆は、その出口に向かって着実に確実に駆動される。
【００５５】
又別の実施例では、第一および第二のコーヒー豆包装デバイスの内の少なくとも１つは、コーヒー豆を放出するために、コーヒー豆包装カートリッジの出口に向かってその流れを促進するようにコーヒー豆を振ったり又は振動させるように構成されている。このようにして、コーヒー豆をコーヒー調製器具へ供給する別の方法が得られる。好ましくは、コーヒー豆包装カートリッジは、コーヒー豆の包装である第一モジュールとモーターを有する第二モジュールを有し、第一モジュールはコーヒー調製器具に取り外し可能に結合され、第一モジュールがコーヒー調製器具に結合される場合に、第二モジュールは第一モジュールに取り外し可能に結合される。このモジュールの構造のために、第一モジュールのコーヒー豆は、第二モジュール内のモーターの作動によって、あるいは、第二モジュールが第一モジュールに接続されていない場合には、コーヒー調製器具内にある移送手段の作動によって、コーヒー調製器具に供給される。
【００５６】
さらに、コーヒー豆包装カートリッジがコーヒー調製器具に接続されると、その出口は開き、取り外すと、閉じ、ここで、好ましくはコーヒー豆の再充填モードで、第二モジュールは、コーヒー調製器具の代わりに第一モジュールに接続できる。好ましくは、コーヒー豆再充填モードで、第二モジュールは、コーヒー調製器具と同じ又は同様に第一モジュールに接続され、第一モジュールの出口を開くことになる。その結果、第一モジュール、即ちコーヒー豆包装を、使用者が分かりやすい方法でコーヒー豆で再充填できるであろう。
【００５７】
本装置は、更に挿入部品を有し、挿入部品はコーヒー豆包装カートリッジの代わりに、好ましくは、コーヒー豆包装カートリッジをコーヒー調製器具に接続するのに使用する手段と同じ又は類似の、挿入部品をコーヒー調製器具に接続するための手段を用いてコーヒー豆包装カートリッジと同じ又は類似の方法で、コーヒー調製器具に除去可能に接続できる。この場合、挿入部品がコーヒー調製器具に接続されたときにスィッチを作動させるために、挿入部品は差込み素子と好ましくは、差込み素子の１つの下又は上に配置される突出部とを有する。接続されたコーヒー豆包装カートリッジと挿入部品の検出は同様に行われるので、コーヒー調製器具の制御装置は、これら２つの場合の間で違いを見ない。これは、コーヒー調製器具の機能性も同じであることを意味している。
【００５８】
挿入部品をコーヒー調製器具に接続する目的は二重にある。コーヒー調製器具を開けて、モーター及びグラインダーを作動させる、又はもしもコーヒー豆包装カートリッジがその器具に接続されていない場合に有用である。これは、修理及び保守に役立つ。
【００５９】
或いは、挿入部品はコーヒー調製器具にコーヒー豆を供給するのに使用することができるが、それはコーヒー豆包装カートリッジは再充填できるようには設計されていないからである。この目的のための挿入素子の好ましい実施例は、内部容積を有する空洞及びコーヒー豆出口を画定する少なくとも１つの流出孔を有し、その内部容積はコーヒー豆を受けとるようにされている。その挿入部品は、更に、挿入部品がコーヒー調製器具に接続されていない、又はコーヒー調製器具にその最終位置で接続されていないときに、コーヒー豆出口を閉じる閉じ手段を有する。閉じ手段は、挿入部品が最終位置でコーヒー調製器具に結合されるときに、コーヒー豆出口を開くように構成されている。最初の位置で挿入部品がコーヒー調製器具に接続され、そして挿入部品をその最終位置に回転して、コーヒー豆が挽かれるためにコーヒー調製器具に入るときに、使用者は空洞をコーヒー豆で充填する。
【００６０】
有利なのは、装置は、グラインダーを作動したときに下部部分が垂直軸の周りを回転して計量室からグラインダーへ１注入分のコーヒー豆を移動させ、そしてコーヒー豆を粉砕するように構成することができることである。円錐形状を有する基部部分は第一垂直軸の方向に位置していて、その円錐形状は、グラインダーを駆動したときに第一垂直軸の周りを回転する。グラインダーは、基部部分の周りに延在する下部粉砕円盤と下部粉砕円盤の上に延在する上部粉砕円盤を有する。グラインダーは第二のモーターに回転駆動され、円錐形状の基部部分と下部粉砕円盤の回転を生じさせる。基部部分と下部粉砕円盤を駆動すると、コーヒー豆は下部粉砕円盤と上部粉砕円盤の間で外方向に延在する半径方向に移動させられ、コーヒー豆は砕かれ切断されて挽いたコーヒーとなるが、それは、下部粉砕円盤と上部粉砕円盤との間の垂直距離は外方向に延在する半径方向で減少していくからである。
【００６１】
グラインダーは非汚染グラインダーとすることができ、それでは、コーヒー豆を挽き、挽いたコーヒーをコーヒー調製デバイスに供給した後に、ほとんど挽いたコーヒーは残らない。その結果、カートリッジを別のブレンドのカートリッジと置き換えても、新しいブレンドのコーヒーには、先に用いたブレンドが混入しない。
【００６２】
第二室部分は、計量室の容積の約１００−Ｘ％を有することができ、第一室部分は計量室の容積の約Ｘ％を有することでき、ここで、Ｘは２〜５０の範囲、好ましくは５〜４０の範囲、より好ましくは１５〜３０の範囲である。調製器具内に計量室の大部分を配置して、飲料装置の高さを更に減少させることができる。これは、例えば、食器棚の下のキッチンシンクの上に飲料装置を置こうとする場合に、問題となるであろう。
【００６３】
本発明の別の態様によれば、本発明の装置と共に使用する第二のコーヒー豆包装カートリッジが提供され、ここで、その第二のコーヒー豆包装カートリッジはコーヒー豆を保持しかつ供給するように構成され、その第二のコーヒー豆包装カートリッジは１注入分のコーヒー豆を供給するための第二注入デバイスを有している。好ましい実施例は、添付のそれぞれの請求項に記載されている。
【００６４】
本発明の別の態様によれば、前述したように、コーヒー調製器具によって飲料を調製する方法が提供される。空にしかつ粉砕工程で、粉砕デバイスは作動されて、計量室を空にし、そして計量室に集められたコーヒー豆を粉砕する。粉砕デバイスは、計量室を空に、或は少なくともほとんど空にし、かつ計量室に集められたすべてのコーヒー豆を粉砕するのに必要とされる時間より長く作動させることができる。その方法は次の工程からなる：充填工程で、計量室にコーヒー豆を集めるために計量室をコーヒー豆で充填することができる。計量室はコーヒー豆で完全に充填されるか、コーヒー豆で少なくともほぼ完全に充填される。
【００６５】
本発明の更なる別の態様によれば、本発明の装置による飲料を調製する方法が提供され、そこで、その方法は次の工程からなる：第一工程で、移送手段は計量室をコーヒー豆で充填するのに必要とされる時間よりも長く駆動され、次いで、第一工程の完了後に続く第二工程で、粉砕デバイスは、計量室を空にし、かつ第一工程の間に計量室に集められたすべてのコーヒー豆を粉砕するのに必要とされる時間より長く作動される。
【００６６】
本発明の別の態様によれば、コーヒーを調製する方法が提供され、そこで、コーヒー豆で充填されたカートリッジはコーヒー調製器具に結合され、そこで、カートリッジとコーヒー調製器具間の結合により計量室が形成され、そこで、引続き、計量室はカートリッジからのコーヒー豆で充填され、計量室はその後にグラインダーの作動により空にされ、そこで、計量室のコーヒー豆はグラインダーの作動により破砕され、そして続けてコーヒーは、挽いた豆と温水を基にコーヒー調製器具で調製される。
【００６７】
本発明の更に別の態様によれば、本発明の装置による飲料を調製する方法が提供され、そこで、その方法は次の工程を含んでいる。
第一工程で、計量室はコーヒー豆で充填される、
第一工程の完了後に続く第二工程で、計量室を空にし、かつ第一工程の間に計量室に集められたコーヒー豆を粉砕するために粉砕デバイスが作動される。
【００６８】
本発明の別の態様によれば、本発明のコーヒー飲料装置によって飲料を作る方法が提供され、それは下記の工程を含む、
第一のコーヒー豆包装カートリッジをコーヒー調製器具に結合し、
垂直に延在する駆動軸をモーター手段で回転し、それにより、１注入分のコーヒー豆を第一のコーヒー豆包装カートリッジの流出孔に向けて用意しかつ移送するために第一のコーヒー豆包装カートリッジの移送手段を駆動しかつ動かして、
挽いたコーヒーを作るためにコーヒー調製器具の流入孔を通してコーヒー調製器具に入ったコーヒー豆を粉砕し、
挽いたコーヒーを基にコーヒーを調製し、
第二のコーヒー豆包装カートリッジをコーヒー調製器具に結合し、
コーヒー調製器具とは無関係に第二のコーヒー豆包装カートリッジの流出孔に向けて１注入分のコーヒー豆を用意しかつ移送するために第二のコーヒー豆カートリッジの第二注入デバイスを作動させ、
挽いたコーヒーを作るためにコーヒー調製器具の流入孔を通してコーヒー調製器具に入ったコーヒー豆を粉砕し、
挽いたコーヒーを基にコーヒーを調製する。好ましくは、第二のコーヒー豆包装カートリッジをコーヒー調製器具に結合する工程の前に、第二のコーヒー豆包装カートリッジの流出孔に向けて１注入分のコーヒー豆を用意しかつ移送するために第二のコーヒー豆カートリッジの第二注入デバイスを作動させる工程を実行する。
【００６９】
更に、本発明は、本発明の第二のコーヒー豆包装カートリッジから外部の器具へコーヒー豆を供給する方法に関し、その方法は、下記の工程を含む、
第二のコーヒー豆包装カートリッジの内部容積を囲むハウジング内にコーヒー豆を保持し、
１注入分のコーヒー豆を供給するために第二の注入デバイスを手動で作動し、
内部容積からハウジングの出口を通してコーヒー豆を放出し、
移送手段によってコーヒー豆を出口に向けて移送し、ここでコーヒー豆の移送は移送手段の可動構造によってコーヒー豆に接触することを含み、
移送手段の手動で動作できる作動手段によって可動構造を作動する。
【００７０】
本発明の更に有利な特徴は、好ましい実施例の添付の記載から明らかになる。
【００７１】
本発明を添付の図面を参照して以下記載する。
【図面の簡単な説明】
【００７２】
【図１】コーヒー調製器具に装着されたコーヒー豆包装カートリッジを有する、本発明によるコーヒー調製装置の実施例の斜視図を示す。
【図２】コーヒー調製器具に装着されたコーヒー豆包装カートリッジを有しない、本発明によるコーヒー調製装置の実施例の斜視図を示す。
【図３Ａ】図１の斜視図で示すコーヒー調製装置の一部分の断面図を示す。
【図３Ｂ】図１の斜視図で示すコーヒー調製装置に使用するグラインダーの断面図を示す。
【図３Ｃ】図１のコーヒー調製装置に使用するグラインダーの断面図を示す。
【図４Ａ】図２に示すコーヒー調製器具の上部の詳細斜視図を示す。
【図４Ｂ】開位置に閉じ板を有する、図２のコーヒー調製器具の上部の詳細斜視図を示す。
【図４Ｃ】図２のコーヒー調製器具の上部の更に詳細な斜視図を示す。
【図５Ａ】駆動軸結合端部と共にコーヒー豆包装カートリッジ内に使用する羽根車の分解等角図を示す。
【図５Ｂ】駆動軸結合端部と共にコーヒー豆包装カートリッジ内に使用する羽根車の分解等角図を示す。
【図６Ａ】本発明の実施例によるコーヒー豆包装カートリッジの分解等角投影図を示す。
【図６Ｂ】図６に示すコーヒー豆包装カートリッジの斜視図を示す。
【図６Ｃ】図６に示すコーヒー豆包装カートリッジの別の斜視図を示す。
【図６Ｄ】図６に示すコーヒー豆包装カートリッジの別の斜視図を示す。
【図７Ａ】図６に示すコーヒー豆包装カートリッジの基部部分の詳細な分解図である。
【図７Ｂ】逆方向から見た図７Ａの基部部分の詳細な分解等角投影図である。
【図７Ｃ】図７Ａ及び図７Ｂに示す基部部分の閉じ板の斜視図である。
【図８】組み立てた基部部分の詳細な断面図である。
【図９】コーヒー調製器具の係合外し突起を有する、図７Ｂの基部部分の詳細な底面斜視図である。
【図１０】コーヒー調製器具に結合されたコーヒー豆包装カートリッジの断面図を示す。
【図１１Ａ】第一のタイプの挿入部品を示す。
【図１１Ｂ】コーヒー調製器具に結合された図１１Ａの挿入部品を示す。
【図１２Ａ】第二のタイプの挿入部品を示す。
【図１２Ｂ】最初の位置でコーヒー調製器具に結合された図１２Ａの挿入部品を示す。
【図１２Ｃ】最終位置でコーヒー調製器具に結合された図１２Ａの挿入部品を示す。
【図１３Ａ】未だ作動位置にない、コーヒー豆包装カートリッジの別の実施例の断面図を示す。
【図１３Ｂ】作動位置にある、図２Ａのコーヒー豆カートリッジを示す。
【図１３Ｃ】図１３Ａ及び図１３Ｂのコーヒー豆カートリッジの構成素子の半分を展開して示す。
【図１３Ｄ】使用前の状態の図１３Ａのコーヒー豆カートリッジの斜視図である。
【図１４Ａ】使用前の状態の別の実施例のコーヒー豆包装カートリッジの断面図である。
【図１４Ｂ】図１４Ａと同様な断面図であるが、コーヒー豆カートリッジは使用するために作動されている。
【図１４Ｃ】図１４Ａ及び図１４Ｂのコーヒー豆カートリッジの構成素子の半分を展開して示す。
【図１４Ｄ】使える状態の図１４Ａのカートリッジの斜視図である。
【図１５Ａ】使用前の状態の更に別の実施例のコーヒー豆包装カートリッジの断面図である。
【図１５Ｂ】図１５Ａと同様な断面図であるが、豆カートリッジは使用するために作動されている。
【図１５Ｃ】図１５Ａ及び図１５Ｂに示すカートリッジの構成素子の半分を示した分解図である。
【図１５Ｄ】組み立てられた構造の図１５Ａの豆カートリッジの斜視図である。
【図１６Ａ】使用前の閉じた状態の別の実施例のコーヒー豆包装カートリッジの断面図である。
【図１６Ｂ】図１６Ａと同様な断面図であるが、豆カートリッジは使用できる開いた状態にある。
【図１６Ｃ】図１６Ａの豆カートリッジの実施例の第一の展開斜視図で逆に配列した部品を示す。
【図１６Ｄ】使用位置に垂直の配列にあるこの実施例の第二の展開斜視図である。
【図１６Ｅ】密封皮膜を除去した、この実施例の豆カートリッジの底面図である。
【図１６Ｆ】この実施例の豆カートリッジと共に使用する変形閉じ部材の部分断面の斜視図である。
【図１７】包装カートリッジから放出されるコーヒー豆を計量するための注入デバイスの構成要素を示す。
【図１８】コーヒー豆注入デバイスに使用するのに適した計量方式の第一の変形例の略図を示す。
【図１９】コーヒー豆注入デバイスに使用する計量方式の第二の変形例の略図を示す。
【図２０】コーヒー豆注入デバイスに使用する第三の計量方式の略図を示す。
【図２１】コーヒー豆注入デバイスに使用する第四の計量方式の略図を示す。
【図２２】図１による装置の独特な実施例の部分を示す。
【図２３】本発明に使用するコンベヤー又は移送手段の別の形状を示す断面図である。
【図２４】図２３に示すコンベヤー手段の一部を示す平面図である。
【図２５】本発明による別のカートリッジの断面図であるが、コンベヤー手段は別の形態を用いている。
【図２６】図２５の実施例に使用する柔軟性弁の等角投影図である。
【図２７】図２５の実施例の変形でコーヒー調製器具に追加の同期手段を使用している。
【図２８Ａ】カートリッジの部分としてのコンベヤー手段の別の実施例を断面図で示す。
【図２８Ｂ】図２８Ａのカートリッジの等角投影ゴースト像である。
【図２９Ａ】第一の位置にある別のコンベヤー手段の断面図である。
【図２９Ｂ】第一の位置にある図２９Ａのコンベヤー手段の等角投影図である。
【図２９Ｃ】第二の位置にある図２９Ａのコンベヤー手段の断面図である。
【図２９Ｄ】第二の位置にある図２９Ａのコンベヤー手段の等角投影図である。
【図３０Ａ】第一の位置にあるコンベヤー手段の他の別の形状を断面で示す。
【図３０Ｂ】第二の位置にある図３０Ａのコンベヤー手段の前記別の形状を示す。
【図３１】器具の容積測定の注入室と組み合わせた本発明のカートリッジの変形を部分断面で示す。
【図３２】駆動軸結合端部と共に、コンベヤー円盤の別の形状の等角展開図である。
【図３３Ａ】本発明の第一実施例の第一の態様による、コーヒー豆を保持しかつ供給する第二のコーヒー豆包装カートリッジの断面を示す。
【図３３Ｂ】ノッチ、プランジャー、リッジ、及び容器を断面で示す。
【図３３Ｃ】第一の態様による、第二のコーヒー豆包装カートリッジの変形例を示す。
【図３４】本発明の第一実施例の第二の態様による、コーヒー豆を保持しかつ供給する第二のコーヒー豆包装カートリッジを断面で示す。
【図３５】本発明の第一実施例の第三の態様による、コーヒー豆を保持しかつ供給する第二のコーヒー豆包装カートリッジを断面で示す。
【図３６Ａ】本発明の第一実施例の第四の態様による、可動構造が第一の位置にある、コーヒー豆を保持しかつ供給する第二のコーヒー豆包装カートリッジを断面で示す。
【図３６Ｂ】本発明の第一実施例の第四の態様による、可動構造が第二の位置にある、コーヒー豆を保持しかつ供給する第二のコーヒー豆包装カートリッジを断面で示す。
【図３７Ａ】コーヒー調製器具に装着された、本発明の第二の実施例による第二のコーヒー豆包装カートリッジの斜視図を示す。
【図３７Ｂ】コーヒー調製器具から接続を外された、図３７Ａに示す第二のコーヒー豆包装カートリッジの斜視図を示す。
【図３７Ｃ】コーヒー豆を保持している、図３７Ａに示す第二のコーヒー豆包装カートリッジの断面を示す。
【図３７Ｄ】コーヒー豆をコーヒー調製器具に供給している、図３７Ａに示す第二のコーヒー豆包装カートリッジの断面を示す。
【図３８Ａ】コーヒー調製器具に装着されている、本発明の第三実施例による第二のコーヒー豆包装カートリッジの斜視図を示す。
【図３８Ｂ】コーヒー豆を保持している、図３８Ａに示す第二のコーヒー豆包装カートリッジを示す。
【図３８Ｃ】コーヒー豆をコーヒー調製器具に供給している、図３８Ａに示す第二のコーヒー豆包装カートリッジを示す。
【図３９Ａ】本発明の第四実施例による第二のコーヒー豆包装カートリッジの斜視図を示す。
【図３９Ｂ】本発明の第四実施例による第二のコーヒー豆包装カートリッジの別の斜視図を示す。
【図３９Ｃ】図３９Ａ及び図３９Ｂに示す第二のコーヒー豆包装カートリッジによって、どのようにコーヒー豆が、使用中に、コーヒー調製器具に供給されるかを示す。
【図４０Ａ】コーヒー豆供給モードで、本発明の第五実施例による第二のコーヒー豆包装カートリッジの第一モジュールと第二モジュールがどのように互いに結合されなければならないかを斜視図で示す。
【図４０Ｂ】コーヒー豆供給モードで、第二のコーヒー豆包装カートリッジの第一及び第二モジュールが互いに結合された、図４０Ａに示す第二のコーヒー豆包装カートリッジの斜視図を示す。
【図４０Ｃ】コーヒー調製器具に装着された図４０Ａに示す第二のコーヒー豆包装カートリッジの斜視図を示す。
【図４０Ｄ】コーヒー豆再充填モードで、図４０Ａに示す第二のコーヒー豆包装カートリッジの第一モジュールと第二モジュールがどのように互いに結合されなければならないかを斜視図で示す。
【図４０Ｅ】コーヒー豆再充填モードで、第二のコーヒー豆包装カートリッジの第一及び第二モジュールが互いに結合された、図４０Ａに示す第二のコーヒー豆包装カートリッジの斜視図を示す。
【図４０Ｆ】第二のコーヒー豆包装カートリッジはどのようにコーヒー豆で再充填されるかを示す。
【図４１Ａ】複数の区画を備えた第二のコーヒー豆包装の断面の側面図で概略を示す。
【図４１Ｂ】複数の区画と注入デバイスを有するコーヒー豆包装の展開図を斜視図で示す。
【図４２】複数の区画、注入デバイス、及び対応する作動素子を備えたコーヒー豆包装を示す。
【図４３】閉鎖を備えたコーヒー豆包装を示す。
【図４４Ａ】コーヒー豆包装とその包装から切り離した注入デバイスの断面の側面図で概略を示す。
【図４４Ｂ】コーヒー豆包装及び注入デバイスの展開図を、斜視図で示す。
【図４５Ａ】注入デバイスを備えたコーヒー豆包装の断面の側面図で概略を示す。
【図４５Ｂ】注入デバイスを備えたコーヒー豆包装の展開図を斜視図で示す。
【図４６Ａ】注入方法の各工程を略図的に示す。
【図４６Ｂ】注入方法の各工程を略図的に示す。
【図４６Ｃ】注入方法の各工程を略図的に示す。
【図４６Ｄ】注入方法の各工程を略図的に示す。
【図４６Ｅ】注入方法の各工程を略図的に示す。
【図４６Ｆ】注入方法の各工程を略図的に示す。
【図４６Ｇ】注入方法の各工程を略図的に示す。
【図４６Ｈ】注入方法の各工程を略図的に示す。
【図４６Ｉ】注入方法の各工程を略図的に示す。
【図４６Ｊ】注入方法の各工程を略図的に示す。
【図４６Ｋ】注入方法の各工程を略図的に示す。
【図４６Ｌ】注入方法の各工程を略図的に示す。
【図４６Ｍ】注入方法の各工程を略図的に示す。
【図４６Ｎ】注入方法の各工程を略図的に示す。
【図４６Ｏ】注入方法の各工程を略図的に示す。
【図４６Ｐ】注入方法の各工程を略図的に示す。
【図４６Ｑ】注入方法の各工程を略図的に示す。
【図４６Ｒ】注入方法の各工程を略図的に示す。
【図４６Ｓ】注入方法の各工程を略図的に示す。
【図４６Ｔ】注入方法の各工程を略図的に示す。
【図４６Ｕ】注入方法の各工程を略図的に示す。
【図４６Ｖ】注入方法の各工程を略図的に示す。
【発明を実施するための形態】
【実施例１】
【００７３】
図１は、コーヒー飲料を調製する装置１を示す。装置１は第一のコーヒー豆包装カートリッジ３とコーヒー調製器具４を含んでいる。第一のコーヒー豆包装カートリッジ３は、取り外し可能にコーヒー調製器具４に接続されている。図２は第一のコーヒー豆包装カートリッジ３が装着されていないコーヒー調製器具を示している。第一のコーヒー豆包装カートリッジ３はコーヒー豆を収容する内部容積と流出孔を有している容器７を有している。これらのコーヒー豆は焙煎され、大抵、焙煎した半分豆を含む。好ましくは、第一のコーヒー豆包装カートリッジ３は、コーヒー調製器具４に配置する前に、気密に及び／又は真空下で密封されている。また、第一のコーヒー豆包装カートリッジ３は使い捨ての包装にして、それが空になった後で捨てることができる。
【００７４】
次に図３Ａを見ると、コーヒー飲料装置１がより詳細に示されている。第一のカートリッジはコーヒー豆を容器７（図３では部分的に示されている）の内部容積から第一のカートリッジ３の流出孔２９へ移送することができる移送手段６を有する。コーヒー調製器具は、移送手段によって流出孔２９に向けて移送されるコーヒー豆を受けるための流入孔９を備えている。流出孔２９は、コーヒー調製器具４のコーヒー豆流入孔９の上に延在している。
【００７５】
容器７の下部は、移送手段６の一部分を形成するじょうご８を含む。第一のコーヒー豆包装カートリッジ３の豆は、じょうご８によってカートリッジの流出孔２９に向かって導かれる。移送手段は更に幾つかの柔軟性の羽根１３を有する羽根車１１を有している。移送手段を駆動すると、この実施例では、垂直方向に延在する第二の軸１９の周りを羽根車を回転して、コーヒー豆を流出孔２９に向けて移送させる。
【００７６】
装置は更に第一注入デバイスを有し、この注入デバイスは好ましくはモーターによって駆動され、所定の注入量のコーヒー豆を第一のコーヒー豆包装カートリッジからグラインー及び計量室１５に提供しかつ供給する。計量室は、第一のカートリッジの一部である第一室部分２３と、コーヒー調製器具の一部である第二室部分２５に分けられる。第一室部分は第二室部分の上に位置している。第一室部分はカートリッジの流出孔２９を有し、第二室部分はコーヒー器具の流入孔を有している。第一室部分は、コーヒー豆を通過させて計量室に入れるための入力開口２１を有する直立した側壁３２を備え、前記コーヒー豆は移送手段によって第一のカートリッジの流出孔に向って移送させられる。移送手段はしたがって移送手段を駆動すると、コーヒー豆をコーヒー飲料装置１の計量室１５に向けかつその内部に移送するように構成されている。この駆動は、コーヒー器具の第一のモーター１７によって垂直軸１９に沿って延在するコーヒー器具の駆動軸１８を駆動して、行われる。この駆動により、羽根車１１及び羽根１３は第二垂直軸１９の周りを回転する。このように、コーヒー豆は水平方向に計量室１５の入力開口２１へ駆動される。第一のカートリッジには縁部２２を通り抜ける漏れがあり、羽根車１１が回転しないときに、計量室１５内にコーヒー豆が制御されずに入るのを回避している。計量室１５は第一のカートリッジ３内に第一室部分２３と、調製器具４内に第二室部分２５を有している。計量室の基部２６は、少なくともコーヒー豆を挽くグラインダー２８の一部である下部部分２７を有する。コーヒー豆は第一室部分２３を、したがって、第一のカートリッジ３の流出孔２９を介して第一のカートリッジ３を出て、第二室部分２５に、したがって、流入孔９を介してコーヒー調製器具に入る。計量室の大きさは、頂部壁３１、下部２６及び直立した側壁３２によって限定される。直立した側壁３２は、第一室部分の直立した側壁３４と第二室部分の直立した側壁３３を含む。第二室部分は、計量室の容積の約１００−Ｘ％を有し、第一室部分は、計量室の容積の約Ｘ％であり、ここで、Ｘは２〜５０の範囲、好ましくは５〜４０の範囲、より好ましくは１５〜３０の範囲にある。このように、この実施例の第一注入デバイスは、（移送手段のような）第一のコーヒー豆包装カートリッジの部分と前述した調製器具（例えばその計量室の（部分））の関連部分の組み合わせによって設けられる。代わりに、第一注入デバイスは、コーヒー調製器具の複数の部分によって完全に形成することができる。
【００７７】
計量室の下部２７は、下部部分が垂直軸３５に直角にかつ垂直軸３５から離れる方向に下方に延在する円錐形である。この実施例において、グラインダー２８は第二室部分２５に対して中心に配置される。ここで図３Ｂ及び図３Ｃを参照して、グラインダーについて詳細に説明する。グラインダーは、第二のモーター（グラインダー駆動モーター）１０１とセラミックか鋼鉄でよい上部粉砕円盤／輪１０２を有する。上部粉砕円盤／輪はその位置に回転可能に固定される。更に、計量室の第二の室１０３が（図３Ａにおいて符号２５で引用）図示され、それは注入用じょうごとして動作する。グラインダーは、また、消費者によって設定される粉砕の細かさを調節するための手動調節ロック１０４を有する。このキーを回すと、上部粉砕円盤１０２は下部粉砕円盤／輪１０９に関して上又は下に動く。調節用ロックが動作されると、上部粉砕円盤は上下に動き、下部粉砕円盤は所定位置に留まっている。このようにして、粉砕円盤の出口の粉砕寸法、すなわち、ここで、それらはほとんどグラインダーの外側で接する、が決定される。グラインダーは更に、円形移送路１１０から挽いたコーヒーシュート１０６への挽いたコーヒーに対する出口位置１０５を有する。挽いたコーヒーシュートは、挽いているときに上部で開いていて、シュートのちょうど下に配置されたコーヒー調製器具の調製デバイス４６へ下方に向いたじょうご状である。回転駆動コーン１０７（図３で計量室の円錐形２７を有する下部部分として言及した）は、主駆動軸１０８上に固定される。このコーンは、計量室から上部粉砕円盤１０２と下部粉砕円盤１０９、これらはセラミック又は鋼でよい、からなる粉砕部への豆の移動及び誘導を確実にする。上部粉砕円盤１０２及び下部粉砕円盤１０９は、従来技術で周知のように、コーヒー豆を粉砕するのに適切なぎざぎざが付けられた形状を有している。主駆動軸は、下側粉砕円盤１０９と回転駆動コーン１０７を駆動する。円形の移送チャンネル１１０が形成されていて、これは上部及び下部粉砕円盤の間の隙間から出る挽いたコーヒーを出口位置１０５へ移送させる。チャンネルの形状は「非汚染」グラインダーをもたらすが、そこで、粉砕が終了した後で、事実上コーヒー豆／挽いたコーヒーが残らない。更に、グラインダーはモータートランスミッション／ギア１１１及びコーン突出部１１２を有して、豆を粉砕円盤間で推し進める。
【００７８】
下部粉砕円盤１０９は回転駆動コーン１０７の周りに延在し、上部粉砕円盤１０２は下部粉砕円盤１０９の上に延在する。グラインダーはモーター１０１によって回転駆動されて、駆動コーン１０７と下部粉砕円盤１０９の回転を生じさせる。コーン突出部１１２の形状のため、駆動コーン１０７と下部粉砕円盤を駆動したとき、コーヒー豆は、下部粉砕円盤１０９と上部粉砕円盤１０２との間を外方向に延在する半径方向に動かされる。下部粉砕円盤１０９と上部粉砕円盤１０２間の垂直距離は外方向に延在する半径方向で減少しているので、豆は砕かれ、切断されて挽いたコーヒーになる。
【００７９】
説明したように、グラインダー２８は挽いたコーヒーをコーヒー調製器具のコーヒー調製デバイス４６（略図的に図３に示されている）に供給する。コーヒー調製デバイスは、挽いたコーヒーからコーヒー飲料を抽出するために水の供給を受けるように構成されている。コーヒー飲料はコーヒー調製器具から、コーヒー飲料出口３７からカップ又は同様の家庭の容器に注がれる。給水は、エスプレッソの種類のコーヒーに対しては圧力を掛けてコーヒー調製デバイスに水を供給するように構成することができ、或いは、コーヒー調製デバイスで形成される抽出装置にドリップ供給することができる。
【００８０】
コーヒー飲料装置を操作する前に、使用者は、第一のコーヒー豆包装カートリッジ３をコーヒー調製器具４に接続しなければならない。図４ないし９は、この目的に使用されるコーヒー飲料装置の接続手段の実施例を図示している。
【００８１】
ここで、図４を参照すると、接続手段はコーヒー調製器具４の上側５２に凹部５０を有している。凹部５０はコーヒー調製器具４の上側から突出する側壁５４によって囲まれている。使用者は、コーヒー豆包装カートリッジの下側にある図５Ａ、５Ｂ、６Ａ、６Ｂ、６Ｃ、７Ａ、７Ｂ、７Ｃ、８および９に示す対応部品を、その凹部に配置しなければならない。第一のコーヒー豆包装カートリッジの差込み素子は後述するが、その差込み素子は凹部５０の側壁５４内の対応する開口５８内に配置しなければならない。使用者は、それから、第一のコーヒー豆包装カートリッジが更に回転するのを妨げる阻止要素５６に達するまで、第一のカートリッジを５０度以上回転させる。この位置で、第一室部分２３の流出孔２９は、第二室部分２５のコーヒー入口９と整合する。第一のカートリッジ３をコーヒー調製器具から取り去ると、その器具内の第二室部分２５は、器具閉じ板５１（図４Ｂ）によって閉じられる。その器具閉じ板は、第一のカートリッジの首部の突起１６８６（図６Ｃ）によって駆動されていて、その突起は、第一のカートリッジが凹部５０の側壁５４内の開口５８内に置かれると、器具閉じ板の上の鍵穴５３に入り込む。使用者が設置の際に第一のカートリッジを５０度以上の角度で回転すると、消費品の閉じ円盤も器具の閉じ板も同時に開く。
【００８２】
羽根車１１の適切の形状が図５Ａ及び図５Ｂにやや詳細に示されている。周囲の開口と半径方向に伸びる羽根１３の間にコーヒー豆がロックされることによって、羽根車１１が動かなくなるのを防ぐために、そのような羽根１３は、好ましくは弾性材料で作られる。全体の羽根車１１を曲がりやすい弾性材料で作ることもできる。羽根車１１は、コーヒー調製器具の駆動軸端部１５７３と係合可能な中空のハブを有している。駆動軸端部１５７３は、対応する突起部又は中空のハブ１５７１のキーと係合する多くのキー１５７５（好ましくは、４、６、又は８）を有することができる。器具の上に第一のカートリッジを置いたときに、羽根車１１及び駆動軸端部の係合を容易にするために、駆動軸端部１５７３と中空ハブ１５７１間でキーの数は異なるかもしれない。図５Ａに図示するように、羽根１３は羽根車１１の周縁まで伸びていないが、これは、豆が羽根１３と周囲の開口との間に詰まるのを防ぐことができる。前に述べたように、羽根は弾性材料でもあるし、羽根により柔軟性を与えるために、隙間１５７９を残すことによって羽根を羽根車基部１５７７に取り付けないのも都合がよい。計量室を充填するために、羽根車１１の約１５回転で普通は十分である。しかし、悪条件でも充填を確実にするために、合計で３０又は２５回の多少余分の回転を考慮するのが都合がよいであろう。注入容積を充填するために、羽根車基部１５７７（底面）及び羽根１３を有する搬送羽根車１１は、１００ないし５００ｒｐｍ、好ましくは２５０ないし３００ｒｐｍの範囲の回転速度で回転させられる。羽根車の基部１５７７の回転及び羽根の回転で生じる遠心力によって、コーヒー豆は、外向きに計量室の入力開口２１に向かって駆動される。注入容積の充填が達成されると、器具は羽根車１１の駆動から、グラインダーの駆動に切り替わる。羽根車１１が静止されると、計量室は徐々にグラインダーに注ぎ込む。羽根車１１は動作していないので、また、縁部２２を通り抜ける漏れのために、豆は容器７から脱出しない。このように、第一注入デバイスは調製器具によって完全に制御されて、所定の注入量のコーヒー豆をグラインダーに与える。
【００８３】
図６Ａ、６Ｂ及び６Ｃを参照すると、第一のコーヒー豆包装カートリッジ３の実施例が、展開した配列で、斜視図で示されている。第一の包装カートリッジはコーヒー豆の内部容積を画定する容器７を含んでいる。容器７は好ましくは透明な材料で作られ、そのためその中身を見ることができる。選択的には、容器７は外側のスリーブ１６３２によって部分的に覆われ、そのスリーブは内部のコーヒー豆の種類の記載の印刷もでき、又、容器７の透明な部分を見せる窓を設け、或いは開口することもできる。容器７はその下端部に、コーヒー調製器具３の凹部５０の側壁５４にある開口５６に結合するために、取り付け構造１６８３、１６８５を設けることもできる。容器７の開放基部端部に挿入されるのは閉じ部材１６３３である。この閉じ部材１６３３はコーヒー豆を羽根車１１と基部フランジ１６３６に向けて導くためのリブ付じょうご８を有する。回転可能な閉じ円盤１６３５は、閉じ部材１６３３の基部フランジ１６３６に対して回転可能に接続できる。閉じ部材１６３３及び回転可能な閉じ円盤は共に第一のカートリッジとコーヒー調製器具との間の接合部を形成する。組み立てた第一のカートリッジは、容器７の周縁部に取り付ける密封皮膜１６８１によって大気による劣化に対して密封することができる。密封部材及びバリア膜１６８１は、焙煎したての豆から第一の包装カートリッジの外へ出てくるガスからの余分な圧力を逃がすために、従来の一方向圧力逃がし弁を備えることもできる。好ましくは、そのような逃がし弁は、膨脹による容器の変形を防ぐために、０．１バールから０．５バールの範囲の圧力で開かなければならない。調製器具に第一のカートリッジを配置する前に、密封皮膜１６８１の除去を容易にするために、引抜きタブ１６８２を設けることができる。
【００８４】
第一のカートリッジの基部部分を形成する接合部分は、図７Ａ、図７Ｂ及び図７Ｃに詳細に、分離して示されている。図７Ａの展開図に見られるようにじょうご８のリブは、コーヒー豆がじょうご８の表面に付くのを防ぐのに役に立つ。
【００８５】
じょうご８の上の一連のリブ間の間隔を適切にして、豆とじょうご表面との間の接触面積を最小にすることができる。当業者は分かるように、そのようなリブ付けは、接触面を減少させるための各種の方法の一つに過ぎず、突出する隆起は一様に効果がある。また、じょうごに付ける傾斜は変更されるものであるが、角度は３０度を上回り９０度以下で効果的であることが分かった。
【００８６】
回転可能な閉じ円盤１６３５は開口１６１２を有し、この開口は適切な回転をすると、閉鎖部材１６３３（図７Ｂ参照）の流出孔２９と整合することができる。閉じ円盤１６３５はその上面に、そこから突出する第一の戻り止め１７０１と第二の戻り止め１７０３（図７Ｃ参照）を有する。第一の支台は、それぞれ半円スロット１７０５及び１７０７に隣接する。さらに、回転可能な閉じ円盤１６３５の上面から突出する第一の支台１７０９及び第二の支台１７１１が流出孔２９について回転移動を制限する。更に、閉じ部材１６３３の基部突縁１６３６の下部面に、第一の一対のラッチ・アーム１７１３及び第二の一対のラッチ・アーム（図示せず）が設けられている。第一の対の柔軟なラッチ・アーム１７１３は、回転可能な閉じ円盤１６３５が閉じ位置で、第一の戻り止め１７０１と協働するように配置されている。第二の戻り止め１７０３及び第二の対の柔軟なラッチ・アームも、閉じ円盤１６３５の閉じ位置で共に作動するが、これは任意的なものである。
【００８７】
図８を参照すると、第一の戻り止め１７０１が、どのように柔軟なアームの第一部分の収束する柔軟なアーム１７１３Ａ及び１７１３Ｂの後ろに拘束されているかを示している。戻り止め１７０１の位置は、図８に示すように、閉鎖部材１６３３に関して矢印１７１７の方向に閉じ円盤１６３５を回転することから生じている。反対方向の矢印１７１９の方向への回転は、第一の戻り止め１７０１に係合する柔軟なアーム１７１３Ａ及び１７１８Ｂによって効果的に阻まれている。したがって、第一のカートリッジが、図８の部分断面で決まるような閉じ位置に在ると、豆をこぼす恐れなしに、器具から取り外すことができる。また、ラッチ式の構成は、カートリッジが閉じ円盤１６３５の回転によって誤って開かないことを確実にする。
【００８８】
図９に示すように、コーヒー調製器具の一部分である解除要素１７２１は、第一のカートリッジが器具上に配置されたときに、矢印１７２３の方向へ半円形スロット１７０５を通して係合させることができる。解除要素１７２１はＶ形の上部輪郭を有していて、第一の対の柔軟なアーム１７１３の柔軟なアーム１７１３Ａ及び１７１３Ｂを離れさせる。これは、それで第一の戻り止め１７０１を広げられた柔軟なアーム１７１３Ａと１７１３Ｂの間を通過させて、閉じ円盤１６３５を矢印１７１９の方向へ回転させる。この回転する動きは、器具に対して第一のカートリッジを手動で回転させて容器７の差込み素子１６８３、１６８５を調製器具の対応する差込み素子５６に係合させて得られる。
【００８９】
第二の対の柔軟なラッチ・アームに関しての第二の戻り止め１７０３の動作は同じであり、任意選択的に設けられるならば、コーヒー調製器具に係合しない場合に、誤って開けることに対して更に保護を与える。
【００９０】
再び図４を見ると、凹部５２はその中心に回転可能な突出端５９を有し、これらは、第一のモーター１７によって駆動される駆動軸１８の端部に配置されている。これらの突出端上に、第一のカートリッジ３の基部部分にある対応する開口１７１６が配置される。これらの開口１７１６は、羽根車１１の基部側に、一連の突起部１２によって形成される（図５Ｂ参照）。第一のカートリッジがコーヒー調製器具に接続されると、その開口１７１６は突出端５９を受け入れる。したがって、突出端５９を回転することによって、羽根車１１も回転する。
【００９１】
凹部５２の直立した側壁５４は、図１及び２に示すように、ハウジング５５によって囲むことができる。
【００９２】
コーヒー調製器具は、図３Ａに略図的に示すように、注入（第一のコーヒー豆包装カートリッジが接続される場合）、粉砕及び調製工程を制御する、好ましくはマイクロプロセッサである制御デバイス・ユニット４０を有している。これに、コーヒー豆包装カートリッジ３のバーコード又はＲＦＩＤラベルのような識別要素を検出するための検出手段として動作するセンサーに制御装置を接続することができる。それにより、制御デバイス・ユニットは第一のコーヒー豆包装カートリッジ３の存在又は除去を検出するだけでなく、その内容についての情報及び／又は第一のカートリッジ３を特定する識別子を受け取ることができる。好ましくは、その制御ユニットは、センサーによって読まれた識別子に基づいて注入（第一のコーヒー豆包装カートリッジが接続される場合）、粉砕及び調製（水の供給を含む）を制御する。したがって、制御デバイス・ユニットが、第一のカートリッジ３によって示された特定のコーヒー豆製品に従って、注入、粉砕及び調製を調節することができる。そのような情報は、第一のカートリッジ上の識別要素によって制御ユニットに供給することができる。
【００９３】
代わりに、図４Ｃ、６Ｄ及び１０に図示するように、センサーは、コーヒー調製器具に対して第一のコーヒー豆包装カートリッジの存在及び除去を単に検出するようにされている。この目的に使用するセンサーは、コーヒー調製器具４の上側から突出する側壁５４内の第一水平部分６２及び第二水平部分６４の後ろに隠されているマイクロスイッチ６０とすることができる。これで、マイクロスィッチを指や他の物で作動させるのを防ぐことができる。第一のカートリッジをその最終位置に回転してコーヒー調製器具に接続したときに、第一のカートリッジ３の大きな差込み素子１６８３の下の突出部１６８７（図４Ｃ参照）はマイクロスイッチを作動する。突出部１６８７は、水平壁セグメント６２、６４間の隙間にぴったり適合する。これは、制御装置に信号を送って、第一のカートリッジが正しくコーヒー調製器具に接続されていることを示す。第一のカートリッジ３がコーヒー調製器具４に正しく接続されていることが検出されたときのみ、制御装置は注入、粉砕及び調製工程を作動させることができる。
【００９４】
実施例によれば、制御デバイス又は制御装置はこれらの工程を次のように制御する。第一工程で、計量室はコーヒー豆で十分に充填される。それに加えて、制御装置は第一のモーター１７を制御して移送手段を駆動する。移送手段は、計量室をコーヒー豆で充填するのに必要とする時間よりも長い時間駆動される。第一工程のこの例では、移送手段は、計量室を完全に充填、あるいは、少なくとも実質的に完全に充填（少なくとも実質的には、例えば９０％を超えることを意味する）するのに必要な時間よりも長い時間駆動される。それが可能なのは、柔軟な羽根１３を使用しているからである。計量室は、８０〜１６０ｍｌのコーヒーからなる１杯のコーヒーのような１人前のコーヒー飲料を作るのに好ましくは必要とするコーヒー豆の注入量に対応するコーヒー豆の一部を受けるようにされている。充填された計量室は、この例では、１注入分のコーヒー豆を有する。１注入分のコーヒー豆は５ないし１１、好ましくは６ないし８グラムのコーヒー豆を含む。
【００９５】
それから、第一の工程の終了後の第二の工程では、制御装置は第二のモーター１０１を作動してグラインダーを作動する。グラインダーは、計量室を空にし、かつ第一の工程の期間中に計量室に受け取られたすべてのコーヒー豆を挽くのに要する時間よりも長い時間作動される。この例では、第二の工程で、グラインダーは、計量室を完全に空に、あるいは、少なくとも実質的に完全に空にする（少なくとも実質的に完全に空にするは、例えば９０％を超えることを意味する）に必要な時間よりも長い時間駆動される。
【００９６】
最後に、第二の工程の完了後に続く第三の工程で、制御装置は、挽いたコーヒー及び加熱した水に基づいて、調製デバイスを制御してコーヒーを調製する。
【００９７】
装置は、更に一つ以上の挿入部品を備え、これらの挿入部品はコーヒー豆包装カートリッジの代わりにコーヒー調製器具に接続することができる。第一の種類の挿入部品１１００は図１１Ａに描かれている。それはリング形状の構成要素で、その外側表面に差込み素子１６８３、１６８５及びマイクロスィッチを作動させる突出部１６８７を備えている。それは、コーヒー豆包装カートリッジと同様にコーヒー調製器具に接続することができ、すなわち、差込み素子を、最初の位置で凹部５０の側壁５４内の対応する開口５８に配置し、それから最終位置に達するまで挿入部品を５０度以上回転することによって接続される。挿入部品をコーヒー調製器具に接続すると、突出部１６８７によって対応するマイクロスィッチの作動が制御装置に、デバイスがコーヒー調製器具に接続されたことを知らせる。制御装置は、マイクロスィッチの作動がカートリッジによってか、あるいは挿入部品によってなのかは識別しない。したがって、挿入部品１１００が、図１１Ｂに示すように、最終位置でコーヒー調製器具に接続されると、制御装置は、あたかもコーヒー豆包装カートリッジが飲料調製器具に接続されているかのように、粉砕及び調製工程並びに選択的に注入工程を作動する。ところで、第一の種類の挿入部品１１００は、コーヒー調製器具を「解除」するのに使用することもできる。
【００９８】
別の実施例では、挿入部品は前述したようにリング形状の構成要素で、じょうごと一体に設けられ、挿入部品が調製器具に接続されたときに、使用者が手作業でコーヒー豆又は挽いたコーヒーをじょうご内に供給することができる。
【００９９】
図１２Ａは第二の種類の挿入部品１２００を示し、それはコーヒー調製器具に接続することができる。それはコーヒー豆の１注入分に対応する寸法の空洞１２１０を有する。挿入部品は、図７ＡないしＣ、８及び９に関連して前述したように、コーヒー豆包装カートリッジ内に同じように配列された閉じ部材と閉じ円盤を有する。図１２Ｂに示すような最初の位置で、挿入部品は差込み素子と一緒に凹部に配置されると、空洞１２２０はその底部で閉じられる。この位置で、使用者は空洞をコーヒー豆で、好ましくは、容易に流れるので、挽いて圧縮した豆又は被覆して圧縮し挽いた豆で充填する。次いで、挿入部品１２００は、図１２Ｃに示すような最終の位置まで、使用者によって回転され、これにより、空洞のコーヒー豆の出口が開き、その出口をコーヒー調製器具のコーヒー豆の入口と整合させる。その結果、１注入分のコーヒー豆がコーヒー調製器具に落ち込み、粉砕される。この状態で、装置は注入をするために動作する必要はなく、それはコーヒー豆の注入は、例えば、手作業で空洞内に供給されるからである。装置の注入作用を作動させないために、制御装置は、挿入部品のバーコード又はＲＦＩＤラベルのような識別要素を検出するための検出手段として働くセンサーに結合させることができる。これにより、制御デバイス・ユニットは、注入の作動又は制御ではなく、センサーによって読まれた／読まれる識別子に従って粉砕及び調製（水の供給を含む）のみを作動又は制御する必要がある、という情報を受け取ることができる。
【０１００】
図１３ないし１６に、第一のコーヒー豆包装カートリッジが、移送手段又はコンベヤー手段の可能な実施例と共に説明されている。そのような第一のコーヒー豆包装カートリッジ及びコーヒー調製器具からなる装置は所定の量のコーヒー豆を第一のカートリッジからコーヒー調製器具へ移送する注入デバイスを提供する。コーヒー豆は流出孔を介して第一のカートリッジを出てコーヒー豆入口を介してコーヒー調製器具に入る。別の場合は、注入デバイスコーヒー調製器具だけの部分であるか、又は完全にカートリッジ内に構成（後述する）することもできる。コーヒー調製器具には、前述したように、第一のカートリッジからコーヒー調製器具へ移送されるコーヒー豆を粉砕する粉砕メカニズムが設けられる。コーヒー豆の移送経路は、粉砕メカニズムのコーヒー豆入口とコーヒー豆の供給開口との間に延在している。粉砕メカニズムは挽いたコーヒーをコーヒー調製デバイスに供給する。挽いたコーヒーの移送経路は、粉砕メカニズムの挽いたコーヒー出口とコーヒー飲料調製デバイスとの間に延在する。コーヒー調製デバイスは水の供給を受けて、挽いたコーヒーからコーヒー飲料を抽出するように構成されている。コーヒー飲料はコーヒー調製器具から、コーヒー飲料出口からカップ又は同様の家庭の容器に注がれる。給水は、エスプレッソの種類のコーヒーに対しては圧力を掛けてコーヒー調製デバイスに水を供給するように構成することができ、或いは、コーヒー調製デバイスで形成される抽出装置にドリップ供給することができる。
【０１０１】
図１３Ａに示す第一のカートリッジの例において、第一のカートリッジのコンベヤー又は移送手段をコーヒー調製器具の回転する動力手段に駆動的に結合するようにした結合手段１０１７１が設けられている。コンベヤー手段１０１６９は第一のカートリッジの外部で回転可能に駆動され、コーヒー豆を第一のカートリッジ１０１０３のコーヒー豆流出孔１０１１１に向けて移送するようにされている。コンベヤー手段は、このように注入デバイスの部分を形成する。
【０１０２】
この例において、結合手段１０１７１は、豆コンベヤー手段１０１６９に取り付けられ、第一のカートリッジ１０１０３の下部１０１５１の中央開口１０１７３を通して延在する駆動ハブ１０１７１を有する。駆動ハブ１０１７１は、飲料装置から又飲料装置内へ延在する駆動軸１０１７２に結合され、かつ回転され、かつその駆動ハブは第一モーターの手段によって回転することができる。コーヒー豆カートリッジ１０１０３はボトル状の容器１０１３１と閉鎖部材１０１３３を有する。閉鎖部材１０１３３は、図１を参照して記載したような飲料装置と協同するためのコーヒー豆の出口１０１１１を画定する流出孔を備えている。容器１０１３１は内部容積１０１３５と、容器１３１に対する首部開口１３９を画定する首部１０１３７とを画定する。首部１３７は円筒状内側スリーブ１０１４１と円筒状外側スリーブ１０１４３を有し、それらの間に環状溝１０１４５を画定する。外側の円筒状スリーブ１０１４３に外側雄ねじ山１０１４７が設けられている。外側の円筒状スリーブ１０１４３と容器１０１３１の主要部分との間に、半径方向に延在する環状リッジ１０１４９が設けられている。
【０１０３】
閉鎖部材１０１３３は実質的に平面な下部１０１５１と周囲外壁１０１５３を有する。
周囲外壁１０１５３は周囲開封ストリップ１０１５５を備え、この開封ストリップは、弱化環状線１０１５７によって周囲外壁１０１５３に接続されている。開封ストリップ１０１５５は、更に手で掴むことができる引抜きタブ１０１５９を備えている。
【０１０４】
閉鎖部材１０１３３は、更に第一の円筒内壁１０１６１と、円筒内壁１０１６１と周囲外壁１０１５３との間に同心円上に第二の円筒内壁１０１６３を有している。第二の円筒内壁１０１６３は周囲外壁１０１５３より僅かに低く、第一の円筒内壁１０１６１よりは高い。図１３Ｃに最もよく見られるように、第二の円筒内壁１０１６３は、その内面に雌ねじ山１０１６５を有し、容器の首状部分１０１３７の雄ねじ１０１４７と協同するようにされている。第一の円筒内壁１０１６１は、その内面に周辺開口１０１６７を備えていて、コーヒー豆の出口１０１１１と連通している。周辺開口１０１６７はコーヒー豆出口１０１１１と空洞によって連通しているが、その空洞は第一のカートリッジの下部１０１５１の上のコーヒー豆柱状部に対して半径方向外方にずれている。この配列は、コーヒー豆が制御されない態様で豆出口１０１１１への道を探るのを防いでいる。
【０１０５】
閉鎖部材１０１３３の下部１０１５１と第一の円筒内壁１０１６１とで画定される部屋の内に、コンベヤー円盤１０１６９として実施している豆コンベヤー手段は回転可能に構成されている。第一のカートリッジは、コンベヤー手段１０１６９をコーヒー調製器具の第一のモーターに駆動的に結合するようにされた結合手段１０１７１を備えている。この例では、結合手段は、豆コンベヤー円盤に取り付けられていて、下部１０１５１内の中央開口１０１７３を貫通して延在する駆動ハブ１０１７１を有する。駆動ハブ１０１７１は、図１の飲料装置から延在する駆動軸１０１７２に結合され、かつ駆動され、そして、モーターによって回転することができる。そのような駆動軸やその接続は当業者に周知であるので、更に説明は必要ではないと考える。コンベヤー円盤１０１６９は、更にその外周上に、少なくとも１回転位置で周辺開口１０１６７を閉じるための閉じフラップ１０１７５を備えている。閉じフラップ１０１７５は比較的に移動可能な閉じ手段で具体化される。駆動ハブ１０１７１は、更に軸方向にかつ上方向に延在する穴開けピン１０１７７を設けることができる。更に、コンベヤー円盤は、上方に凸形状にすることができ、コーヒー豆をコンベヤー円盤の周縁に向けて搬送するのを促進している。そのような形状は、しかし、選択的なもので、他の適当な形状も同様に考えられる。周辺開口１０１６７を閉じるための閉じフラップ１０１７５にとって、単にコーヒー豆の通過を妨げるに必要なもので、それは周辺開口１０１６７がフラップ１０１７５によって部分的に遮断されるときには、既に実現されているであろう。しかし、ある時間の間、豆カートリッジを器具から取り出すことができるために、フラップ１０１７５による開口１０１６７の閉鎖が、少なくとも、ある程度、残っているコーヒー豆の中身の劣化を遅らせることが好ましい。従って、フラップは閉鎖部材１０１３３の部分を形成するが、ここで、閉鎖部材は、開口１０１６７を閉じることによって流出孔を選択的に開いたり、閉じたりするため、フラップの形で比較的可動な閉じ手段を有し、ここで、閉鎖状態で、コーヒー豆がカートリッジから脱出することを抑え、好ましくは、ガス状のコーヒー豆の中身が周囲空気中に逃げることを妨げる。
【０１０６】
さらに、また図１３Ｃに最もよく見られるように、第二の円筒内壁１０１６３が、その自由端で内側周辺リッジ１０１７９を設けてある。容器１０１３１の首状部分１０１３７の開口端１０１３９は、密封皮膜１０１８１によって形成される密封手段によって閉鎖することができる。更に、図１３Ｄに最もよく見られるように、閉鎖部材１０１３３は、コーヒー調製器具に接続するための半径方向に延在する差込み素子１０１８３、１０１８５を設けることができる。したがって、差込み素子は、第一のカートリッジをコーヒー調製器具に接続するための接続手段の部分を形成する。当業者は、差込み型の接続（１０１８３、１０１８５のような）の他に、第一のカートリッジ１０１０３をコーヒー調製器具に接続する接続手段として適切な手段が考えられることは理解できるであろう。
【０１０７】
さて図１３Ａ及び図１３Ｂに戻ると、容器１０１３１に対して閉鎖部材１０１３３の２つの軸方向位置が示されている。図１３Ａでは、カートリッジ１０１０３は、使用者に供給される状態が示されている。この状態での購入は、内部容積１０１３５は選択した種類の焙煎したコーヒー豆で十分に充填されている。そのような内容物の特性は、カートリッジ１０１０３の外部に取り付けられた識別要素によって伝えることができる。首状部分の開口１０１３９は密封皮膜１０１８１によって密閉されて、容器１０１３１の内容物が周囲空気によって劣化するのを防止している。密封皮膜１０１８１は、好ましくは外側円筒状スリーブ１０１４３にのみに取付けられる。使用者が、図１３Ｂに示すように、カートリッジ１０１０３を使用状態にしようと思うと、最初に引抜きタブ１０１５９を掴んで開封ストリップ１０１５５を除去しなければならない。弱化線１０１５７により、開封ストリップ１０１５５は閉鎖部材１０１３３から完全に取り去ることができる。これは、コーヒー調製器具に既に接続されているカートリッジ１０１０３で行うことができる。開封ストッリプ１０１５５を除去して、容器１０１３１は、閉鎖部材１０１３３に対して回転することができる。そのような回転は、すなわち時計方向で、雄ねじ及び雌ねじ１０１４７、１０１６５のねじ山が一緒に動作して容器１０１３１と閉鎖部材１０１３２を軸方向で互いに近づける効果を有する。この軸方向の移動によって、穴開けピン１０１７７は密封皮膜１０１８１を突き抜け、そしてその密封皮膜を開口１０１３９にわたって裂き、同時に第一の内側円筒壁１０１６１を、図１３Ｂに示すように首上部１０１３７の環状溝１０１４５内に押し込む。第一の内側円筒壁１０１６１によって具体化されている破裂させ及び移動させる手段による密封皮膜１０１８１の移動は、密封皮膜の周囲をその外側円筒スリーブ１０１４３にのみ取付けることによって促進される。さらに、密封皮膜１０１８１が所定の開封線に沿って裂き開けられるように作られていれば効果的である。そのような所定の開封線は、密封皮膜ホイルの部分的なレーザー切断法によって都合よく作ることができる。密封皮膜１０１８１を除去すると、コーヒー豆をコンベヤー円盤１０１６９上に重力で供給することができる。このように、図１３Ｂに示すように第一のカートリッジ１０１０３は使用状態に作動され、そして調製器具に接続されて、制御デバイスがコンベヤー円盤１０１６９を回転させる。回転期間中、閉じフラップ１０１７５が周辺開口１０１６７をカバーしないとき（図１３Ｃ参照）、コーヒー豆は半径方向外側に運ばれて、コーヒー豆の出口１０１１１を介してコーヒー調製器具の計量室に、又は直接に粉砕機構へ通る。計量室、コンベヤー円盤及びフラップは組み合わせて注入デバイスを形成する。注入デバイスは、コーヒー豆の１注入量に相当するコーヒー豆の一部を受け、それは好ましくは１杯のコーヒー飲料を作るのに必要な量であり、ここで、装置はコーヒー豆をカートリッジから計量室へ移送するように構成されている。注入デバイスは、更に計量室を空にする排出手段を有することができる。
【０１０８】
コーヒー豆が第一のカートリッジから直接に粉砕メカニズムへ移送される場合は、第一のカートリッジのコンベヤー手段及びフラップは、制御ユニットのタイマーと組み合わされて注入デバイスを形成する。その場合、制御ユニットは、所定の時間の間、コーヒー豆をコーヒー調製器具へ移送するタイマーを有することができる。使用中、毎秒当たりの移送されるコーヒー豆の量が分かっている場合は、移送されるコーヒー豆の全量を予め決めることができる。したがって、そのような実施例では、注入デバイスは、コンベヤー手段及び相対的に移動可能な閉じ手段のうちの少なくとも１つを有する。制御手段は計時手段を有し、ここで、制御ユニットは、使用中、所定の量のコーヒー豆を第一のカートリッジからコーヒー調製器具へ移送するための所定の時間、動力手段を動作させ、ここで、好ましくは所定の量のコーヒー豆は、１杯の飲み物を調製するために注入されたコーヒー豆の量に対応する。
【０１０９】
当業者は、調製器具のいろいろな変形において、計量室は、代案として、粉砕メカニズムの下流に配置することもできることは、容易に理解するであろう。後者の場合、コーヒー豆はカートリッジ豆出口１０１１１から粉砕メカニズムに直接入る。
【０１１０】
更に、図１３Ｂに示す作動された状態で、内側周辺リッジ１０１７９は容器の首状部分１０１３７の半径方向に延在する環状リッジ１０１４９の後ろにスナップ式に取り付けられていることが分かる。この位置では雄及び雌ねじ山１０１４７、１０１６５が完全にかみ合ってもいない。それによって、容器１０１３１及び閉鎖部材１０１３３は図１３Ａの位置へ誤って戻ることが妨げられている。それにより、コーヒー調製器具で使用するために作動されたカートリッジに対して、まだ新しくかつ未使用のカートリッジとの間での明瞭な違いがある。図１３Ａないし１３Ｄは、したがって、第一のコーヒー豆包装カートリッジの一実施例を示し、コンベヤー円盤１０１６９を備えた閉鎖キャップ１０１３３、及びボトル状容器１０１３１の直接上にある密封皮膜１０１８１を備えている。第一のカートリッジ１０１０３が既に装置に接続されていて、不正開封がすぐ分かる開封ストリップ１０１５５を除去すると、包装カートリッジは回転（１８０度）によって手動で作動することができる。レーザーで予め切込みされたホイルとすることができるシールは、作動する場合、制御可能に裂いて開けられ、そして押し出されてボトルのリング内の溝１０１４５内へ入る。移動の終わりに、閉鎖キャップ１０１３３の内側リング１０１６３は、環状リッジ１０１４９によって形成された、ボトルの厚い端部の上をはね上がり、もはやそこから除去することはできない、というのは、ねじ山１０１４７、１０１６５はかみ合っていないからである。したがって、逆にねじを回して戻すのは阻止されている。
【実施例２】
【０１１１】
図１４Ａ乃至１４Ｄは第一のコーヒー豆カートリッジ１０２０３の別の実施例を示し、それもまた容器１０２３１と閉鎖部材１０２３３を含んでいる。閉鎖部材１０２３３は、コーヒー豆出口１０２１１を備えた環状基部１０２５１を有している。環状下部１０２５１は、相対的に移動可能な補助の閉鎖部材１０２５６を収容するための中央孔１０２５４を画定している。ボトル状容器１０２３１は、内部容積１０２３５と容器１０２３１の一端に開口１０２３９を画定する首状部分１０２３７とを画定している。第１実施例と同じように、首部１０２３７は中心に配列された内及び外円筒スリーブ１０２４１、１０２４３からなり、その間に環状溝１０２４５を画定する。容器１０２３１の開放端部１０２３９も密封皮膜１０２８１によって密封されていて、環状溝１０２４５は、密封皮膜１０２８１を開口１０２３９から除去するときに、この場合も密封皮膜１０２８１を集める役目をする。この場合も、密封皮膜１０２８１は好ましくは、その外周縁を外側円筒スリーブ１０２４３にのみ取付ける。
【０１１２】
閉鎖部材１０２３３は、更に第一の内側円筒壁１０２６１と第二の内側円筒壁１０２６３を備えている。第二の内側円筒壁は、その上部自由端に内側周縁リッジ１０２７９を有している。閉鎖部材１０２３３は、容器１０２３１の首状部分１０２３７に半径方向に延在する環状リッジ１０２４９上にスナップ式に嵌められた内側周縁リッジ１０２７９によって、容器１０２３１に結合される。スナップ式に嵌める結合は、それは簡単には結合が切れず、それにより閉鎖部材１０２３３が容器１０２３１から誤って除去されるのを防ぐものである。更に、閉鎖部材１０２３３は、その中心孔１０２５４内に、第一の内側円筒壁１０２６１の周縁開口１０２６７を含み、軸方向に配列されたコーヒー豆出口１０２１１と連通する空洞に半径方向で接近できる。この場合も半径方向の周縁開口１０２６７と軸方向コーヒー豆出口１０２１１との間の空洞は、カートリッジ１０２０３内コーヒー豆又はコーヒー粒子の柱状部に対してずれていて、コーヒー豆又は粒子が出口１０２１１への経路をたどるようにコーヒー豆又は粒子の制御ができるようにしている。内側円筒壁１０２６３の上に、閉鎖部材１０２３３も雌ねじ山構造１０２６５を備え、補助の閉鎖部材１０２５６の上の環状外側壁１０２６２の上の雄ねじ山構造１０２４７と協働する。補助の閉鎖部材は、概して、カップ状の素子として形成され、それはその基部及び円筒状周囲壁１０２６４でコンベヤー円盤１０２６９の形で豆コンベヤー手段を有している。円筒形周囲壁１０２６４は、下記の目的で、上方に開いた周囲溝１０２６６を形成するために、環状外側壁１０２６２を有している。補助の閉鎖部材１０２５６は、更に、飲料調製器具の駆動軸と結合し、結合手段（図示しないが、普通のもの）を形成する駆動ハブ１０２７１を備えている。駆動ハブ１０２７１、密封皮膜１０２８１と係合し、破裂させる穿孔ピンをも備えることができる。補助の閉鎖部材１０２５６の円筒周囲壁１０２６４は、更に周縁開口１０２６７と整合するようにされた、幾つかの、４つのうちの３つの、周辺窓１０２７４Ａ、１０２７４Ｂ、１０２７４Ｃを備えている。周辺窓１０２７４Ａ、１０２７４Ｂ、１０２７４Ｃは、中断する壁部分によって互いに間隔を置いていて、中断する壁部分は、その結果、可動の閉鎖手段を示している。
【０１１３】
使用にあたり、第一のカートリッジ１０２０３は図１４Ａに例示した、密封皮膜１０２８１は全く損なわれていず、内部容積１０２３５内の中身を保護した状態で、最終使用者に提供される。補助の閉鎖部材１０２５６が部分的に基部１０２５１の孔１０２５４から突き出ている。使用のため包装１０２０３を作動させるために、それを、閉鎖部材１０２３３から横方向に突出している差込み素子１０２８３、１０２８５として構成されている結合手段によって、コーヒー調製器具に単に接続する。駆動ハブ１０２７１は器具に弾性的に装着された駆動軸に係合し、それを後退位置に弾性的に押し込む。調製器具を動作させると、駆動軸は補助の閉鎖部材１０２５６を回転させ、その結果、それは雄及び雌ねじ山構造によって、図１４Ｂに示す位置まで上方に動かされる。駆動軸は弾性的にバイアスされて駆動ハブ１０２７１に従い、依然としてそれとの係合をしている。補助の閉鎖部材１０２５６が、図１４Ｂに示す最上の位置に達したときに、ねじ山構造１０２４７、１０２６５はかみ合いが外れてしまって、図１４Ａの位置への補助の閉鎖部材１０２５６の逆の移動を許さない。図１４Ａの不作動の位置から図１４Ａの作動位置まで補助の閉鎖部材１０２５６が移動する間、穿孔ピン１０２７７及び補助部材１０２５６の周囲壁１０２６４は密封皮膜１０２８１を押して、容器１０２３１の首状部分１０２３７内に設けられた環状の溝１０２５４に押し込む。穿孔ピン１０２７７及び円筒周囲壁１０２６４は、これによって密封素子を引裂きかつ移動させる手段を形成する。重力によって、コーヒー豆はコンベヤー円盤１０２６９の上に供給され、そして周辺開口に、回転中に整合する周辺窓１０２７４Ａ、Ｂ、又はＣのいずれか１つを通して運ばれる。注入デバイス及び／又は制御デバイスが注入が十分であると決定すると、補助部材１０２５６の回転及びそれによってコンベヤー円盤１０２６９の回転が中断される。これにより豆の供給を中断する手段が得られる。調製器具の動作機構は、補助部材１０２５６の回転が常に周辺窓１０２７４Ａ、Ｂ、Ｃのうちの隣接する２つの間の周囲壁１０２６４の一部分が周縁開口１０２６７と重なっていることを確実にする。これはコーヒー豆出口１０２１１を通してコーヒー豆を更に移送するのを防ぐばかりでなく、容器１０２３１の中身が周囲環境と接触するのを防いでいる。図１４Ｂの作動状態で、カートリッジ１０２０３は調製器具から支障なく取り除くことができることは考えられることであるし、望ましいことでもある。これは、さまざまな調製飲料を可能にするために、異なる質の多様なコーヒー豆を含むカートリッジを中間で利用することができるためには望ましいであろう。
【０１１４】
この実施例によるコーヒー豆包装カートリッジの、先の実施例のものとの顕著な違いは、コンベヤー円盤が閉鎖部材の一部と一体であることである。他の変形もありうるし、全体の豆包装カートリッジはコンベヤー円盤と一緒に回転することもできる。
【実施例３】
【０１１５】
第一のコーヒー豆包装カートリッジ１０３０３の更に別の実施例が図１５Ａないし１５Ｄに示されている。第一のコーヒー豆カートリッジ１０３０３は、この場合もボトル状容器１０３３１及び閉鎖部材１０３３３を含んでいる。閉鎖部材１０３３３の基部１０３５１に、調製器具と協働するためのコーヒー豆出口１０３１１を備えている。容器は、コーヒー豆で充填されている又は充填される内部容積１０３３５を画定する（図示しないが従来のものである）。容器１０３３１は更に、首状開口１０３３９を画定する首状部分１０３３７を備えている。首状開口１０３３９は、容器１０３３１の開放端を画定し、内側円筒スリーブ１０３４１及び同心上に配列された外側円筒スリーブ１０３４３によって囲まれている。内側及び外側円筒スリーブ１０３４１、１０３４３間にはこの場合も環状溝１０３４５が形成されている。それ自体、この実施例１０３０３の容器１０３３１は、先の２つの実施例の容器と厳密には同じではないが実質的に同じ様なものである。
【０１１６】
首状部分１０３３７は、その自由端に隣接する位置に、外側円筒スリーブ１０１４３から延在する半径方向延在リッジ１０３５０を備えている。
【０１１７】
閉鎖部材１０３３３は、その基部１０３５２から軸方向に突出する環状外側壁１０３５３を有する。また、基部１０３５１から軸方向に突出しているのが第一の内側円筒壁１０３６１であり、第一の内側円筒壁１０３６１と環状外側壁１０３５３の間に同軸の第二の内側円筒壁１０３６３がある。第二の内側円筒壁１０３６３は、半径方向に延在する環状リッジ１０３５０上にスナップ式に嵌められて閉鎖部材１０３３３を容器１０３３１に取付けるための内方向に突出する周縁リッジ１０３７９を備えている。
【０１１８】
基部１０３５１に回転可能に支えられる豆コンベヤー円盤１０３６９は、基部１０３５１の中央開口１０３７３を通して駆動可能に係合することができる駆動ハブ１０３７１を有している。回転可能な豆コンベヤー円盤１０３６９は、第一の内側円筒壁１０３６１の周縁開口１０３６７を閉じるための直立した閉じフラップ１０３７５を有している。周縁開口１０３６７は、既に説明した目的のために、内部容積１０３３５内のコーヒー豆の柱状部に対してずれている空洞を介して、豆出口１０３１１と連通している。閉じフラップ１０３７５は可動の閉じ手段として働く。図１５Ｃに見られるように、コンベヤー円盤１０３６９は、コンベヤー手段及び案内手段の部分として、上方向の凸形状に加えて、多数の半径方向に延在するリッジを備えることができる。これらの機能は選択的であり、コーヒー豆に対して攪拌しかつ案内する手段を形成することによって、コーヒー豆をコンベヤー円盤１０３６９の周縁に向けて搬送するのを補助するのに用いることができる。別の配列では、回転可能な豆コンベヤーは、半径方向に延在するパドル又は羽根を有する外輪で形成することができる。豆が詰まるのを防ぐために、これらのパドル又は羽根が外輪又は羽根車の周縁までの半径方向全距離に伸びていないのが有利である。その代わりに、又は、追加的に、羽根は柔軟性の材料で形成することができる。更に具体的には、羽根車全体を、弾性材料で、具体的には、１５０ないし１２００Ｎ／ｍｍ２  、更に具体的には、１７５ないし８００Ｎ／ｍｍ２  、そして、好ましくは、１７５から３００Ｎ／ｍｍ２  までの範囲内の弾性率を有する可塑性の材料で作ることができる。更に、周縁開口の面積との関連で羽根の数を変えて、静止している羽根車で豆が漏れるのを阻止することも可能である。
【０１１９】
第一の円筒内壁１０３６１と同一の外延を持ち、豆コンベヤー円盤１０３６９を囲んでいるのは可動のスリーブ１０３４６である。その可動のスリーブは、その外側に、第一の円筒内壁１０３６１の内面上の雌ねじ山構造と係合する雄ねじ山１０３４７を備えている。可動のスリーブ１０３４６は、更に内部に突き出るノッチを備え、それらのノッチは、それぞれ閉じフラップ１０３７５の対抗する直立した側部の１つと係合する。
【０１２０】
実施中は、豆カートリッジ１０３０３は、差込み構造１０３８３、１０３８５によって、コーヒー調製装置に接続される。カートリッジを作動させると、コーヒー調製器具は制御信号を開始して、駆動ハブ１０３７１を駆動し、これにより、コンベヤー円盤１０３６９及び直立している閉じフラップ１０３７５を駆動する。閉じフラップ１０３７５は、これにより関連する１つのノッチ１０３４８と係合して、可動のスリーブ１０３４６を係合したねじ山構造１０３４７、１０３６５に沿って上方向に密封皮膜１０３８１に向けて移動され、その密封皮膜はその周縁を容器１０３３１の外側円筒スリーブ１０３４３に取付けられ、それにより密封手段を形成している。この移動は密封皮膜１０３８１を破り、それを環状溝１０３４５内へ押し込む。それにより、可動のスリーブ１０３４６は密封要素を破り、かつ移動させる手段を形成する。具体的には、密封皮膜１０３８１は、予定の弱めた線に沿って破れるように作っておくことができる。可動のスリーブ１０３４６の上方への移動が完了すると、閉じフラップによって係合されているノッチ１０３４８は、図１５Ｂによく図示されているように、そこから解放される。カートリッジ１０３０３を作動するため、可動のスリーブ１０３４６の内側周辺に単一のノッチ１０３４８を設けることが必要になるだけであることは、当業者に明らかである。この実施例では、閉じフラップ１０３７５の垂直の後縁に係合する第二のノッチが、組立てを簡単にするために単に設けられている。
【０１２１】
前記の最後の２つの実施例は、両者とも装置の駆動手段によって自動的に作動させることができる。駆動ハブの連続回転は、密封皮膜が容器の開口から移動させられると、コーヒーの豆の移動を開始する。
【実施例４】
【０１２２】
図１６Ａないし図１６Ｅは、第一のコーヒー豆包装カートリッジ１０４０３の更に別の実施例を示す。包装カートリッジ１０４０３は内部容積１０４３５を画定するボトル状容器１０４３１を含み、更に首状部分１０４３７及び外側環１０４４２を有する。外側環１０４４２によって画定される開放端１０４３９の内部に受け入れられる閉鎖部材１０４３３は、好ましくは容器１０４３１に取り外し不能に取付けられる。外側環１０４４２の外周はコーヒー調製器具に接続するため、差込み構造１０４８３、１０４８５、又は他の適当な接続手段を設けることができる。
【０１２３】
閉鎖部材１０４３３は、容器１０４３１の首状部分１０４３７及び外側環１０４４２によって画定されるような開放端１０４３９内にぴったりと嵌められていて、接着剤又は溶接接合によって取付けることができる。図１６Ａ及び図１６Ｂに示すように、閉鎖部材１０４３３の軸方向外端部は、外側環１０４４２の外側軸方向端部から僅かに引っ込んでいる。また、閉鎖部材１０４３３の軸方向外端部はコーヒー豆出口１０４１１を有する基部１０４５１を有している。図１６Ｃ及び図１６Ｄで良く分かるように、閉鎖部材１０４３３は周縁開口１０４６７を有する中央空洞壁１０４６２を画定する。周縁開口は空洞を介してコーヒー豆出口１０４１１と連通し、その空洞は、この場合も、内部容積１０４３５内に保持されたコーヒー豆柱状体から半径方向にずれている。空洞壁１０４６２と基部１０４５１によって画定された中央空洞内に受け入れられるのは回転可能な豆コンベヤー円盤１０４６９である。コンベヤー円盤１０４６９から軸方向に延在するのは、周縁開口１０４６７に対する可動閉じ手段を形成するように構成された閉じフラップ１０４７５である。豆コンベヤー円盤は、基部１０４５１の中央開口１０４７３を突き抜けている駆動ハブ１０４７１を有している。当業者に明らかなように、この実施例の閉鎖部材１０４３３は、前述した実施例と同様に、容器１０４３１の外側に係合するように設計することもできる。そのような別の配置では、差込み構造１０４８３、１０４８５は、容器１０４３１よりも、むしろ閉鎖部材１０４３３の部分である。
【０１２４】
コーヒー調製器具で使用するための作動前に、カートリッジ１０４０３の豆の中身を保護するために、密封皮膜１０４８１が、外側環１０４４２の軸方向の自由端に密封して取り付けられている。この実施例では、密封手段を形成する密封皮膜１０４８１はコーヒー調製器具によって自動的に除去されるのではなく、使用者によって除去される。この目的で、手動の引抜きタブ１０４８２が、密封素子を裂き、かつ移す手段の構成として設けられる。容器１０４３１の外表面上の差込み構造１０４８３、１０４８５の配置と、閉鎖部材１０４３３がその開放端が引っ込んでいる構成は、バリア膜又は密封皮膜１０４８１を容器１０４３１の外側縁部に密封して取り付けできる。これにより、密封バリア１０４８１は容器１０４３１と閉鎖部材１０４３３との間の結合部をも保護する。密封皮膜又はバリア・ホイル１０４８１は、カートリッジを使用する状態にする前の出荷及び在庫管理の間、豆の中身を新鮮にかつ外気から守ることができる。しかし、焙煎したばかりの豆は、まだＣＯ２  のようなガスを発散するかもしれない。焙煎した豆を新鮮に包装できるようにするために、１０４８１のような密封皮膜又はバリア・ホイルは、別に、一方向圧力逃がし弁（図示しないが、従来あるものである）を備えることができる。
【０１２５】
実施中、この実施例のカートリッジ１０４０３は、密封皮膜１０４８１を手で除去した後、差込み構造１０４８３、１０４８５又は同様の適当な接続手段で、調製器械に結合することができる。コーヒー豆をコーヒー調製器具内に移送する操作は、他の実施例と同様である。コーヒー飲料を作るために調製器具が作動されると、制御ユニット／デバイスはコンベヤー円盤１０４６９の回転を開始し、閉じフラップ１０４７５は周縁開口１０４６７から離れて回転する。コンベヤー円盤１０４６９の回転は連続的であり、閉じフラップ１０４７５は、１回転当たり１回、周縁開口１０４６７と整合するのみである。閉じフラップ１０４７５が周縁開口１０４６７と整列しない間は、コーヒー豆はコーヒー豆出口１０４１１に向かって出て、そして調製器械の粉砕又は計量ユニットへ入るであろう。所望の量の挽かれるコーヒー豆が第一のカートリッジ１０４０３から引き出されるやいなや、豆コンベヤー円盤１０４６９は、閉じフラップ１０４７５が周縁開口１０４６７と整列する正確な位置で回転を止める。これにより、豆の供給を中断する手段が与えられる。好ましくは、閉じフラップ１０４７５及び周縁開口１０４６７を含む構成部品の回転動力及び頑丈さは、閉じる途中に存在するかもしれないコーヒー豆が切断又は粉砕され、そのために、それらは周囲開口１０４６７が閉じるのに邪魔にならないようなものである。
【０１２６】
図１６Ｆは、図１６Ａないし１６Ｄの豆カートリッジと使用する改良した別の閉じ部材を示している。図１６Ｆの閉鎖部材１０４３３Ａは、図１６Ａないし１６Ｄの容器１０４３１の開放端に取り外しできないように取付けるようにされている。それにより、図１６Ａ及び図１６Ｂに示すように、この場合も、閉鎖部材１０４３３Ａの軸方向外端部は容器１０４３１の外側環状部の外側軸縁部から僅かに引っ込んでいて、密封皮膜を容器の外側環状部の軸方向自由端にのみ取り付けることができる。閉鎖部材１０４３３Ａは、また基部１０４５１Ａを備えていて、その基部を通してコーヒー豆出口１０４１１Ａが延在している。閉鎖部材１０４３３Ａは、コーヒー豆出口１０４１１Ａと連通する周縁開口を有する中央空洞壁１０４６２Ａを画定する。空洞壁１０４６２Ａと基部１０４５１Ａとで画定される中央空洞内に収容しているものは回転可能な豆コンベヤー円盤１０４６９Ａである。案内手段は、使用中に容器１０４３１の内部と直面する、コンベヤー円盤１０４６９Ａの上面にある複数の略半径方向に延在する交互にあるリッジと溝である。略半径方向に延在する、コンベヤー円盤１０４６９Ａの交互にある複数のリッジと溝は、コーヒー豆に対して攪拌及び案内手段を形成することによって、コーヒー豆がそれらの周縁に向かって移送するのを助ける。あるいは、コンベヤー円盤１０４６９Ａが高速で回転するときは、コンベヤー円盤の平らな上面を使用することができる。更に、図１６Ｆの実施例の案内手段は、コンベヤー円盤１０４６９Ａの上面の一部を覆う固定の案内アーム１０４９１を有し、コーヒー豆をコンベヤー円盤１０４６９Ａから、略半径方向に延在する案内面１０４９３に沿って流出孔１０４１１Ａに向けて案内する。
【０１２７】
図１７ないし２１を参照して、前述した第一のコーヒー豆カートリッジと共に使用するのに適した幾つかの計量デバイスを記述する。
【０１２８】
図１７に、コーヒー豆を注入する手段を具体化した注入ユニット１０５２３の主な構成要素が図示されている。注入ユニット１０５２３は図１に示すコーヒー器具の部分を形成し、コーヒー豆移送経路内に配置される。前に説明したように、第一のカートリッジのコンベヤー手段はこの実施例でも注入デバイスの部分を形成する。従って、コーヒー調製器具の注入ユニット１０５２３と第一カートリッジのコンベヤー手段は、組み合わせて、装置の注入デバイスの部分を形成する。機械のインターフェイス１０５２５は空洞１０５２７と差込み素子構造１０５２９、１０５３０を有し、その差込み素子構造は前述した豆カートリッジに設けられたような差込み素子構造と協同する。空洞１０５２７の下部から突出している回転可能な駆動軸１０５３１は、記載したカートリッジのコンベヤー円盤の駆動ハブに駆動的に係合するためのものである。また、空洞１０５２７の下部に、機械のインターフェイス１０５２５に接続されたときに並べられる計量入口１０５３３も設けられている。
【０１２９】
計量入口１０５３３は、注入室１０５３５とも呼ばれる計量室への進入路を与える。注入室１０５３５の下端に、空にする手段の構造として可動放出蓋１０５３７を設けている。例示した例では、可動放出蓋１０５３７は滑動ゲートであるが、回転可能なシャッターのような形態も考えられる。放出蓋１０５３７は双頭の矢印Ａ１で示すように両方向のいずれかの方向に動くように自動的に操作される。
【０１３０】
計量室が、図１７に示すような透明な又は半透明な周囲外壁を有すると、発光ダイオード（ＬＥＤ）及び赤外線（ＩＲ）センサーと協同するような、ファーストセンサー又はファーストセンサー手段とも云われる光センサー検出手段１０５３９によって管理することができる。光センサー検出手段は好ましくは調節可能な検出キャリア１０５４１で運ぶことができる。検出キャリア１０５４１は注入室１０５３５の高さに沿って双頭の矢印Ａ２にしたがって垂直方向の位置決めをする手段を有することができる。
【０１３１】
更に図１７で、回転可能な駆動軸１０５３１を駆動するのに機械のインターフェイス１０５２５の下側に駆動モーター１０５４３を直接取り付けることができることが分かる。電線１０５４５がモーターに給電するために設けられる。駆動モーター１０５４３は通常は図１の駆動又は動力手段で具体化している。電線１０５４５には、装置の制御ユニットの制御下で電気エネルギーを供給することができる。装置の制御ユニットはファーストセンサーに応答して動作することができる。
【０１３２】
動作中、前述の豆包装カートリッジのいずれか１つの豆コンベヤー円盤を駆動する駆動軸１０５３１の作用によって、コーヒー豆は計量入口１０５３３を介して注入室１０５３５へ放出される。センサー検出手段１０５３９は前もって注入室１０５３５の適切な高さの位置に配置されていて、そのためセンサー検出手段１０５３９は適切な注入分に対応するコーヒー豆の容積を検出する。光センサー検出手段１０５３９のＩＲビームの中断が所定の時間間隔より長い期間を超えると、これは豆がＩＲビームを永久に遮断していて、したがって室内の豆の高さはファーストセンサーの高さを達していることを意味する。その場合、この事象は制御ユニットに通信される。制御ユニットはコーヒー器具の動力手段を制御して、コンベヤー手段はカートリッジから計量室への豆の移送を止めさせる。また、制御ユニットは動力手段を動作させて、駆動軸１０５３１がカートリッジ内のコンベヤー円盤を、それがコーヒー豆出口との連通を閉じる位置へ戻させる。計量室１０５３５の下部を閉じ続けていた可動放出蓋１０５３７は、ここで制御ユニットに指令されて正確な注入量をコーヒー粉砕機構へ放出することができ、そこで装置に、コーヒーを作るためにコーヒー調製器具にカートリッジから移送されるコーヒー豆の量を測定するファーストセンサーが設けられている。更に、ファーストセンサー１０５３９は制御ユニットに接続され、そこでカートリッジからコーヒー調製器具へ所定量のコーヒー豆が移送されたことをファーストセンサーによって検出されたときに制御ユニットは動力手段を制御して停止させるようにされ、そこで好ましくはコーヒー豆の所定の量は１杯の飲み物を作るためのコーヒー豆の注入量に相当し、そして、そこで所定の量のコーヒー豆がカートリッジからコーヒー調製器具に移送されたのをファーストセンサーによって検出したときに、制御ユニットは比較的に可動な閉じ手段（例えばフラップ１０３７５）を制御して、カートリッジの流出孔を閉じるようにされ、そこで好ましくはコーヒー豆の所定の量は１杯の飲み物を作るためのコーヒー豆の注入量に相当する、ようにされている、ことである。
【０１３３】
ファーストセンサー手段は計量室の選択した部分（この件ではファーストセンサーの高さの位置にある計量室の部分）内にあるコーヒー豆を検出するようにされ、そこで、装置は計量室の一部分を選択するようにされ、そこで、コーヒー豆はファーストセンサー手段によって検出されて、ファーストセンサー手段によって検出される計量室内の対応する量のコーヒー豆を選択する、ことである。
【０１３４】
上述したような、ファーストセンサー１０５３９と計量室の底部の間の距離を適合させる代わりに、計量室１０５３５自身を、例えば入れ子式の壁部分によって、容積を変化させることができる。そのような構成を用いてセンサー手段１０５３９を除去することもでき、計量室内に入れることができる容積を単に限定することによって注入をすることができるであろう。この例では空にする手段は計量室の底部を除去可能に構成したものも含まれる。あるいは、空にする手段は、計量室を傾斜させるための傾斜手段を含む。空にする手段は制御ユニットによって制御されるようにされている。この例では、したがって、計量室内の特定のレベルに対応する所定の量のコーヒー豆が検出されたときに、ファーストセンサー手段が信号を発生し、そこで、好ましくはコーヒー豆の所定の量は注入されたコーヒー豆の量に対応することである。
【０１３５】
図１８は、図１７の注入デバイス１０５２３に組み込むための、少し変形した計量機構を示している。シュート１０６５１が、コーヒー豆１０６５３を注入口（図１７で１０５３３で示している）から計量室１０６３５へ導入するのに用いられている。透明又は半透明の計量室１０６３５を横断しているのは、この場合も、水平ＬＥＤビーム発生器１０６５５とＩＲ検出センサー１０６５７を含む水平ビームＩＲ光検出装置である。ケーブル１０６５９によって、ＩＲセンサー１０６５７は調製器具の制御ユニットに接続することができる。図１８の計量機構は、垂直ＬＥＤビーム発生器１０６６１を有する実質的に垂直に指向した光ＩＲ検出装置を別に設けている。
【０１３６】
ＬＥＤ１０６５５とセンサー１０６５７との間の水平ＩＲビームの遮断は、豆が計量室１０６３５内に落ちるときに個々のコーヒー豆がビームに割り込むときに繰り返し生じるであろう。水平ビームの遮断が所定の期間を超えると、制御ユニットは従って計量室満杯信号を発生するのみである。水平光検出装置の二重のチェックとして、垂直の光検出装置が設けられる。ＬＥＤビーム発生器１０６６１によって発生するビームは垂直方向に対して僅かに傾いていて、そしてＩＲ検出センサー１０６６３は、ＩＲビームが水平光検出装置によって決められる計量レベルと一致したときだけ、ＩＲビームの反射を検出するために配置されている。代わりに、ＩＲ検出センサー１０６６３がＬＥＤビーム発生器１０６６１によって発生されるＩＲビームの反射を広角度にわたって検出し、その反射に必要な時間を記録することができる。反射の遅延は、計量室１０６３５が充填されるにつれて短くなる。ケーブル１０６６５を介してこの参照信号は水平センサー１０６５７から受信した信号と比較するために、制御ユニットに伝えることができる。
【０１３７】
計量室１０６３５の底端部には、また可動放出蓋１０６３７の形式の空にする手段が設けられ、その可動放出蓋は２方向矢印Ａ３に従って滑動又は回転動するために、制御ユニットでケーブル接続１０６６７を介して電気的に動作させることができる。
【０１３８】
図１９に、計量機構の別の変形例が示されているが、それも図１７の注入デバイス１０５２３に組み込むのに適している。注入孔（図１７で１０５３３で示されている）から来るコーヒー豆１０７５３のためのシュート１０７５１はＩＲ光に対して半透明又は透明である。ＬＥＤ型のＩＲビーム発生器１０７６１はシュート１０７５１を通してＩＲ検出センサー１０７６３と通信して、コーヒー豆１０７５３のＩＲビーム遮断を計数する。ケーブル１０７６５はこれらの遮断数を制御ユニットに連絡してコーヒー豆の量を計数する。
【０１３９】
１注入分に対する所定の数の豆１０７５３が計数されると、制御ユニットは駆動モーター１０５４３（図１７）を制御して停止位置に戻らせ、そして、そのため、それ以上の豆１０７５３はシュート１０７５１及び計量室１０７５３に入らない。同時に、可動放出蓋１０７３７として実施した空にする手段は電気リード線１０７６７を介して動作させられて、双頭の矢印Ａ４の適切の方向で蓋１０７３７を開くことができる。すべてが制御ユニットによって制御することができる。
【０１４０】
この例で、計量室も平らな板とすることができ、そこで、その板の上の豆が所定の量になるまで計数された豆が落下する。コーヒー調製器具は更に、所定の豆の量がその板の上にあると、その板を傾けるように構成し、そのため、豆は粉砕機構に移送される。計量室を無くして、計数した豆はコーヒー調製器具の粉砕機構に直接供給されることもできる。所定の量の豆に対応する数の豆が計数されたならば、制御ユニットによって豆の移送は止められる。
【０１４１】
図２０に、計量機構の第三の変形例を略図で示したものである。図１７に示した例のように、第三の変形計量機構の計量室１０８３５はシュートは使用せず、コーヒー豆１０８５３は計量室１０８３５に直接落下する。計量室１０８３５内に突出しているのは跳ね上げ構造の負荷支持体１０８７１で、それは低摩擦軸受１０８７３の上で枢動可能に平衡している。計量室１０８３５内に突出している、跳ね上げ構造の負荷支持体１０８７１の部分の上に落ちるコーヒー豆１０８５３の量が、所定の注入分の重さに達すると、跳ね上げ構造の負荷支持体はその低摩擦軸受１０８７３の周りで傾斜して、負荷検出センサー１０８７５を作動する。負荷検出センサー１０８７５はコーヒー豆の重量が７グラムに達するやいなや作動されるように構成することができる。しかし、これは単に例示であって、他の重量を予め決めることも考えられる。作動されると、負荷検出センサーは電気リード線１０８７７を介して制御ユニットに信号を伝える。その結果、制御ユニットはモーター１０５４３（図１７）を止めること、及び電気的接続１０８６７を介して、電気的に作動される放出蓋１０８３７を開くことを開始して、双頭の矢印Ａ５の適切な方向で開いて計量室を空にする。これにより、所定の注入量のコーヒー豆１０８５３は粉砕機構へ進むことができる。別に、負荷支持体は、空のときの既知の所定の重量を有する計量室を支持する。ユニット１０８７５は取り除かれる。豆が計量室に移送されると、その室の重量は増加し、軸受に作用する軸受の力を測定する力測定ユニット１０８７８の形式のファーストセンサーによって測定することができる。また、ユニット１０８７８は軸受１０８７１を安定させる。測定結果は、ケーブル１０８８０を介してユニット１０８７８によって発生した信号によって制御ユニットに連絡される。したがって、その力は、計量室内に豆を含む計量室の重さに対応する。計量室の重量の増加がコーヒー豆の所定の量に一致すると、制御ユニットは動力手段を停止させ、そして計量室を空にするための空にする手段を作動する。この例では、したがって、装置は、ファーストセンサー手段によって、計量室内に存在するコーヒー豆の量に対応する信号を発生するように構成されている。
【０１４２】
第四の別の、更に簡単にした計量機構が略図的に図２１に図示されている。先の実施例のように、コーヒー豆１０９５３は上から重力によって垂直方向に計量室１０９３５に入る。この簡単な実施例では、注入量を計量するのに機械的手段のみが使用され、放出蓋のような空にする機能及び荷重検出は組み合わせて跳ね上げ構造の放出蓋１０９７１にし、これは低摩擦軸受１０９７３の周りで枢動可能に構成されている。跳ね上げ構造の放出蓋１０９７１の一部分は計量室１０９３５と一致し、その基部として働く。所定の負荷のコーヒー豆１０９３５が跳ね上げ構造の放出蓋１０９７１のその部分の上に堆積されると、それは低摩擦軸受１０９７３の周りで傾いて注入量が粉砕機構へ通るのを自由にする。この目的で、跳ね上げ構造の放出蓋１０９７１の計量室１０９３５と反対の部分には、７グラムの、又は注入量の重さのような、予め設定した釣合いおもり１０９８１が設けられる。釣合い重り１０９８１は、種々の注入量に対して他の値の重りと交換できる。更に図２１に示すように、コーヒー豆の正確な計測重量を調節又微調整するために、重り１０９８１は双頭の矢印の方向に調節することもできる。明らかに、図２１の注入手段としての機械的計量は、好ましくは計量室１０９３５へのコーヒー豆１０９５３の供給を中断するために別の手段と協同しなければならない。そのような手段は放出蓋１０９７１によって作動される別の電気スイッチを含み、適切なタイミング及び／又はセンサー手段に応答して、制御ユニットが駆動モーター１０５４３（図１７）を不作動位置に戻させることができる。もしも、前述したように蓋１０９７１が傾いて通過を自由にするならば、室から豆が落ちるほかに、制御ユニットによって作動される電磁石のように、その蓋を傾けたままにする手段もあるであろう。室を空にするのに十分な時間後に、制御ユニットはその電磁石を不作動にして蓋は再び室を閉じる。跳ね上げ構造の放出蓋１０９７１を用いるよりも、所定の注入量に達したならば、全計量室１０９３５をひっくり返すことも考えられる。そのような全計量室をひっくり返すことは、制御ユニットで作動する電気手段で制御することもできる。以上説明したそれぞれの実施例で、制御ユニットは駆動を中断する前に、動力手段に僅かに逆回転を生じさせて、豆が流出孔を遮ることがないことを確実にするように構成できるであろう。したがって、そのような場合に、コンベヤー手段は僅かに逆に動作され、そして、そのようなコンベヤー手段が前述したような閉じフラップを備えているならば、その閉じフラップはカートリッジの流出孔を引続き閉じるであろう。
【０１４３】
したがって、本発明の装置は、コーヒー豆を注入し及び／又は粉砕するために、第一のコーヒー豆包装カートリッジとコーヒー調製器具を有することを説明した。これにより、本装置は、複数の注入分のコーヒー豆用の内部空間を囲む少なくとも１つの壁部材とコーヒー豆を出すためのコーヒー豆出口を有する第一のコーヒー豆包装カートリッジを提供するものである。本器具は更に、コーヒー豆粉砕機構を備え、コーヒー豆をコーヒー豆包装カートリッジから粉砕機構に供給するためのコーヒー豆入口を備えている。コーヒー豆包装カートリッジを器具に接続するための接続手段が設けられて、器具のコーヒー豆入口に接続された包装カートリッジのコーヒー豆出口は、コーヒー豆出口からコーヒー豆入口へ、一人前の所定の量のコーヒー豆を有する注入ユニットを設けることができる。接続手段は、第一のコーヒー豆包装を器具に及び器具から、結合し及び結合を外すための結合素子を設けることができる。コーヒー豆包装カートリッジは、使用前は、コーヒー豆を周囲の空気に曝すのを防ぐように密封されている。
【０１４４】
装置において、コーヒー調製器具は挽いたコーヒー豆及び水に基づいてコーヒーを調製する調製デバイスを有し、そこで調製手段は制御ユニットによって制御される。制御ユニットは、少なくとも１つの比較的に可動な閉じ手段が流出孔を閉じた、又はコンベヤー手段が中断したことが生じたことを確認したときだけ、調製デバイス及び／又はグラインダーの動作を開始するように構成することができる。結合手段は、回転したときにコンベヤー手段を駆動する駆動軸のような回転素子を有し、そこで、回転素子は、コーヒー調製器具の第一モーターによって回転されるようにされている。
【０１４５】
装置（図２２を参照）は更に回転素子１０１７１並びにコーヒー調製器具のモーター１００４０の回転速度及び／又は位相を検出する検出手段１０９００を有することができる。回転素子１０１７１は、例えば、制御ユニット１００１３Ａに接続される光センサー又は検出器１０９０４によって検出することができる光学マーク１０９０２を付けることができる。回転素子１０１７１が回転すると、光学マーク１０９０２も回転し、そのマークが検出器１０９０４によって検出された瞬間が、回転素子１１７１の回転速度と回転位相とを一緒に表す。モーター１００４０に同様に光学マーク１０９０６を付けることができ、そこで、制御ユニット１００１３Ａに接続される別の光検出器１０９０８によって動力手段の回転速度及び回転位相が測定される。この例では、回転素子１０１７１は、モーターに接続される駆動軸１０１７２に接続されている。回転素子１０１７１と駆動軸１０１７２の間の接続１０９１０は、この例では、マーク１０９０２とマーク１０９０６が互いに上下に縦方向に見られる（垂直方向１０９１２に一列に）ならば、単に、軸１０１７２に対して回転素子１０１７１の既知の回転位置で接続をすることができる。制御ユニット１００１３Ａは、回転素子１０１７１の検出した回転速度がモーター１００４０の検出した回転速度と同じならば、及び／又は回転素子１０１７１の検出した位相がモーター１００４０及び駆動軸１０１７２の検出した位相と同じならば、調製手段及び／又は粉砕機構をただ始動させるように構成することができる。
【０１４６】
図２３及び２４において、コンベヤー手段１１０６９は第一のカートリッジ１１００３の部分であり、一対の反対に回転する第一及び第二のゴム製の豆輪１１０５１、１１０５３の一部を含む。第一及び第二のゴム製の豆輪１１０５１、１１０５３は、それぞれ、それらの周囲から伸びる、複数の柔軟な半径方向突出部を有している。ゴム製の豆輪１１０５１、１１０５３が動いているときは、コーヒー豆１１０５５はその豆輪の間で運ばれるが、ゴム製の豆輪１１０５１、１１０５３が静止させられているときは、半径方向突出部によって豆が抜け出るのを防ぐためにカートリッジ１１００３の出口は事実上閉じてられている。図２３に見られるように、カートリッジ１１００３はコーヒー調製器具１１００２の上端に置かれ、そしてコンベヤー手段１１０６９によって運ばれるコーヒー豆１１０５５は調製器具１１００２の豆供給開口１１０２９に入ることができる。図２４の平面図の構成から分かるように、第一のゴムの豆コンベヤー輪１１０５１は第一のらせん形駆動ギア１１０５７を有している。同様に、第二のゴムの豆コンベヤー輪１１０５３は第二のらせん形駆動ギア１１０５９を有している。第一及び第二のらせん形駆動ギア１１０５７、１１０５９は、カートリッジ１１００３の部分というよりは調製器具１１００２の部分である器具駆動装置１１０６１によって駆動される。駆動継ぎ手は、ここでは、共通軸継ぎ手、又は同種のものではなく、むしろ、相補的なギア部材の駆動的なかみ合いによって行っている。
【０１４７】
図２５ないし２７に示す実施例では、器具１１１０２からの回転駆動を用いていて、その回転駆動はカートリッジ１１１０３の内部容積１１１３５内で線形移動に変換される。駆動軸１１１７２は、矢印１１１６５に従って、親ネジ１１１６３に回転自在に係合していて、コンベヤー・ピストン１１１６７を矢印１１１６９に示すように下方に動かしている。これは、コーヒー豆１１１５５を柔軟性弁１１１７１を通り越して押し進める。図２６では分離して示している柔軟性弁１１１７１は比較的に堅い弾性材料からなり、半径方向にスロットを入れて、多数の屈折可能な個別のフラップ１１１７３を形成している。半径方向のスロットによって分離されている個々のフラップに、弁１１１７１の材料によって与えられる剛性は、カートリッジ１１１０３内のコーヒー豆１１１５５の充填を支援するのに十分である。コーヒー豆１１１５５を曲げやすいフラップ１１１７３間の半径方向スロットを通して押し進めるのは、コンベヤー・ピストン１１１６７によって掛かる力だけである。都合の良いことに、柔軟性弁１１１７１はプラスチック材料から作ることができる。コンベヤー・ピストン１１１６７及び介在するコーヒー豆１１１５５を介して柔軟性弁１１１７１に圧力が掛からなければ、豆１１１５５はカートリッジ１１１０３から落ちることが防げる。したがって、粉砕及び／又は調製器具１１１０２にカートリッジ１１１０３を係合させて、駆動手段を回転すると、明らかである。駆動手段１１１７２の回転を中断すると、柔軟性弁１１１７１を通してのコーヒー豆１１１５５の供給は止まる。
【０１４８】
図２７の別の例では、回転シュート１１１７７は矢印１１１７５で示す方向に駆動軸１１１７２と共に回転するために駆動軸１１１７２に結合されている。カートリッジ１１１０３の内部に、図２７の別の例では、駆動軸１１１７２によって駆動されたときに親ネジ１１１６３と一緒に回転する回転閉じ部材１１１７９を有する。回転閉じ部材１１１７９は回転シュート１１１７７と整合する出口開口１１１８１を有する。シュート１１１７７が器具の豆供給開口１１１２９との整合が外れる位置で駆動軸１１１７２を止めることによって、出口開口１１１８１もカートリッジ１１１０３内に形成された内部シュート１１１８３との整合が外れる。これにより、そしてカートリッジ１１１０３の別の閉鎖が得られ、そのとき、豆１１１５５はカートリッジから器具１１１０２によって引き出されない。空でないカートリッジ１１１０３を器具１１１０２から交換することができるために、豆が抜け落ちることが防げれば十分である。しかし、長期間にわたり部分的に空のカートリッジを貯蔵できるためには、カートリッジ内への空気が入るのを妨げること、少なくとも周囲空気に露出するのを制限することが確かに効果的である。このために、付加的な閉じ部材１１１７９は非常に有用である。
【０１４９】
カートリッジ１１２０３の他の変形例が図２８Ａ及び図２８Ｂに示されている。この場合もカートリッジ１１２０３は回転可能な親ネジ１１２６３を有し、これは、先に説明した実施例と同様にコーヒー調製器具１１２０２から駆動されるようにされている。矢印１１２６５の方向へ親ネジ１１２６３を回転すると床形成ピストン１１２６７を上昇させる。床形成ピストン１１２６７を上昇させると床形成ピストン１１２６７の上にあるコーヒー豆１１２５５を内部シュート１１２８３の上のレベルまで上昇させる。アーム１１２８５は親ネジ１１２６３と一緒に回転し、上面にあるコーヒー豆１１２５５を内部シュート１１２８３内へ押し流すのを助ける。更に図２８Ｂに見られることは、床形成ピストン１１２６７には、内部シュート１１２８３の周りにぴったりと嵌まる凹部１１２８７が設けられている。図２８に示されているように、カートリッジ１１２０３は円筒形状の容器であると、凹部１１２８７は、他に回転を阻む手段なしに、床形成ピストン１１２６７とカートリッジ１１２０３の残りの部分との間での相対的回転を効果的に防いでいる。シュート１１２８３に移送された豆１１２５５は、図２８Ａに示すように、供給開口１１２２９を通って器具１１２０２に入る。
【０１５０】
更にカートリッジ１１３０３内のコンベヤー手段の別の形態が図２９Ａないし２９Ｄに示されている。カートリッジ１１３０３は器具１１３０２に接続され、かつ、器具１１３０２の駆動軸１１３７２に駆動的に結合されるようにされている。カートリッジ１１３０３は、器具１１３０３の豆供給開口１１３２９と整合するコーヒー豆出口１１３１１を有する第一基部１１３８９を有している。カートリッジ１１３０３は、更に第二基部１１３９１を有し、この第二基部は概してじょうご形で、その最下位置はシャトル・スライダー１１３９３と連通するために中断されている。
【０１５１】
シャトル・スライダー1１３９３は、駆動軸１１３８２によって回転可能に、偏心器１１３９５によって往復動するために案内される。詳細は図２９Ｂ及び２９Ｄを参照。図２９Ａ及び２９Ｂに示すように、シャトル・スライダー１１３９３は、所定の量のコーヒー豆１１３５５を保持する注入空洞１１３９７を有している。図２９Ａ及び図２９Ｂに示す第一の位置で、シャトル・スライダー１１３９３は、第二基部１１３９１によって支持されるコーヒー豆１１３５５の供給と連通する注入空洞１１３９７を有している。矢印の方向１１３９９に偏心１１３９５が回転すると、シャトル・スライダー１１３９３を図２９Ａ及び２９Ｂに示す第一の位置から図２９Ｃ及び２９Ｄに示す第二の位置へ移動させる。第二の位置で注入空洞１１３９７は流出孔１１３１１と整合し、豆は器具１１３０２の供給開口１１３２９を通して通過できる。図２９Ａないし２９Ｄの実施例は器具への豆の搬送及び注入の両方に使用できることは当業者に明らかであろう。注入空洞１１３９７の容量と共に、駆動軸１１３７２の回転数は、選択した数の飲料の提供に対する正確な注入を与えることができる。また、第一又は第二の位置のいずれかの位置でも、シャトル・スライダー１１３９３でカートリッジ１１３０３は閉じているが、それは静止されたシャトル・スライダー１１３９５では、カートリッジ１１３０３内では豆の供給１１３５５間の連通はできないからであることは明らかである。
【０１５２】
図３０Ａ及び図３０Ｂに示す移送手段は、この場合も第二基部１１４９１を有し、傾斜部分１１４９２によって完成する。傾斜部分１１４９２は、器具１１４０２から突出する駆動軸１１４７２の近傍で旋回する。駆動軸１１４７２の先端部は偏心であり、従動部１１４９４はスプリング１１４９６によって駆動軸１１４７２の偏心先端部に対してバイアスが掛けられている。駆動軸１１４７２の回転速度は、傾斜部分１１４９２に振動運動が生じるように設定することができる。その形状は、傾斜部分１１４９２が傾斜するたびに、すなわち、駆動軸１１４７２が１回転するごとに、１杯のコーヒー豆１１４５５だけをシュート１１４８３へ導入するように選択することができる。明らかに当業者にはまだ他の構成が考えられる。図３０Ａ及び図３０Ｂに示す実施例は傾斜部分１１４９２が開放位置にバイアスされるように示しているが、傾斜部分が第二基部の閉じ位置にバイアスされるようにして、カートリッジが調製器具から除去されるときにコーヒー豆が外へ落ちないように構成することも実際に容易に考えられる。
【０１５３】
図３１はコーヒー調製器具の部分を形成する大量の注入室１１５３６と協働するためのコーヒー豆カートリッジ１１５０３を示す。図３１に示すように、カートリッジ１１５０３は、使用中に器具の上にある位置を示し、注入室１１５３６は、図示されている実際の調製器具の唯一の素子である。調製器具の他の部分は、明確にするために図３１では省略している。調製器具の上にカートリッジ１１５０３が適切な位置にあると、流出孔１１５１１は調製器具の注入室１１５３６の上部開放端と整合する。
【０１５４】
流出孔１１５１１と周囲開口１１５６７の間で、空洞１１５４０内に注入容積の一部が収容される。図１３Ａないし１６Ｅの実施例と同じように、空洞１１５４０は、閉じ部材１１５３３内に形成され、容器１１５３１と共にカートリッジ１１５０３を形成し、半径方向に向いた周囲開口１１５６７と軸方向に向いた流出孔１１５１１との間の輸送空洞に対応する。注入室１１５３６は一定の容積であってもよいし、或いは入れ子式の部分１１５３８によって容積が調節可能でもよいが、しかしそれは任意である。それは、注入室１１５３６の下端をコーヒー豆グラインダーで形成したときに、考えられるし、かつ有利である。空洞１１５４０内の注入容積の一部を収容するのと組み合わせたそのような手段は、飲料を作る装置を形成する調製器具及びカートリッジの全体の高さを低くすることができる。この特定の例では、注入室１１５３６は、じょうごを逆さにしたような、フルート状形状にされている。そのような形状を有するので、豆の通路の下流方向で断面積は徐々に増加する。例として、注入容積の上流頂部は断面積が２５ｍｍ２  であるが、下流の下端部は断面積が４００ｍｍ２  である。図３１の実施例において、注入室１１５３６と空洞１１５４０によって形成される注入容積を充填することは、単に羽根車１１５６９として形成されるコンベヤー手段によって機械的に達成される。１つの適当な形の羽根車１１５６９は図３２にやや詳細に示されている。周辺開口と半径方向に延在する羽根１１５７０との間に固定されたコーヒー豆によって、羽根車１１５６９が詰まらされるのを防ぐために、そのような羽根１１５７０は好ましくは弾性材料で作られる。羽根車１１５６９全体を撓みやすい弾性材料で作ることもできる。羽根車１１５６９は、コーヒー調製器具の駆動軸端部１１５７３と係合する中空ハブ部分を有する。駆動軸端部１１５７３は、中空ハブ１１５７１の内部に、対応する突出部、又はキー（図３２では見えないが、普通のもの）と係合する多数のキー１１５７５を有することができる。カートリッジを調製器具の上に置いたときに、羽根車１１５６９と駆動軸端部との係合を容易にするために、キーの数は駆動軸端部１１５７３と中空ハブ１１５７１との間で異なるものにできる。図３２に示すように、羽根１１５７０は羽根車１１５６９の周縁まで伸びていないが、それで、羽根１１５７０と周縁開口１１５６７（図３１）との間で豆が詰まるのを防ぐことができる。前述したように、羽根も柔軟な材料で作ることができ、そして羽根に更に柔軟性を与えるために、隙間１１５７９を残して、羽根は羽根車基部１１５７７に取り付けないのも都合がよい。
【０１５５】
実用的な実施例では、注入容積の約２０％は空洞１１５４０内に収容することができ、それで、注入容積の約８０％は注入室１１５３６に収容されることができる。注入容積を充填するために、羽根車１１５６９を約１５回転するのが通常は十分である。しかし、悪条件下でも充填を確実にするために、合計で３０又は２５回の多少余分の回転を考慮するのが都合がよいであろう。注入容積を充填するために、搬送羽根車１１５６９は、１００ないし５００ｒｐｍ、好ましくは２５０ないし３００ｒｐｍの範囲の回転速度で回転させられる。注入容積の充填が達成されると、器具は羽根車１１５６９の駆動から、グラインダーの駆動に切り替わる。羽根車１１５６９が静止されると、注入室１１５３６と空洞１１５４０は徐々にグラインダーに注ぎ込む（図示しないが、普通のことである）。羽根車１１５６９は動作していないので、豆は容器１１５３１から周縁開口１１５６７を通して脱出しない。グラインダーの動作による調製器具の振動で豆が逃げることがないことを確実にするために、羽根車１１５６９に直立した閉じフラップを設けることもできる。そのような閉じフラップは、図１５Ａないし１５Ｄ及び図１６Ａないし図１６Ｄの実施例を参照して記載したが、羽根車１１５６９が所定の位置で止まったときに、周囲開口１１５６７を閉じる。
【０１５６】
本発明によれば、コーヒー飲料装置は更に第二のコーヒー豆包装カートリッジを備え、前記第二のコーヒー豆包装カートリッジはコーヒー豆を保持しかつ供給するようにされた、そして、この場合もコーヒー調製器具に取り外し可能に接続されている。更に、第二のコーヒー豆包装カートリッジは、調製器具の第一注入デバイスから分離された第二注入デバイスを有していて、コーヒー調製器具とは独立に、１注入分のコーヒー豆を用意し、そしてコーヒー調製器具の流入孔に供給するようにされている。
【０１５７】
概して、第二注入デバイスは内部容積及び少なくとも１つのコーヒー豆出口を画定する流出孔を有する容器又はハウジングを有し、内部容積はコーヒー豆を保持するようにされていて、そして移送手段はコーヒー豆を内部容積から注入デバイス及び第二のコーヒー豆包装カートリッジの流出孔に向けて移送できるようにされている。第二のコーヒー豆包装カートリッジはコーヒー調製器具に適合されていて、第二のコーヒー豆包装カートリッジがコーヒー調製器具に接続されると、注入デバイス、具体的には、それの移送手段を用いて第二のコーヒー豆包装カートリッジの流出孔に向けて移送されたコーヒー豆は、コーヒーを作るために流入孔を介してコーヒー調製器具によって受け取ることができる。上記のコーヒー豆包装カートリッジの実施例の幾つかは調製器具からは独立して注入分のコーヒー豆を用意しかつ供給することができるけれども、ここでそのような第二のコーヒー豆包装カートリッジの実施例を説明する。
【実施例５】
【０１５８】
そのような第二のコーヒー豆包装カートリッジ２１１０２の第一の実施例を図３３Ａないし図３６Ｂをここで参照して説明する。
【０１５９】
第二のコーヒー豆包装カートリッジは、特別に、コーヒー調製器具４に接続するようにされている。それに加えて、第二のコーヒー豆包装カートリッジは第一のコーヒー豆包装カートリッジと同様な接続素子（例えば、差込み素子のような）を備えている。しかし、第二のコーヒー豆包装カートリッジは、更に別の外部器具、例えば、コーヒーの調製のためではなく、コーヒー豆を粉砕する為にだけ使用されるコーヒー粉砕器具に接続することができる。このようなことから見て、後述の記載は外部器具に言及するが、この外部器具はコーヒー調製器具に接続されるというよりは、第二のコーヒー豆包装カートリッジに接続することができる。
【０１６０】
図３３Ａは、第一の実施例の第一の態様による、コーヒー豆を保持しかつ供給する第二のコーヒー豆包装カートリッジ２１１０２の断面を示す。この例では、カートリッジ２１１０２には、コーヒー豆の例として焙煎したコーヒー豆２１１０４が充填されている。しかし、別の又はコーヒー豆２１１０４に追加して、カートリッジ２１１０２は、破砕し焙煎したコーヒー豆、又は挽いて焙煎したコーヒー豆のような他の種類のコーヒー豆で充填することができる。
【０１６１】
第二のカートリッジ２１１０２は、カートリッジ２１１０２の内部容積２１１０８を囲む容器又はハウジング２１１０６を有する。容器又はハウジング２１１０６は、例えば円筒形を有することができる。内部容積２１１０８内にコーヒー豆２１１０４を保持することができる。ハウジング２１１０６は、コーヒー豆２１１０４を内部容積２１１０８から放出するための出口２１１１０を有している。出口２１１１０から、コーヒー豆２１１０４は受入れ外部器具２１１１１２に供給することができる。外部器具２１１１１２は、空洞２１１１１５によって第二のカートリッジ２１１１０２に対応するように構成することができる。空洞２１１１５は、使用中は、外部器具２１１１２の先端部に存在するであろう。外部器具２１１１２は入口２１１１４を有し、その入口を通してコーヒー豆２１１０４を受け入れることができる。外部器具２１１１２の入口２１１１４は空洞２１１１５内に置くこともできる。
【０１６２】
カートリッジ２１１０２は、更にコーヒー豆２１１０４を出口２１１１０に向けて移送するための移送手段２１１１６を有している。移送手段２１１１６はコーヒー豆２１１０４に接触するための可動構造２１１１８を有する。そのような接触の結果、力をコーヒー豆２１１０４に加えることができる。しかし、その代わりに、そのような接触の結果、コーヒー豆の移動を阻止することができる。そこで、可動構造２１１１８によって印加される力は、コーヒー豆に働く重力のような他の力によって生じる反作用の力であろう。このようにして、接触素子を、コーヒー豆を能動的に移送するために用いることができ、及び／又はコーヒー豆を閉塞させ、そしてコーヒー豆の閉塞を解いてコーヒー豆の移送を実現するのに使用することができる。可動構造２１１１８は少なくとも部分的に、この例では完全に内部容積２１１０８内に存在する。この例では可動構造２１１１８はプランジャー２１１１９を形成することもできる。
【０１６３】
移送手段２１１１６は、更に可動構造２１１１８を手動で作動するための手動動作の作動手段２１１２０、この例ではクランク・ハンドル２１１２２を有している。手動作動手段２１１２０は少なくとも部分的に、この例では完全に、内部容積２１１０８の外側に設けられている。内部容積２１１０８の外側のそれらの位置は、手動作動手段２１１２０に、使用者により手で届くことができることを可能にする。
【０１６４】
第一の例では、移送手段２１１１６は、更に回転可能車軸２１１２４のような回転可能素子を有することができる。回転可能車軸２１１２４は、少なくとも部分的に、この例では全部が内部容積２１１０８の内部に配置することができる。ここで、回転可能車軸２１１２４は、使用中にハウジング２１１０６を貫通して設けられた第一軸受け２１１２６内で、及び第二軸受け２１１２７内で回転する。回転可能車軸２１１２４は、例えばハウジング２１１０６の外側で、クランク・ハンドル１１２２に結合することができる。このようにして、クランク・ハンドル１１２２は回転可能車軸２１１２４を回転するように構成することができる。
【０１６５】
第一の例では、回転可能車軸２１１２４は、ねじ山２１１３２を設けた、部分的にコンベヤー・スクリュー２１１３０として形成することができる。更に、プランジャー２１１１９はねじ穴２１１３４を有し、それを貫通してコンベヤー・スクリュー２１１３０を係合させることができる。コンベヤー・スクリュー２１１０３をクランク・ハンドル２１１２２によって回転させることによって、プランジャー２１１１９は内部容積２１１０８の中を下方又は上方に動くことができる。プランジャー２１１１９が下方に動くことにより、下方への力を挽いたコーヒー２１１０４に印加することができる。
【０１６６】
第二のコーヒー豆包装カートリッジ２１１２０は、更に回転可能な要素の回転軸を横断する方向に、内部容積２１１０８内での可動構造２１１１８の動きを実質的に防ぐために、リッジ２１１３６のような阻止要素を含むことができる。この例では、阻止要素は、ハウジング２１１０６の内側２１１３８に強固に取り付けられるリッジ２１１３６として形成される。このリッジ２１１３６は、ハウジング２１１０６の内側２１１３８に沿って、回転可能車軸２１１２４と略平行な方向に延在することができる。使用中、リッジ２１１３６はプランジャー２１１１９内のノッチ２１１４０と係合することができる。図３３Ｂは、ノッチ２１１４０、プランジャー２１１１９、及びリッジ２１１３６並びにハウジング２１１０６を断面Ａ−Ａ´で示す。しかし、ハウジング２１１０６とプランジャー２１１１９が直方形を有するか、更に一般的には、コンベヤー・スクリュー２１１３０が延在する方向を横断する方向へ、ハウジング２１１０６に対して可動構造２１１１８の移動が阻止される形状に可動構造２１１１８とハウジング２１１０６が形成されているならば、阻止要素を除外することができることは明らかである。
【０１６７】
第二のコーヒー豆包装カートリッジ２１１０２には、コーヒー豆２１１０４が出口２１１１０に向かう通路を妨害する障壁を形成する弁２１１４２を設けることができる。弁２１１４２は内部容積２１１０８の内部に配置することができる。弁２１１４２は１つ以上、例えば複数の柔軟性素子２１１４４を含むことができ、それは弁２１１４２が開いたときに変形される。柔軟性素子２１１４４は弾性材、例えばゴムを含むことができる。プランジャー２１１１９によってコーヒー豆２１１０４に掛かることができる下方への力は、使用時に、少なくとも部分的に弁２１１４２によって妨げることができる。弁２１１４２は出口２１１１０へ向かうコーヒー豆２１１０４の無制御な移動を防ぐので、弁２１１４２は、このようにして、コーヒー豆２１１０４の供給を制御する可能性を増加する。
【０１６８】
第二のコーヒー豆包装カートリッジ２１１０２は、外部器具２１１１２の外部駆動部材２１１４８を受けるハウジング２１１０６内に凹部２１１４６を設けることができる。第一の例では、ハウジング２１１０６は凹部２１１４６内に閉ざされている。図３３Ａでは、外部駆動部材２１１４８は凹部２１１４６内に受け入れられている。図３３Ａから、凹部２１１４６は、第二のコーヒー豆包装カートリッジ２１１０２、特に、第二のコーヒー豆包装カートリッジ２１１０２のハウジング２１１０６と、外部駆動部材２１１４８との間の機械的な接触を防ぐに必要な寸法にされることは明らかである。このようにして、第二のコーヒー豆包装カートリッジ２１１０２は、外部駆動部材２１１４８を備えた外部器具２１１１２と組み合わせて使用することができ、一方、第二のコーヒー豆包装カートリッジ２１１０２は、外部駆動部材２１１４８を備えていない別の外部器具と組み合わせて用いることもできる。
【０１６９】
図３３Ａは、また、移送手段２１１１６、具体的には回転可能車軸２１１２４が、外部駆動部材２１１４８と、使用中に、機械的な接触を防ぐために配置することができる。例えば、図３３Ａにおいて、回転可能車軸２１１２４の端部が、この例では第二軸受け２１１２７に配置され、凹部２１１４６から間隔を置かれている。このように、外部駆動部材２１１４８による移送手段２１１１６の駆動を避けることができる。しかし、図３３Ｃに示す第一の例で、第二のコーヒー豆包装カートリッジ２１１０２の変形において、移送手段２１１１６、特に回転可能車軸２１１２４は、使用中、外部駆動部材２１１４８によって移送手段２１１１６の駆動を確立するために配置することができる。図３３Ｃに示す変形では、回転可能車軸２１１２４と外部駆動部材２１１４８は、使用中に機械的な接触をする。これは、手動動作の作動手段２１１２０及び外部駆動部材２１１４８の両者によって回転可能車軸２１１２４の駆動を可能にする。
【０１７０】
図３４は、コーヒー豆、例えば、調製器具から独立した注入を有する第一の実施例の第二の態様による、コーヒー豆２１１０４を保持しかつ供給する第二のコーヒー豆包装カートリッジ２１１０２の断面を示す。第二のコーヒー豆包装カートリッジ２１１０２は、ハウジング２１１０６、移送手段２１１１６、可動構造２１１１８、及び出口２１１１０を備えている。
【０１７１】
第二の例では、第二のコーヒー豆包装カートリッジ２１１０２は、内部容積２１１０８内に内部の壁２１１５２を設けることができる。内部の壁２１１５２は、使用中、ハウジング２１１０６の上部２１１５４から間隔をおいて離しておくことができる。第一の例と同様に、移送手段２１１１６は、可動構造２１１１８のねじ穴２１１３４内にコンベヤー・スクリュー２１１３０を設けている。コンベヤー・スクリュー２１１３０をクランク・ハンドル２１１２２で回転させることによって、可動構造２１１１８を、使用中、上方向に移動させることができる。移送手段１１１６は、したがって、コーヒー豆２１１０４を、使用中、ハウジング２１１０６の上部２１１５４と内部の壁２１１５２との間の空間２１１５６を通して移動させるようにされている。コーヒー豆２１１０４が可動構造２１１１８によって十分に高く持ち上げられるならば、空間２１１５６を通ってのこのような移動が生じるであろう。内部の壁２１１５２によってはこれ以上は支持できない上昇した大量のコーヒー豆２１１０４の振動又は横方向の不安定さのために、コーヒー豆２１１０４は内部の壁２１１５２を越えて横方向へ移動するであろう。
【０１７２】
図３４は、更に内部の壁２１１５２が内部容積２１１０８の第一部分２１１０８Ａを、内部容積２１１０８の第二部分２１１０８Ｂから分けていることを図示している。可動構造２１１１８は、内部容積２１１０８の第一部分２１１０８Ａ内に配置することができる。出口２１１１０は、内部容積２１１０８の第二部分２１１０８Ｂを介して到達できる。
【０１７３】
図３５は、調製器具とは独立して注入を有する第一実施例の第三の態様による、コーヒー豆、例えばコーヒー豆２１１０４を保持しかつ供給する第二のコーヒー豆包装カートリッジ２１１０２を断面で示す。第二のコーヒー豆包装カートリッジ２１１０２は、ハウジング２１１０６、移送手段２１１１６、可動構造２１１１８、及び出口２１１１０を備えている。
【０１７４】
この第三の例では、可動構造２１１１８は、回転可能素子、例えば回転可能車軸２１１２４に強固に接続することができる。可動構造２１１１８は、例えば円盤のように形成することができる。可動構造２１１１８は少なくとも１つの第一開口２１１６０を設けることができ、それを通してコーヒー豆２１１０４を通過させることができる。図３５で、２つの第一開口２１１６０が見られる。第一開口２１１６０の全体の数量は、１ないし６の範囲、７ないし１５の範囲、及び／又は１５を超えるものとすることができる。
【０１７５】
第二のコーヒー豆包装カートリッジ２１１０２は、少なくとも１つの第一開口２１１６０の上又は下に、使用時に、配置される少なくとも１つの第二開口を備え、出口２１１１０への入口を提供することができる。回転可能車軸２１１２４の回転の結果、少なくとも１つの開口は少なくとも１つの第二開口と整合することができる。それで、コーヒー豆２１１０４は少なくとも１つの第一及び少なくとも１つの第二開口を通って下降することができる。更に回転可能車軸２１１２４を回転することによって、少なくとも１つの第一及び少なくとも１つの第二開口の整合は少なくとも部分的になくなる。このようにして、コーヒー豆２１１０４の供給を止めることができる。したがって、回転可能車軸２１１２４の回転は、コーヒー豆２１１０４の供給を制御することができる。
【０１７６】
この例では、第二開口は出口２１１１０によって形成され、使用時に、第一開口２１１６０の下に置かれる。しかし、別の方法では、少なくとも１つの第二開口は出口２１１１０から間隔を置くことができる。より一般的には、第二開口の全体の量は第一開口２１１６０の全量にほぼ等しくすることができる。したがって、出口２１１１０は複数の開口を含むことができ、それらは互いに相互接続されるか、又はされないかであることは明らかである。
【０１７７】
図３６Ａ及び図３６Ｂは、調製器具からは独立して注入を有する第一の実施例の第四の態様による、コーヒー豆、例えばコーヒー豆１１０４を保持しかつ供給する第二のコーヒー豆包装カートリッジ１１０２を断面で示している。第二のコーヒー豆包装カートリッジ２１１０２は、ハウジング２１１０６、移送手段２１１１６、移送手段２１１１６の可動構造２１１１８、及び出口２１１１０を備えている。
【０１７８】
第四の例において、可動構造２１１１８は、弾性部材、ここでは弾性スプリング２１１６４によって、第二のコーヒー豆包装カートリッジ２１１０２に弾性的に取付けられている。可動構造２１１１８は、手動で動作する作動手段２１１２０、ここでは第一の位置から第二の位置へ、そして逆の場合も同じに反復可能なレバー２１１６６を含む、によって移動可能である。
【０１７９】
図３６Ａは、可動構造２１１１８が第一の位置にある第四の例の第二のコーヒー豆包装カートリッジ２１１０２を示している。図３６Ｂは、可動構造２１１１８が第二の位置にある第四の例の第二のコーヒー豆包装カートリッジ２１１０２を示している。可動構造２１１１８を第一の位置から第二の位置へ移動させることによって、スプリング２１１６４を弾性的に変形させることができることは、従って明らかである。
【０１８０】
図３６Ａ及び図３６Ｂの第二のコーヒー豆包装カートリッジ２１１０２は、内部容積２１１０８内に出口２１１１０に向かうコーヒー豆に対する通路２１１６８が設けられている。通路２１１６８は、内部壁２１１５２と、ハウジング２１１０６から内部容積２１１０８内に延在する付加的な壁２１１７０とによって形成させることができる。この例では、第二の位置で、可動構造２１１１８によって、通路２１１６８は少なくとも部分的に詰まっていて、この例ではほとんど完全に詰まっていて、すなわち、ほとんど塞がっている。この例では、第二の位置よりも、第一の位置で通路２１１６８は可動構造２１１１８によって詰まりが少ない。この例では、第一の位置では、通路２１１６８は可動構造２１１１８によって詰まらない。変形例では、しかし、第一及び第二の位置を逆にして、そのため第一の位置で、可動構造２１１１８によって通路２１１６８を少なくとも部分的に詰まらせ、そして、第二の位置で、可動構造２１１１８によって通路２１１６８は、第一の位置よりも詰まりが少ない、又は可動構造２１１１８によって詰まらない。
【０１８１】
第四の例では、第一の位置は、使用中、第二の位置よりも下に設置される。更に、少なくともコーヒー豆２１１０４の一部分は、使用中、可動構造２１１１８の上にある。その結果、可動構造２１１１８を第一の位置から第二の位置へ、その逆も同じ、可動構造２１１１８を繰り返し動かすと、結果的に可動構造２１１１８の上にあるコーヒー豆２１１０４の少なくとも一部分の振動を生ずる。そのような振動は、内部容積２１１０８を通してコーヒー豆の移動を促進する。
【０１８２】
第一、第二、第一、及び第四の例のいずれかの第二のコーヒー豆包装カートリッジ２１１０２は方法に使用することができる。その方法は、コーヒー豆、例えば、第二のコーヒー豆包装カートリッジ２１１０２から外部器具２１１１２へコーヒー豆２１１０４を供給することを含む。その方法は、更に、第二のコーヒー豆包装カートリッジ２１１０２の内部容積２１１０８を包囲するハウジング２１１０６内にコーヒー豆２１１０４を保持することを含む。この方法は、更に、所定の注入量のコーヒー豆２１１０４を移送手段２１１１６によってハウジング２１１０６の出口２１１１０に向けて移送するのを用意することを含む。この方法は、更に、内部容積２１１０８から出口２１１１０を通して注入分のコーヒー豆を放出することを含む。この方法で、コーヒー豆２１１０４を移送することは、移送手段２１１１６の可動構造２１１１８によってコーヒー豆２１１０４に接触することを含む。ここで、可動構造２１１１８は、少なくとも部分的に、内部容積２１１０８内に存在する。この方法は、更に、可動構造２１１１８を、移送手段２１１１６の手動で動作する作動手段２１１２０によって作動することを含む。ここで、手動で動作する作動手段２１１２０は、少なくとも部分的に、内部容積２１１０８の外部に設けられる。しかし、この方法は、第二のコーヒー豆包装カートリッジ２１１０２の他の実施例によっても実施できることは明らかである。また、この方法は、記載した例又は変形例のいずれかの第二のコーヒー豆包装カートリッジ２１１０２を使用することなく実施できる。
【実施例６】
【０１８３】
コーヒー調製器具（または、更に別の外部器具）に接続でき、その調製器具とは独立に注入を有する第二のコーヒー豆包装カートリッジの第２実施例を、図３７Ａないし３７Ｄを参照して、これから説明する。図３７Ａ及び３７Ｂに示すように、第二のコーヒー豆包装カートリッジ２２５００はコーヒー豆２１１４０を保持しかつ供給するスクーパー２２５１０を有する。第二のコーヒー豆包装カートリッジ２２５００は、更に、差込み素子を凹部５０内の側壁５４内の開口５８に配置し、第二のコーヒー豆包装カートリッジ２２５００をその最終位置まで回転することによって、第二のコーヒー豆包装カートリッジ２２５００をコーヒー調製器具４に接続するための差込み素子（ただ１つの差込み素子２１６８３が示されている）を有するボデー２２５２０を有する。その最終位置で、スクーパー２２５１０は、コーヒー調製器具４の入力開口９と整合する。第二のコーヒー豆包装カートリッジ２２５００は手動でスクーパーを回転するためのハンドル２２５３０を有する。スクーパー２２５１０は軸２２５４０によってボデーに接続され、ハンドル２２５３０を作動してスクーパー２２５１０を水平軸の周りを回転させることを可能にしている。この記載を通して、カートリッジは「ホルダー」も含み、そのためある量のコーヒー豆を保持できるスクーパーは、カートリッジとしても認められることを注意されたい。
【０１８４】
図３７Ｃは直立位置にあるスクーパー２２５１０を示し、１杯分のコーヒー豆２１１０４を保持している。使用者は、単にハンドル２２５３０を半分だけ回転して、図３７Ｄに示すようにスクーパー２２５１０を空にして、コーヒー豆をコーヒー調製器具４に供給することができる。それで、スクーパーは、コーヒー豆を調製器具４のコーヒー豆開口９に向けて移送する移送手段としても動作する。
【実施例７】
【０１８５】
コーヒー調製器具に接続できる第二のコーヒー豆包装カートリッジの第３実施例を図３８Ａないし３８Ｃを参照してこれから説明する。図３８Ａに示すように、第二のコーヒー豆包装カートリッジ２２６００は、使用者によって挿入された所定の注入量のコーヒー豆２１１０４を保持するホッパー２２６１０を有している。量を決めるために、じょうご状部分はその内面上に、作られる最終の飲料の量又は強さを示すマークを付けることができ、そのため、使用者はホッパーに入れる豆の量を選ぶことができる。第二のコーヒー豆包装カートリッジ２２６００は複数の脚部２２６２０を有している。幾つかの又は全部の脚部は、前述したように、差込み素子を開口５８内に取付け、続けて、第二のコーヒー豆包装カートリッジを回転することによって、第二のコーヒー豆包装カートリッジ２２６００をコーヒー調製器具４に取付けるための差込み素子（図示せず）を備えている。第二のコーヒー豆包装カートリッジ２２６００がその最終位置にあると、ホッパー２２６００の出口２２６３０は、図３８Ｂ及び３８Ｃに示すように、コーヒー調製器具４のコーヒー豆の流入孔９と整合する。移送手段は閉じ板２２６００を有し、閉じ板はハンドル２２６７０のような手動の作動手段によって水平軸の周りを手動で回転できる。閉じ板は仮想円筒の一部、好ましくはその約半分を形成する。仮想円筒の他の部分は開いている。図３８Ｂに示す第一の位置で、閉じ板は出口２２６３０を閉じ、あるいはほとんど閉じて、これによりホッパー２２６１０からコーヒー調製器具４までのコーヒー豆２１１０４の通路を妨げる。図３８Ｃに示す第二の位置で、閉じ板２２６６０は、ホッパー２２６１０の内部容積の第一の広い部分２２６４０を、ホッパー２２６１０の内部容積の第二の狭い部分２２６５０から区切る、又はほとんど区切る。これにより、第一の部分２２６４０から第二の部分２２６５０へのコーヒー豆２１１０４の通路が妨げられる。
【０１８６】
閉じ板を第一と第二の位置との間で回転することによって、使用者はコーヒー調製器具４に複数注入量のコーヒー豆を供給できる。実際、閉じ板２２６６０が図３８Ｂに示すその第一の位置にあるときに、重力によって、コーヒー豆２１１０４はホッパーの第二の部分２２６５０に入る。図３８Ｃに示すように、閉じ板２２６６０がその第二の位置に回転されると、ホッパーの第二の部分２２６５０内のコーヒー豆は重力のためにコーヒー調製器具４内に落下する。そのため、１注入量のコーヒー豆２１１０４は、ホッパー２２６１０の内部容積の第二の部分２２６５０内に保持されるコーヒー豆に対応する。
【実施例８】
【０１８７】
コーヒー調製器具に接続できる、第二のコーヒー豆包装カートリッジの第４実施例を、図３９Ａないし３９Ｃを参照してこれから説明する。図３９Ａに示すように、第二のコーヒー豆包装カートリッジ２２７００はコーヒー豆を保持するためのじょうご状ホルダー２２７１０を有する。第二のコーヒー豆包装カートリッジは、じょうご状ホルダー２２７１０の上端に上部出口２２７２０を有し、ホルダーから１注入量のコーヒー豆２１１０４を放出するために、上部出口はチューブ（図示せず）によって下部出口２２７２５（図３９Ｂ参照）に接続される。第二のコーヒー豆包装カートリッジ２２７００は、前述したように、差込み素子（それらのうちの１つだけ２１６８３が図３９Ｂに示されている）を開口５８内に置き、引続き第二のコーヒー豆包装カートリッジを回転することによって、コーヒー調製器具４に接続することができる。第二のコーヒー豆包装カートリッジ２２７００がその最終位置にあると、出口２２７２０と２２７２５は、コーヒー調製器具４のコーヒー豆流入孔９と整合する。移送手段は、じょうご状ホルダーの内壁上のらせん状軌道２２７４０からなる。らせん状軌道２２７４０は、内壁から突出するらせん形縁部２２７３０によって得られる。じょうご状ホルダー２２７１０は、使用中、図３９Ｃに示すように回転される。動かない阻止部材２２７５０はコーヒー豆が内壁上を回転し続けるのを妨げる。その結果、らせん状軌道が回転し続けるので、コーヒー豆はらせん状軌道２２７４０に従って出口２２７２０に向かって上方へ駆動される。
【０１８８】
好ましくは、ホルダー２２７１０を回転するための作動手段は、バッテリーで動作するモーターによって形成されるが、原理的に手動で作動する手段も用いることができる。ホルダーの回転は駆動クラッチ２２７７０を、所望の回転速度に対応する位置２２７６０まで動かすことによって開始することができる。例えば、回転速度を選択することによって、使用者はコーヒー調製器具に供給されるコーヒー豆の量を選択でき、それにより、コーヒーの強さを調節できる。
【０１８９】
別の方法は、コーヒー調製器具４内のグラインダーの開始及び終了を検出することによって、自動的にモーターの運転を開始及び終了することもできる。その検出は、それ自体知られている手段、グラインダーの音又はその振動を検出する手段によって、実行することができる。このようにして、そのグラインダーが動作している間は、コーヒー調製器具にコーヒー豆が供給される。
【実施例９】
【０１９０】
本発明の第５実施例によれば、第一及び／又は第二のコーヒー豆包装カートリッジはコーヒー豆包装である第一モジュール及びモーターを有する第二モジュールを有する。第一モジュールはコーヒー調製器具に取外し可能に接続可能であり、第一モジュールをコーヒー調製器具に接続すると、第二モジュールは第一モジュールに取り外し可能に接続可能である。この実施例を、図４０Ａないし４０Ｆに示す第二のコーヒー豆包装カートリッジを参照してこれから説明するが、適切に適合させて第一のコーヒー豆包装カートリッジにも応用できる。
【０１９１】
図４０Ａに示すように、第二のコーヒー豆包装カートリッジは、コーヒー豆包装又は容器である第一モジュール２２２０３を有する。第二モジュール２１８００は、そこに素子２１８１０を取り付けることによって、第一モジュール２２２０３の上部に取外し可能に接続可能である。第二モジュール２１８００を第一モジュール２２２０３の上部に結合すると、第二のコーヒー豆包装カートリッジはコーヒー豆の供給モードにある。第二モジュールは、携帯電話に使用するものと同様な振動モーターを有するバッテリー駆動の装置を有する。図４０Ｂに示すように、第二モジュール２１８００を第一モジュール２２２０３の上に配置すると、モーターはボタン２１８２０によってスイッチオンにすることができる。第二モジュールの揺さぶり又は振動は第一モジュール２２２０３内にあるコーヒー豆をその出口に向かって流れるのを促し、コーヒー豆を、図４０Ｃに示すようにコーヒー調製器具４に供給することになる。
【０１９２】
第二のコーヒー豆包装カートリッジをコーヒー豆再充填モードにするために、第一モジュール２２２０３をコーヒー調製器具４から取外し、図４０Ｄに示すように、第二モジュールを第一モジュールの底部側に結合しなければならない。前述したように、コーヒー調製器具４に接続されているときは、第一モジュール２２２０３の出口２１６１２は開いていて、接続されていないときは、閉じている。コーヒー豆再充填モードで第二モジュールを第一モジュールに、コーヒー調製器具と同じ又は同じように、接続することによって、第一モジュール２２２０３の出口が開き、カートリッジをコーヒー豆で再充填する入口に用いることができる。それに、第二モジュール２１８００は、コーヒー豆を使用者が供給するためのじょうご状部２１８３０とコーヒー豆入口２１８４０を有する。それは、更にコーヒー豆出口２１８５０を有し、その出口は、コーヒー豆再充填モードで第二モジュールが第一モジュール２２２０３に接続されると、第一モジュールの出口２１６１２と整合し、それは、ここでコーヒー豆入口の機能を有する。第二モジュール２１８００を第一モジュール２２２０３に接続するために、図４０Ｅに示すように、使用者はボタン２１８６０を押して、ラッチ開閉器に係合させる。モーターを作動させて、じょうご状部２１８３０内のコーヒー豆２１１０４は、図４０Ｆに示すように、支援されて第一モジュール２２２０３内に入る。
【０１９３】
図４１Ａに、第一注入デバイスとは独立している第二注入デバイスを有する本発明の別の実施例による、複数の区画３０１４を有する第二のコーヒー豆包装カートリッジ３００３の断面が略図で示されている。図４１Ｂにおいて、複数の区画を有するコーヒー豆包装カートリッジ又はコーヒー豆包装３００３が、第二注入デバイス３０２３を明確に描いた斜視図で示されている。この目的のため、包装３００３、具体的には注入デバイス３０２３が複数の区画３０１４で構成され、その区画はそれぞれ１注入分のコーヒー豆で充填されている。包装３００３は、具体的には注入デバイス３０２３は、例えば図示の実施例では回転部分である移動可能な注入素子３０１５を有することができ、その移動可能な注入素子３０１５はコーヒー豆出口３０１１を備えている。注入素子３０１５は、例えば注入素子３０１５の外壁に作用し、かつ、例えば、素子３０１５を回転するために直線に沿って動くことができる作動素子によって手動で移動させることができる。次に、図４２を参照して実施例を示す。図４１Ｂによる第二の包装カートリッジは更に、移動可能な注入素子３０１５の下に、コーヒー調製器具に接続するために前述した差込み接続を備えている。この実施例では、移動可能な注入素子３０１５は、移動中、或る量のコーヒー豆を調製器具に、特にそのグラインダーに供給する素子を含むものと理解されたい。区画３０１４のうちの１つの下に、コーヒー豆出口３０１１を置くことによって、それぞれの区画３０１４からコーヒー豆は、コーヒー豆出口３０１１を通ってグラインダーに向けて動くことができる。例えば、コーヒー豆は重力でコーヒー豆出口３０１１を通って落ちる。例えば、少なくとも１つの停留位置３０１６は、コーヒー豆出口３０１１が停留できる位置辺りに設けることができ、そのため、コーヒー豆出口３０１１を通る望ましくないコーヒー豆の流出はない。更に、第二のコーヒー豆包装カートリッジ３００３には閉鎖ストリップ３０１７又は同様のものを設けることができ、そのストリップは使用前にコーヒー豆包装３００３の出口側３０１８を閉鎖し、コーヒー調製器具内にその包装３００３を置く前に、例えば使用者によって除去される。このようにして、コーヒー豆包装３００３の出口側３０１８は使用前は清潔に被覆されている。更に、例えば、第二のコーヒー豆包装カートリッジ３００３の外側に情報及び／又は広告を提供するために、区画３０１４を包囲するシェル３０１９を設けることができる。
【０１９４】
図４１を参照して説明した実施例において、注入デバイス３０２３は、図４２に概略を示す、作動素子３０１９によって作動することができる。例えば、作動素子３０１９は、それぞれ２つの反対方向ｌ１及びｌ２へ直線に沿って手動で動かすことができる、長い平らな素子で実施される。その素子が直線に沿って方向ｌ１へ動くと、注入素子３０１５はＤ１の方向へ回転する。その素子が直線に沿って方向ｌ２へ動くと、注入素子３０１５はＤ２の方向へ回転する。
【０１９５】
作動素子３０１９は、説明の実施例で回転部分である移動可能な注入素子３０１５に作用して、注入分のコーヒー豆をグラインダーに供給するために、コーヒー豆出口３０１１を区画３０１４の１つに対抗して配置するように構成することができる。移動可能な注入素子３０１５は、例えば回転方向Ｄ１及びＤ２に回転可能で、コーヒー豆出口３０１１を所望の区画３０１４の下に及び／又は対抗して移動する。このように、素子３０１９は開放手段１２Ａとして動作する。更に、素子３０１９には歯を設けることができ、この歯は第２のカートリッジの外側に配置された対応する歯に係合する。
【０１９６】
また、移動可能な注入素子３０１５は閉じ手段３０１２Ａとして構成され及び／又は閉じ手段３０１２Ａを設ける（図４４Ｂ参照）することができる。注入素子３０１５が回転されて空の区画を解放するだけならば、他の区画は、例えば閉鎖されて、第二のコーヒー豆包装カートリッジ内のコーヒー豆が周囲空気に曝されるのを防いでいる。このように、素子３０１９は閉じ機構として働く。
【０１９７】
図４２及び図４３に示すように、移動可能な注入素子３０１５は区画３０１４のＬ方向へも移動可能とすることができる。例えば、移動可能な注入素子３０１５は包装カートリッジ３００３の残りの部分に対して移動でき、そのため、例えば下方向へ移動した状態でコーヒー豆出口３０１１は解放され、又は、そのため、例えば上方向へ移動した状態でコーヒー豆出口３０１１は閉じられる（図４２参照）。分かるように、出口３０１１は包装カートリッジ３００３、特に移動可能な注入素子３０１５の側面に配置することができる。
【０１９８】
図４３には、別の実施例が示されていて、そこでは閉じ手段の部分を形成するリング３０２２を上方向へ移動させることによって、コーヒー豆出口３０１１が解放される。第二のコーヒー豆包装カートリッジ３００３は多数の区画３０１４を設けることができる。閉じ手段２Ａの下に、例えば１つの出口３０１１を備えた、回転可能な注入素子３０１５を設けることができる。出口３０１１が１つの区画３０１４に対抗して位置すれば、少なくとも閉じ手段がその出口を解放すれば、出口３０１１は、それで、例えばコーヒー豆を含む１つの区画３０１４を解放することができる。閉じ手段３０２２はコーヒー豆出口３０１１を閉じかつ解放するように構成することができる。例えば、第二のコーヒー豆包装カートリッジ３００３がコーヒー調製器具に接続されたときに、コーヒー豆出口３０１１が解放されるように、第二のコーヒー豆包装カートリッジ３００３は構成される。例えば、第二のコーヒー豆包装カートリッジ３００３がコーヒー調製器具の接続デバイス内に配置されるならば、閉じ手段３０２２は上方へ滑動する。回転可能な注入素子は、例えば、作動素子３０１９を用いて、かつ例えば、回転させて、コーヒー豆出口３０１１をそれぞれの区画３０１４に対抗して配置することができ、そのため、コーヒー豆はそれぞれの区画３０１４から流れ出る。
【０１９９】
他の実施例において、第二のコーヒー豆包装カートリッジ３００３は、複数のコーヒー豆出口３０１１が設けられ、例えば、すべての区画３０１４に出口３０１１が設けられ、一方、コーヒー調製器具は１つのコーヒー豆入力を設けている。
【０２００】
他の実施例では、第二のコーヒー豆包装カートリッジ３００３は多数の区画３０１４に対応する多数の出口３０１１を有し、すべての出口３０１１は閉じ手段３０２２を有する。例えば、作動素子３０１９は、それで、コーヒー豆の１注入分を供給するため、密閉３０２２を開け又は突き破るように構成されている。閉じ手段は、例えば、破れやすい、引裂ける及び／又は切れるホイルを含むことができる。したがって、使用者は、例えば、それぞれの出口３０１１を解放することによって、及び／又は、例えば、注入素子３０１５を移動させて、例えば、素子３０１９を作動させて、第二のコーヒー豆包装カートリッジ３００３の注入デバイス３０２３を動作させる。
【０２０１】
図４４Ａ及び４４Ｂにおいて、他の実施例が示されていて、注入デバイス３０２３が第二のコーヒー豆包装カートリッジ３００３内に含まれている。注入デバイス３０２３は回転及び／又は滑動機構を有することができる。注入デバイス３０２３は、室３０２４を有するハウジング３０２５と、コーヒー豆出口３００５を有する閉鎖３０１２を設けることができる。コーヒー豆出口３００５は室３０２４に対して移動可能であり、そのため、例えば、閉じ手段３０１２Ａ及び／又はハウジング３０２５を回転方向Ｄに回転することによって、室３０２４は閉じ手段３０１２Ａによって解放されるか、又は閉鎖されるかである。
【０２０２】
第二のコーヒー豆包装カートリッジ３００３は、例えば、開口３０１１及び密封ストッリプ３０１７を備えている。密封ストリップ３０１７を少なくとも部分的に除去して、開口３０１１を解放することができる。例えば、包装カートリッジから突出している、そのため使用者が掴むことができる引抜きタブ（図示せず）を引っ張って、密封ストリップ３０１７を部分的に又は全体を除去することができ、そのため、開口３０１１が解放される。室３０２４を開口３０１１の下に置くことによって、コーヒー豆は室３０２４内に最後には入ることができる。好ましくは、室３０２４の容積はコーヒー豆の１注入分を一時的に保存するには十分である。室３０２４を１注入分のコーヒー豆で充填したあとで、室３０２４と開口３０１１は互いにずらされて、そのため開口３０１１は、例えば、ハウジング３０２５の上面によって閉鎖される。コーヒー豆出口３００５を室３０２４の下に配置して、室３０２４内の注入分のコーヒー豆は解放され、そしてグラインダーへ通すことができる。開口３０１１と室３０２４は、もはや互いに接続されていないので、第二のコーヒー豆包装カートリッジ３００３からこれ以上コーヒー豆は室３０２４を介してグラインダーへ通されないし、したがって、１注入分の挽いたコーヒー豆をコーヒー調製デバイスに供給することができる。
【０２０３】
図４５Ａ及び図４５Ｂに、一実施例が示されていて、それには注入デバイス３０２３が第二のコーヒー豆包装カートリッジ３００３の内部で、かつ底部に設けられている。したがって、第二のコーヒー豆包装カートリッジ３００３、具体的には、注入デバイス３０２３が、例えば一時的に１注入分のコーヒー豆を保存し及び／又は通すための室３０２４を備えている。室３０２４は第一ハウジング部分３０２５Ａ内に設けることができ、一方、第一ハウジング部分３０２５Ａと室３０２４は、受入れ第二ハウジング部分３０２５Ｂの内部で、かつ受入れ第二ハウジング部分３０２５Ｂに対して、例えば第一ハウジング部分３０２５Ａの中心軸３０２５Ｃの周りを回転することができる。図４５Ｂの展開図において、第一ハウジング部分３０２５Ａと室３０２４は、図４５Ａに示す位置に対して、中心軸３０２５Ｃの周りを、例えば９０度回転している。ハウジング部分３０２５Ａ、３０２５Ｂは１つのハウジング３０２５の部分とすることができる。ハウジング３０２５は注入デバイス３０２３の一部分である。更に、第二のコーヒー豆包装カートリッジ３００３内で、ハウジング３０２５の上に、コーヒー豆で充填された空間が設けられている。その空間は、例えばただ１つの区画を有し、多数の注入分のコーヒー豆で充填されている。更に、コーヒー豆を注入デバイス３０２３に重力の作用で供給するため、コーヒー豆開口３０２６が、前記空間の底部で、コーヒー豆を有する空間の下で、かつ注入デバイス３０２３の上に設けることができる。第一ハウジング部分３０２５Ａは開口３０２６に対して可動で、具体的には回転可能に構成され、一方、受入れハウジング部分３０２５Ｂを通路３０２６に対して固定して構成することができる。第一ハウジング部分３０２５Ａは、例えば、作動素子３０１９によって回転することができ、この作動素子は、第二ハウジング部分３０２５Ｂ内の開口を介して第一ハウジング部分３０２５Ａの外壁に作用し、そして、前述したようにハウジング部分３０２５Ａを回転するために方向ｌ１及びｌ２の直線に沿って移動する。他の制御方法も可能である。室３０２４の下に、コーヒー豆開口３０１１を有する閉じ手段３０１２Ａを設けることができる。例えば、閉じ手段３０１２Ａはハウジング３０２５に対して回転可能である。第一ハウジング部分３０２５Ａを受入れハウジング部分３０２５Ｂに対して回転することによって、室３０２４はコーヒー豆通路３０２６の下に置くことができ、好ましくは１注入分に等しいコーヒー豆の一部は、室３０２４に降りていく。その結果、室３０２４は再び移動されるため、開口３０２６に接続されず、例えば室３０２４の上側は第二のコーヒー豆包装カートリッジ３００３の下部３０２６Ａによって閉鎖される。それからコーヒー豆開口３０１１を室３０２４の下に配置することによって、コーヒー豆開口又は出口３０１１を介して注入分のコーヒー豆がグラインダーに供給される。例えば、コーヒー豆の注入は、第二のコーヒー豆包装カートリッジ３００３と一体に設けることができる作動素子３０１９を介して作動される。
【０２０４】
第二のコーヒー豆包装カートリッジ３００３は、例えば、直方体及び／又は略直方形又は円筒形で作ることができる。一実施例では、第二のコーヒー豆包装カートリッジの内部空間は、例えば、内部空間が、少なくとも２０グラム、更に特別には少なくとも５０グラム、もっと更に特別には少なくとも７０グラム、そしてもっと更に特別には少なくとも２００グラムのコーヒー豆で全体に充填されているときに、多数の注入分のコーヒー豆を保持するように構成されている。別の実施例では、第二のコーヒー豆包装カートリッジ３００３は１注入分だけのコーヒー豆を有し、そのため、装置は、第二のコーヒー豆包装カートリッジ３００３をそれぞれ接続した後で、１注入分のコーヒー豆、例えば１杯のコーヒー飲料を処理する。また、１注入分は、例えば、複数杯のコーヒー飲料、或いは大きなカップのコーヒー飲料に相当することがあり、そのとき使用者は小さな又は大きな第二のコーヒー豆包装カートリッジ３００３の中から選ぶことができ、それらを丸ごと使用時にコーヒー調製器具に取り付ける。装置内の異なる第二のコーヒー豆包装カートリッジ３００３は、多数の容積を含むことがある。そのような第二のコーヒー豆包装カートリッジ３００３は、例えば１注入の後で、交換するか及び／又は捨てることができる。
【０２０５】
図４６ＡないしＶは、例として、コーヒー豆を有する第二のコーヒー豆包装カートリッジ３００３に対して注入デバイス３０２３を使用する方法に対する可能な工程を時間的な順序で示している。注入デバイス３０２３は第二のコーヒー豆包装カートリッジ３００３からコーヒー調製器具に、具体的にはグラインダーに所定の注入分のコーヒー豆を供給できるように構成されている。注入デバイス３０２３は例えばピストン３０３３を有し、このピストンは移動可能な、具体的には滑動可能な、コーヒー豆出口３０１１を有する対応するチューブ３０３４の形式の注入素子である。チューブ３０３４は第二のコーヒー豆包装カートリッジ３００３内に設けることができる。ピストン３０３３及びチューブ３０３４は、例えば円形断面又は多角形断面を有することができる。チューブ３０３４は、好ましくは第二のコーヒー豆包装カートリッジ３００３からのコーヒー豆の少なくとも一部で充填されている。
【０２０６】
第一工程で（図４６Ａ）、第二のコーヒー豆包装カートリッジ３００３は閉じられている。例えば、第二のコーヒー豆包装カートリッジ３００３は、好ましくは、第二のコーヒー豆包装カートリッジ３００３を実質的に気密に及び／又は真空で閉じている密封ストリップ３０１７を備えている。第二のコーヒー豆包装カートリッジ３００３内には、複数杯のコーヒー飲料用の複数注入分のコーヒー豆に対して、十分なコーヒー豆が存在できる。好ましくは、第二のコーヒー豆包装カートリッジ３００３はほとんど完全にコーヒー豆で充填されている。第二のコーヒー豆包装カートリッジ３００３内に、使用者が移動できるピストン３０３３が配置されている。
【０２０７】
第二工程で、使用者によって、例えば、ピストン３０３３に取付けられているロッド３０３３Ａ（図４６Ｄにのみ図示）が引っ張られて、ピストン３０３３がコーヒー豆出口３０１１を通して引き出されて、そのため少なくとも一部の密封ストリップ３０１７が引裂かれる（図４６Ｂ）。ここでピストン３０３３は出口３０１１を閉じているので、コーヒー豆は第二のコーヒー豆包装カートリッジ３００３から抜け出ない。好ましくは、ピストン３０３３はチューブ３０３４の端部に配置されるので、チューブ３０３４のかなりの部分はまだコーヒー豆で充填されている。次の工程で、ピストン３０３３、チューブ３０３４及びチューブ３０３４内のコーヒー豆は第二のコーヒー豆包装カートリッジ３００３から部分的に出され（図４６Ｃ）、一方、ピストン３０３３は出口３０１１を閉じ続けている。これは、例えば、チューブ３０３４内側にピストン３０３３に対するストップを設けることによって実現できる。第二のコーヒー豆包装カートリッジ３００３内のコーヒー豆の上部表面３０３５は、これにより、降下することができ、そのためピストン３０３３が第二のコーヒー豆包装カートリッジ３００３内へ更に滑動する空間があり、それにより前記上部表面３０３５は上昇する（図４６Ｄ）。チューブ３０３４内にまだ存在するコーヒー豆の部分が所定のコーヒー豆の注入分にほぼ等しくなるまで、ピストン３０３３は上がり続ける（図４６Ｅ）。これは、例えば、チューブ３０３４の表面に使用者が読取れるマークによって確認することができる。ピストン３０３３はチューブ３０３４内を特定の高さまで移動でき、この高さがグラインダーに供給されるコーヒー豆の注入分を決定する。
【０２０８】
それで、チューブ３０３４及びピストン３０３３は一緒に、第二のコーヒー豆包装カートリッジ３００３の上端壁３０３６まで、又は少なくとも向かい合う壁まで上昇させることができ（図４６Ｆ、図４６Ｇ）、チューブ３０３４及びピストン３０３３は互いに対してほぼ等しい位置のままであり、そのためコーヒー豆の前記注入分はチューブ３０３４内に、ピストン３０３３と上端壁３０３６との間に閉じ込められ、それ以上のコーヒー豆がピストン３０３３まで来るのを許さない。図示のように、ピストン３０３３は第二のコーヒー豆包装カートリッジ３００３の底部壁３０３７と上端壁３０３６との間まで伸び、例えば、ピストン３０３３の位置は最初の位置にほぼ等しい（図４６Ａ）。第二のコーヒー豆包装カートリッジの上端は、ここで、例えば、蝶番式に動ける蓋によって、例えば部分的に開けることができ、そこで、ピストン３０３３はチューブ３０３４を更に越えてそれ自体を押し上げることができ、その間、それと一緒に注入分のコーヒー豆を持ち上げる（図４６Ｈ）。その注入分のコーヒー豆はそこで使用者によってコーヒー調製器具へ移送でき、そして蓋は閉じることができる（図４６Ｉ）。
【０２０９】
コーヒー豆の注入分が取り出されると（図４６Ｊ）、ピストン３０３３は、再びチューブ３０３４の中へ前記ストップに向かって、なお、チューブ３０３４内の他のいずれかの高さへも、戻すことができる（図４６Ｋ）。そこで、互いに相対的に等しい位置にあるピストン３０３３とチューブ３０３４は、また下方に動かすことができ、それによりピストン３０３３の上にあるチューブ３０３４の部分はコーヒー豆で充填される（図４６Ｌ）。それから、ピストン３０３３とチューブ３０３４は対抗する壁３０３６に向かって滑動し、そのため所定の注入分のコーヒー豆が閉じ込められ（図４６Ｍ）、その所定の注入分は上昇するピストン３３と蝶番式に上方にあげられる蓋によって順に放出することができる（図４６ＮないしＰ）。前記の工程は、第二のコーヒー豆包装カートリッジ３００３が空になるまで繰返すことができる（図４６ＱないしＶ）。蝶番式の蓋は第二のコーヒー豆包装カートリッジを再充填するのにも使用できることに注意されたい。
【０２１０】
別の実施例では、第二のコーヒー豆包装デバイス３００３は、実質的に使い捨て又は再利用可能な材料、例えば、セルロース、紙、ボール紙、又は、他の材料、又は例えばプラスチックから作ることができる。第二のコーヒー豆包装カートリッジは１注入分のコーヒー豆を保持するだけのようにすることができる。それで、その包装カートリッジの移送手段は、そのカートリッジから注入するために移送するのに使用されるだけである。それで、注入は、手で、例えば、図１１に開示した挿入部品を使用して、コーヒー調製器具内に投入することができる。選択的には、移送手段は、コーヒー調製器具の流入孔へ注入分を移送するのに使用することができる。代わりに、第二のコーヒー豆包装カートリッジは１注入分以上を含むことができ、そして、例えば、移送手段によって形成される注入デバイスは、そのカートリッジからその移送手段によって、そして選択的にはコーヒー調製器具内に、移送される注入分のコーヒー豆を用意し又は作る。後者の場合は、コーヒー調製器具とは独立に、注入分が用意されるが、その注入分のコーヒー調製器具への移送は、選択的に調製デバイスによって制御することができる。
【０２１１】
前述した本発明の装置によって、（コーヒー）飲料を作る多くの有利な方法を行うことができる。そのような方法の実施例で、空にしかつ粉砕する工程で、粉砕デバイスが作動されて計量室を空にし、そしてかつ計量室に集められたコーヒー豆を粉砕する。好ましくは、粉砕デバイスは計量室を空にし、又は少なくとも実質的に完全に空にし、そして計量室に集められたすべてのコーヒー豆を粉砕するのに必要な時間よりも長い時間作動される。計量室は、計量室に集められたコーヒー豆を空にしかつ粉砕する前に、コーヒー豆で充填することができる。計量室は、コーヒー豆で完全に又は少なくとも実質的に完全に充填することができる。移送手段は、コーヒー豆で計量室を完全に又は少なくとも実質的に完全に充填するのに必要な時間よりも長い時間駆動することができる。
【０２１２】
そのような方法の他の実施例では、第一工程で、移送手段は、コーヒー豆で計量室を充填するのに必要な時間よりも長い時間駆動することができ、そして、第一工程の完了後に続く第二工程で、粉砕デバイスは、計量室を空にし、かつ第一工程の期間に計量室に集められたコーヒー豆をすべて粉砕するのに必要な時間よりも長い時間作動される。その方法は、更に、好ましくは、第二工程の完了後に続く第三工程で、挽いたコーヒー及び温水に基づいて、調製デバイスがコーヒーを調製することを含んでいる。
【０２１３】
コーヒーを調製するそのような方法の更に別の実施例で、カートリッジはコーヒー豆で充填され、そしてコーヒー調製器具に結合される。カートリッジとコーヒー調製器具との間の結合によって計量室が形成される。計量室はカートリッジからのコーヒー豆で充填され、続けてグラインダーの作動によって空にされる。計量室のコーヒー豆は、グラインダーの作動で挽かれ、そして続けて、挽いた豆及び温水に基づいて、コーヒー調製器具でコーヒーが調製される。グラインダーの回転部分によって少なくとも部分的に形成される基部を有する計量室を使用するのが望ましい。グラインダーを駆動するために、回転部分は垂直軸の周りを回転し、その部分の回転によって計量室は空にされ、計量室の豆はグラインダーで粉砕される。コーヒー豆で計量室を充填するのは、コーヒー豆で計量室を完全に或いは実質的に完全に充填するのに必要な時間よりも長い時間、実行することができる。更に、又は、代わりに、グラインダーは、計量室を空にし、又は少なくとも実質的に完全に空にし、かつ充填工程の期間中に計量室に集められたコーヒー豆のすべてを粉砕するのに必要な時間よりも長い時間、作動することができる。
【０２１４】
本発明の装置によって飲料を作る他の方法は、第一工程で、計量室はコーヒー豆で充填される。それで、第一工程の完了後に続く第二工程で、粉砕デバイスが作動されて、計量室を空にし、かつ、第一工程の期間中に計量室に集められたコーヒー豆を粉砕する。第一工程で、計量室はコーヒー豆で完全に充填され、或いはコーヒー豆で少なくとも実質的に完全に充填される。第一工程で、移送手段は、好ましくは、コーヒー豆で計量室を充填するのに必要な時間よりも長い持間、駆動される。第二工程で、グラインダーは、計量室を完全に空にし、又は少なくとも実質的に完全に空にし、かつ、第一工程の期間中に計量室に集められたコーヒー豆のすべてを又は少なくとも実質的にすべてを粉砕するのに必要な時間よりも長い時間駆動することができる。
【０２１５】
更に、発明のコーヒー飲料装置によって飲料を作る別の方法は、第一のコーヒー豆包装カートリッジがコーヒー調製器具に接続されることで行うことができる。それで、垂直方向に延在する駆動軸をモーター手段で回転し、それにより、第一のコーヒー豆包装カートリッジの流出孔に向けて注入コーヒー豆を用意しかつ移送するために第一のコーヒー豆包装カートリッジの移送手段を駆動しかつ動かす。その後、コーヒー調製器具の流入孔を介してコーヒー調製器具に入ったコーヒー豆は挽いたコーヒーを作るために挽かれ、これをコーヒーを作るのに使用する。その後で、第二のコーヒー豆包装カートリッジがコーヒー調製器具に接続される。第二のコーヒー豆カートリッジの第二注入デバイスが作動されて、コーヒー調製器具とは独立に、コーヒー豆の１注入分を用意しかつ第二のコーヒー豆包装カートリッジの流出孔に向けて移送する。コーヒー調製器具の開口を介してコーヒー調製器具に入ったコーヒー豆は、挽いたコーヒーを作るために挽かれ、これを用いてコーヒーを調製する。第二のコーヒー豆包装カートリッジをコーヒー調製器具に結合する工程よりも前に、第二のコーヒー豆包装カートリッジの流出孔に向けて、１注入分のコーヒー豆を用意しかつ移送するために第二のコーヒー豆カートリッジの第二注入デバイスの作動を実行することができる。前述のように、第二注入デバイスは手で作動することができる。これと別の方法で、移送手段を作動して計量室を充填することができ、コーヒー豆で計量室を充填する工程の完了後に続く次の工程で、計量室を空にし、そして充填工程の期間中に計量室に集められたコーヒー豆を粉砕するために粉砕デバイスを作動することができる。充填工程の期間中に、粉砕デバイスは、計量室を空にし、又は少なくとも実質的に完全に空にし、かつ、充填工程の期間中に計量室に集められたコーヒー豆のすべてを粉砕するのに必要な時間よりも長い時間駆動することができる。
【０２１６】
更に、前述した第二のコーヒー豆包装カートリッジからコーヒー豆を次の態様で供給することができる。第二のコーヒー豆包装カートリッジの内部容積を包囲するハウジング内にコーヒー豆が保持されている。第二注入デバイスは、１注入分のコーヒー豆を供給するために手動で作動される。コーヒー豆は内部容積からハウジングの出口を通って放出され、そして、移送手段によって出口に向かって移送される。コーヒー豆の移送は、移送手段の可動構造によってコーヒー豆に接触することを含んでいる。可動構造は、移送手段の手動で動作する作動手段によって作動される。
【０２１７】
このように、本発明の動作及び構造は前述の記載から明らかである。本発明はここに記載したいずれの実施例にも限定されるものではなく、そして、当業者の範囲内で、変更は可能であり、その変更は添付の特許請求の範囲の請求項の範囲内のものであると考えられるべきものである。例えば、計量室の頂部壁３１は、計量室の入力開口２１の最も高い部分よりもはるかに高い位置にすることができる。これは、もしも第一工程で、計量室を充填するのに必要とされるよりも長い時間だけ移送手段が作動されると、入口開口の最も高い部分辺りまで計量室は常に充填されることを意味する。
【０２１８】
また、例えば、コーヒー豆を容器から計量室まで移送するための移送手段は、モーターで駆動されない、例えば、コーヒー豆を流出孔に向けて、そして計量室内へ重力だけの作用で移送するための下方へ延在する底部壁による、受動手段で実行することができる。その場合、計量室がコーヒー豆で充填されると、計量室の入力開口を閉じるために、特別の手段が必要とされるかもしれない。
【０２１９】
同様に、すべての運動学的な置換は本質的に開示されており、本発明の範囲に入るものと考える。用語「有する」が明細書の記載又は添付の特許請求の範囲の請求項の記載に用いられたときは、排他的又は包括的な意味に考えるべきものではなく、むしろ含む意味である。「・・する手段」は、「・・・ために構成された要素」又は「・・・構成された部材」とよむべきであり、記載した構造と均等なものを含むものと解釈すべきものである。「重大な」、「好ましくは」、「特に好ましい」などの表現は、本発明を限定することを意味するものではない。具体的に又は明確に記載又は請求項に記載されていない特徴は、その範囲を逸脱することなく、本発明による構造に更に含まれるものである。
（項１）
コーヒー調製器具及び第一のコーヒー豆包装カートリッジを有するコーヒー飲料装置であって、ここで前記第一のコーヒー豆包装カートリッジは前記コーヒー調製器具に取外し可能に接続され、前記第一のコーヒー豆包装カートリッジはコーヒー豆を保持しかつ供給するようにされていて、前記第一のコーヒー豆包装カートリッジは、
コーヒー豆を保持する内部容積とコーヒー豆出口を画定する少なくとも１つの流出孔とを有する容器、
前記内部容積から前記第一のコーヒー豆包装カートリッジの流出孔に向けて前記コーヒー豆を移送できるようにされた移送手段、を有し、
ここで、前記コーヒー調製器具は、前記移送手段により前記流出孔に向けて移送されるコーヒー豆を受けとるための流入孔を有し、前記流入孔を介して前記コーヒー器具に入ったコーヒー豆を粉砕するためのグラインダー、及び前記グラインダーによって得られた挽いたコーヒーに基づいてコーヒーを調製するための調製デバイスを有し、ここで、前記装置は、更に、前記移送手段により移送されるコーヒー豆を受け入れるための計量室を備えていて、ここで、前記計量室は前記グラインダーの一部を形成する基部部分を有し、前記基部部分は前記コーヒー調製器具内で垂直方向に延在する第一軸の周りを回転するようにされていて、ここで、前記装置は、前記グラインダーを作動したときに、コーヒー豆を前記計量室から前記グラインダーに移送させ、そしてコーヒー豆を粉砕するために前記基部部分が前記垂直軸の周りを回転するようにされているものであって、前記装置は前記第一のコーヒー豆包装カートリッジから前記グラインダーへ所定の注入分のコーヒー豆を用意しかつ供給する第一注入デバイスを有し、前記第一のコーヒー豆包装カートリッジが前記コーヒー調製器具に接続される又は接続されているときに、前記第一注入デバイスは少なくともその一部が前記コーヒー調製器具によって形成され、かつ前記装置の前記計量室を有するであって、前記装置が更に第二のコーヒー豆包装カートリッジを備えられ、前記第二のコーヒー豆包装カートリッジはコーヒー豆を保持しかつ供給し、並びに好ましくは前記コーヒー調製器具に取り外し可能にも接続されるようにされ、前記第二のコーヒー豆包装カートリッジは前記調製器具及び前記第一のコーヒー豆包装カートリッジの前記第一注入デバイスとは別の第二注入デバイスを有し、前記第二のコーヒー豆包装カートリッジが前記コーヒー調製器具に接続されると、前記第一注入デバイスとは無関係に好ましくは１注入分のコーヒー豆を用意し及び／又は１注入分のコーヒー豆を前記コーヒー調製器具の流入孔に供給することを特徴とする装置。
（項２）
前記基部部分は、前記基部部分が前記第一垂直軸に直角で、かつ前記第一垂直軸から離れて延在する方向へ下方に延在するような円錐形を有している、項１に記載の装置。
（項３）
前記計量室は、前記第一のコーヒー豆包装カートリッジの部分である第一室部分と、前記コーヒー調製器具の部分である第二室部分とに分割され、ここで、前記第二室部分は前記グラインダーの一部を形成する前記基部部分を有し、前記基部部分は垂直方向に延在する第一軸の周りを回転するため前記コーヒー調製器具内に配置される、項１又は２に記載の装置。
（項４）
前記第一室部分は前記流出孔を有し、かつ、前記第二室部分は前記流入孔を有し、ここで、好ましくは、前記第一室部分は前記第二室部分の上に設置され、ここで、前記流出孔は前記流入孔の上に延在する、項３に記載の装置。
（項５）
前記装置は、前記計量室がコーヒー豆を受けた後に、コーヒー豆の一部を保持し、及び／又は計量室が、８０〜１６０ｍｌのコーヒーからなる１杯のコーヒーのような一人前のコーヒー飲料を作るために好ましくは必要な注入量のコーヒー豆に相当するコーヒー豆の一部を受けるように構成された、項１ないし４のうちのいずれか１項に記載の装置。
（項６）
前記移送手段が、前記移送手段を駆動したときに、コーヒー豆を前記計量室に向けて、そして前記計量室の中へ移送するために、前記計量室に対して可動である一部分を有する、項１ないし５のうちのいずれか１項に記載の装置。
（項７）
前記コーヒー調製器具は第一モーターと垂直に延在する駆動軸を備え、ここで、前記駆動軸は駆動するために前記第一のコーヒー豆包装カートリッジの前記移送手段に取外し可能に接続され、それにより、前記モーターにより前記駆動軸が回転したとき、前記移送手段を動かす、項６に記載の装置。
（項８）
前記可動である部分が、前記移送手段を駆動したとき第二垂直軸の周りを回転する、基部及び／又は複数の羽根を有する、項６又は７に記載の装置。
（項９）
前記移送手段は、前記コーヒー豆を重力の影響下で前記計量室に向けて移送するための前記容器のじょうご状の下方に延在する底部壁を有する、項１ないし８のうちのいずれか１項に記載の装置。
（項１０）
前記移送手段は前記容器の前記じょうご状、及び、前記計量室に対して可動な前記部分を有する、項６又は９に記載の装置。
（項１１）
前記移送手段は、前記コーヒー豆を重力の影響下で前記計量室に向けて移送するための下方に延在する底部壁を有する、項１ないし５のうちのいずれか１項に記載の装置。
（項１２）
前記第一室部分は前記計量室の容積を上方垂直方向で限定する上端壁を備え、ここで、前記第二室部分の基部部分は前記計量室の容積を下方垂直方向で限定する、項３、又は項３の従属項となるときの項４ないし１１のうちのいずれか１項に記載の装置。
（項１３）
前記第一室部分及び前記第二室部分はそれぞれ前記計量室の容積を制限する少なくとも１つの直立した側壁を備えている、項３、又は項３の従属項となるときの項４ないし１１のうちのいずれか１項に記載の装置。
（項１４）
前記第一室部分は、前記移送手段によって前記コーヒー豆を前記計量室に入れるための流入開口を有する直立した側壁を備えている、項３、又は項３の従属項となるときの項４ないし１１のうちのいずれか１項に記載の装置。
（項１５）
前記移送手段は、前記コーヒー豆を前記計量室に移送するために前記コーヒー豆を少なくとも水平方向へ移送するようにされた、項１ないし１４のうちのいずれか１項に記載の装置。
（項１６）
前記移送手段は、前記計量室の前記流入開口に向けて少なくとも水平方向に前記コーヒー豆を移送するようにされた、項１４又は１５のいずれかに記載の装置。
（項１７）
前記移送手段の前記可動な部分は、少なくとも水平方向へ前記コーヒー豆を移送するように構成されている、項１６又は項６ないし８のいずれか１項に記載の装置。
（項１８）
前記第一のコーヒー豆包装カートリッジは、前記第一のコーヒー豆包装カートリッジが前記コーヒー調製器具に接続されていないときに、前記コーヒー豆出口を閉じるための閉じ手段を有する、項１ないし１７のいずれか１項に記載の装置。
（項１９）
前記閉じ手段は、前記第一のコーヒー豆包装カートリッジが前記コーヒー調製器具に接続されるときに、前記コーヒー豆出口を開くように構成されている、項１８に記載の装置。
（項２０）
前記閉じ手段は、前記容器の前記底部側に、前記コーヒー豆出口と、開口を有する回転可能な閉じ円盤とを有する閉じ部材を有する、項１８又は１９に記載の装置。
（項２１）
前記第一のコーヒー豆包装カートリッジを前記コーヒー調製器具に接続するために、前記回転可能な閉じ円盤の開口を前記コーヒー豆出口と整合する位置に持ってくる、項１９又は２０のいずれかに記載の装置。
（項２２）
前記閉じ部材は１対の羽根付けアームを有し、前記閉じ円盤は、前記閉じた位置で前記羽根付けアームの後ろで拘束される移動止めを有する、項２１に記載の装置。
（項２３）
前記流出孔が、前記第一のコーヒー豆包装カートリッジの作動前に前記内部容積を封じる除去可能な密封素子と関連させられ、ここで、好ましくは、前記密封素子はガスが前記第一のコーヒー豆包装カートリッジから逃げるのを阻止する、項１ないし２２のうちのいずれか１項に記載の装置。
（項２４）
更に、前記密封素子を引裂きかつ移動させる手段を含む、項２３に記載の装置。
（項２５）
前記密封素子はシール薄膜である、項２３又は２４に記載の装置。
（項２６）
前記引裂きかつ移動させる手段は引抜きタブである、前記項２４に記載の装置。
（項２７）
前記グラインダーは前記計量室に対して中心に配置され及び／又は前記グラインダーは項３に記載の第二室部分に対して中心に配置される、項１ないし２６のうちのいずれか１項に記載の装置。
（項２８）
前記円錐形を有する前記下部部分は前記第一垂直軸の方向にあり、ここで、前記グラインダーを駆動したときに、前記円錐形は前記第一垂直軸の周りを回転する、項２７に記載の装置。
（項２９）
前記グラインダーは、前記基部部分、前記基部部分の周りに延在する下部粉砕円盤と前記下部粉砕円盤の上に延在する上部粉砕円盤を有する、項２８に記載の装置。
（項３０）
前記グラインダーは第二のモーターによって回転駆動され、前記円錐形状を有する前記基部部分と前記下部粉砕円盤の回転を生じる、項２９に記載の装置。
（項３１）
前記基部部分と下部粉砕円盤を駆動すると、コーヒー豆は外方向に延在する半径方向に、前記下部粉砕円盤と前記上部粉砕円盤との間を動かされ、そして、前記下部粉砕円盤と前記上部粉砕円盤との間の垂直距離は外方向に延在する半径方向で減少するので、前記コーヒー豆は砕かれ切断されて挽いたコーヒーとなる、項３０に記載の装置。
（項３２）
前記グラインダーは非汚染グラインダーであり、挽いたコーヒーシュートへの挽いたコーヒー出口のための出口位置を有し、このシュートは前記コーヒー調製器具の調製デバイス内へ下方に向いたじょうご状である、項１ないし３１のいずれか１項に記載の装置。
（項３３）
前記第一垂直軸は前記計量室の前記基部部分の中心を通り抜け、そして前記基部部分は前記垂直軸に直角に延在する方向にかつ前記垂直軸の周囲をその垂直軸から離れて下方に延在し、及び／又は前記第一垂直軸は前記第二室部分の前記基部部分の中心を通り抜け、かつ、前記基部部分は前記垂直軸に直角に延在する方向にかつ前記垂直軸の周囲をその垂直軸から離れて下方に延在する、項２又は項２の従属項であるときの項３ないし３２のいずれか１項に記載の装置。
（項３４）
前記コーヒー調製器具は、制御デバイスを備えている、項１ないし３３のいずれか１項に記載の装置。
（項３５）
前記制御デバイスは、前記第一モーター及び／又は前記グラインダーを制御するように構成される、項７又は３４に記載の装置。
（項３６）
使用中、第一工程で、前記計量室をコーヒー豆で充填するために前記移送手段が駆動され、そして、前記第一工程の完了後に続く第二工程で、前記粉砕デバイスが作動されて前記計量室を空にし、そして前記第一工程の期間に前記計量室内に集められたコーヒー豆を粉砕するように、前記制御デバイスが構成されている、項３５に記載の装置。
（項３７）
使用中、前記第一工程で、前記移送手段は前記計量室をコーヒー豆で充填するのに必要とされるよりも長い時間駆動され、及び／又は、前記第二工程で、前記粉砕デバイスは、前記計量室を空にし又は少なくとも実質的に完全に空にし、かつ前記第一工程の期間に前記計量室に集められたすべてのコーヒー豆を粉砕するのに必要とされるよりも長い時間作動されるように、前記制御デバイスが構成されている、項３６に記載の装置。
（項３８）
前記第一工程で、前記移送手段は、前記計量室をコーヒー豆で完全に充填する又は少なくともほぼ完全に充填するのに必要とされるよりも長い時間駆動される、項３７に記載の装置。
（項３９）
前記計量室の容積は、それが前記第一工程で、コーヒー豆で充填されると、豆の量は、１杯のコーヒーを作るための１注入分のコーヒー豆に相当する、項３７又は３８に記載の装置。
（項４０）
前記制御デバイスが前記調製デバイスを制御するように前記コーヒー調製器具が構成され、ここで、使用中、前記第二工程の完了に続く第三工程で、前記調製デバイスが前記挽いたコーヒー及び前記コーヒー調製器具の加熱素子によって加熱された温水に基づいてコーヒーを調製するように前記制御デバイスが構成されている、項３６ないし３９のいずれか１項に記載の装置。
（項４１）
前記各コーヒー豆包装カートリッジがコーヒー豆で充填されている、項１ないし４０のいずれか１項に記載の装置。
（項４２）
前記第一のコーヒー豆包装カートリッジ及び／又は前記第二のコーヒー豆包装カートリッジが１注入分のコーヒー豆で充填されている、項４１に記載の装置。
（項４３）
前記第一のコーヒー豆包装カートリッジが、複数杯分のコーヒー豆で充填されている、項４１に記載の装置。
（項４４）
前記第二注入デバイスは、１杯のコーヒー飲料の量を作るのを意図した１杯のコーヒー豆の量になる所定の注入量のコーヒー豆を保持しかつ供給するようにされている、項１ないし４３のいずれか１項に記載の装置。
（項４５）
前記第二注入デバイスは、複数の区画を有し、前記複数の区画のそれぞれは所定の注入量のコーヒー豆で充填されている、項１ないし４３のいずれか１項に記載の装置。
（項４６）
それぞれの区画は、１杯のコーヒー飲料の量を作るのを意図した１杯のコーヒー豆の量になる１注入分のコーヒー豆を保持するようにされている、項４５に記載の装置。
（項４７）
各注入分は約５０グラム以下、特に２０グラム以下、さらに特別には１５グラム以下の重量である、項４４、４５、又は４６に記載の装置。
（項４８）
前記第二のコーヒー豆包装カートリッジの前記第二注入デバイスは、内部容積とコーヒー豆出口を画定する少なくとも１つの流出孔を有するハウジングを有し、前記内部容積は所定の注入分のコーヒー豆を保持するようにされ、ここで、前記コーヒー豆出口は、前記第二のコーヒー豆包装カートリッジが前記コーヒー調製器具に接続されたときに、前記コーヒー調製器具の流入孔と連通するように配置することができる、項４４ないし４７のいずれか１項に記載の装置。
（項４９）
それぞれの区画はコーヒー豆出口を画定する少なくとも１つの流出孔を有している、項４５、４６、又は４８に記載の装置。
（項５０）
前記第二のコーヒー豆包装カートリッジの前記コーヒー調製器具への接続は、前記ハウジングが前記コーヒー調製器具の流入孔に対して回転可能なようにされる、項４９に記載の装置。
（項５１）
前記コーヒー飲料装置は、コーヒー豆が前記第二のコーヒー豆包装カートリッジから前記コーヒー調製器具へ重力によって移送されるようにする、項４４ないし５０のいずれか１項に記載の装置。
（項５２）
前記第二のコーヒー豆包装カートリッジの前記第二注入デバイスは、所定の注入量のコーヒー豆を前記内部容積から前記第二注入デバイスの前記少なくとも１つの流出孔に向けて移送することができるようにされた移送手段を含む、項４８、又は項４８の従属項であるときの項４９ないし５１のいずれか１項に記載の装置。
（項５３）
前記移送手段は移動可能な注入素子を形成する、項５２に記載の装置。
（項５４）
前記第二のコーヒー豆包装カートリッジが前記コーヒー調製器具に接続されるならば、前記第二注入デバイスの移送手段によって前記第二注入デバイスの流出孔に向けて移送されるコーヒー豆が、コーヒーを作るために前記流入孔を介して前記コーヒー調製器具によって受け取ることができるように、前記第二のコーヒー豆包装カートリッジは前記コーヒー調製器具に適合されている、項５３に記載の装置。
（項５５）
前記第二注入デバイスの前記移送手段は、前記コーヒー調製器具からは独立に作動されるように構成されている、項５４に記載の装置。
（項５６）
前記移送手段は手動で作動されるように構成される、項５５に記載の装置。
（項５７）
前記第二注入デバイスの前記移送手段は、前記コーヒー豆と接触するために前記内部容積内に少なくとも部分的に存在する可動構造を有し、かつ、ここで、前記移送手段は更に手動動作の作動手段を含み、前記手動動作の作動手段は、前記可動構造を手動で作動させるために前記内部容積の外部に少なくとも部分的に設けられる、項５５又は５６に記載の装置。
（項５８）
前記第二注入デバイスの前記移送手段は、少なくとも部分的に前記内部容積内に配置される回転可能車軸のような回転可能素子を有している、項５７に記載の装置。
（項５９）
前記回転可能素子は少なくとも部分的にコンベヤー・スクリューとして形成される、項５８に記載の装置。
（項６０）
前記可動構造は前記回転可能素子に堅く結合されていて、そして、前記可動構造は少なくとも１つの第一開口を備え、その開口を通してコーヒー豆を通過させ、前記第二のコーヒー豆包装カートリッジは少なくとも１つの第二開口を備え、前記第二開口は使用中に前記少なくとも１つの第一開口の上又は下に配置され、かつ前記出口に対する入口となり、ここで、前記回転可能素子を回転させる結果として、前記少なくとも１つの開口は前記少なくとも１つの第二開口と整合できる、項５８又は５９のいずれかに記載の装置。
（項６１）
前記可動構造はプランジャーを含む、項６０に記載の装置。
（項６２）
更に、コーヒー豆が前記出口に向かう通路を妨害するために前記内部容積内に構成されたバリアを設ける、項５８ないし６１のいずれか１項に記載の装置。
（項６３）
前記バリアが、前記出口に向かう前記コーヒー豆の通路を妨害するための弁を有する、項６２に記載の装置。
（項６４）
前記弁は、前記弁が開いたときに変形する柔軟性素子を含む、項６３に記載の装置。
（項６５）
前記バリアは、使用時に前記ハウジングの頂部から間隔を置いた内壁を含み、ここで、前記移送手段は、使用時に前記ハウジングの前記頂部と前記内壁との間の隙間を介してコーヒー豆を移動させるように構成されている、項６４に記載の装置。
（項６６）
前記内壁は前記内部容積の第一部分を前記内部容積の第二部分から分離し、ここで、前記可動構造は前記内部容積の前記第一部分内に配置され、そして、ここで、前記出口は前記内部容積の前記第二部分を介して達することができる、項６５に記載の装置。
（項６７）
前記第二のコーヒー豆包装カートリッジの前記第二注入デバイスの前記可動構造は、弾性部材によって前記第二のコーヒー豆包装カートリッジに弾性的に取り付けられ、そのため、前記弾性部材を変形しながら、前記可動構造は前記手動動作の作動手段で第一の位置と第二の位置との間を繰り返し移動できる、項５８に記載の装置。
（項６８）
前記内部容積内に前記出口に向かう前記コーヒー豆の通路が設けられ、ここで、前記第二の位置で前記通路は少なくとも部分的に前記可動構造によって妨害され、そして前記第一の位置で、前記通路は前記第二の位置でのときよりも前記可動構造による妨害は少なく、選択的には、前記可動構造によって妨害されない、項６７に記載の装置。
（項６９）
前記内部容積内に前記出口に向かう前記コーヒー豆の通路が設けられ、ここで、前記第一の位置で前記通路は少なくとも部分的に前記可動構造によって妨害され、そして前記第二の位置で、前記通路は前記第一の位置でのときよりも前記可動構造による妨害は少なく、選択的には、前記可動構造によって妨害されない、項６８に記載の装置。
（項７０）
前記第一の位置は、使用中、前記第二の位置より上又は下に配置される、項６８又は６９に記載の装置。
（項７１）
前記コーヒー豆の少なくとも一部が、使用中に、前記第二注入デバイスの前記可動構造の上に配置される、項７０項に記載の装置。
（項７２）
前記第二のコーヒー豆包装カートリッジは、前記コーヒー調製器具の前記駆動軸を受けるための凹部を前記ハウジング内に設けられた、項４８又は項４８の従属項であるときの項４９ないし７１のいずれか１項に記載の装置。
（項７３）
前記容器は前記凹部で閉じている、項７２に記載の装置。
（項７４）
前記凹部は、前記第二のコーヒー豆包装カートリッジと前記駆動軸との間の機械的な接触を防ぐような大きさにされている、項７２又は７３に記載の装置。
（項７５）
前記移送手段は、前記コーヒー調製器具の前記駆動軸によって、使用中に、前記移送手段の駆動を妨げるように配置されている、項７２ないし７４のいずれか１項に記載の装置。
（項７６）
前記第二注入デバイスは、コーヒー豆を保持しかつ供給するスクーパーを有し、前記スクーパーは前記コーヒー調製器具に接続されるとその前記流入孔に整合し、前記スクーパーはその軸の回りを回転することによって移送手段としても働くように構成され、これにより前記流入孔へコーヒー豆を注ぐ、項４４に記載の装置。
（項７７）
前記第二のコーヒー豆包装カートリッジは前記スクーパーを手動で回転するハンドルを有する、項７６に記載の装置。
（項７８）
前記第二注入デバイスは所定の注入量のコーヒー豆を保持するホッパーを有し、前記ホッパーは出口を有し、前記第二のコーヒー豆包装カートリッジが前記コーヒー調製器具に接続されると、前記ホッパーの出口は前記コーヒー調製器具の前記流入孔と整合され、ここで、前記移送手段は閉じ板を有し、前記閉じ板は第一の位置では少なくともかなりの範囲で、好ましくは全体に前記出口を閉じ、これにより前記流入孔に向かうコーヒー豆の通過を妨げ、そして、第二の位置では前記出口を塞がないか、ほとんど塞がず、そして、そこで前記移送手段が、更に第一の位置から第二の位置へ、又はその逆も同様に、前記閉じ板を作動する手動動作の作動手段を含んでいる、項４４に記載の装置。
（項７９）
前記第二の位置で前記閉じ板は、前記ホッパーの前記内部容積の第一の部分を前記ホッパーの前記内部容積の第二の部分から少なくとも実質的に区切り、これにより、前記第一の部分から前記第二の部分へのコーヒー豆の通過を妨げる、項７８に記載の装置。
（項８０）
前記閉じ板は仮想シリンダーの前記第一部分を形成し、前記シリンダーの他の部分は開いていて、ここで、前記手動動作の作動手段が前記閉じ板を前記第一の位置及び前記第二の位置へ、それぞれ回転するように構成されている、項７８又は７９に記載の装置。
（項８１）
前記第二のコーヒー豆包装カートリッジは、所定の注入分のコーヒー豆を保持するじょうご状ホルダーと前記ホルダーからコーヒー豆を放出する出口を有し、前記出口は前記じょうご状ホルダーの上端に配置され、前記第二のコーヒー豆包装カートリッジが前記コーヒー調製器具に接続されたときに、前記流入孔と整合され、ここで、前記移送手段はらせん状コンベヤー手段で、使用中に回転可能に作動されて所定の注入分のコーヒー豆を前記じょうご状ホルダーから前記出口に向かって進める、項４４に記載の装置。
（項８２）
前記らせん状移送手段は、前記内壁上にらせん状に突出する縁部によって得られる前記じょうご状の前記内壁上のコーヒー豆に対するらせん状の軌道によって形成される、項８１に記載の装置。
（項８３）
前記らせん状移送手段は、前記コーヒー豆が前記内壁上を回転し続けるのを妨げる非移動阻止要素を含み、これにより、前記らせん状軌道に従って前記出口に向かって前記コーヒー豆を上方へ駆動する、項８１又は８２に記載の装置。
（項８４）
前記第二のコーヒー豆包装カートリッジはコーヒー豆を振ったり又は振動させて、所定の注入分のコーヒー豆を放出するために、前記第二のコーヒー豆包装カートリッジの出口に向かってその流れを促進するように構成されている、項４４に記載の装置。
（項８５）
前記第二のコーヒー豆包装カートリッジは、前記注入デバイスを有しかつ所定の注入量のコーヒー豆を保持する容器である第一モジュールと、モーターを有する第二モジュールを有し、前記第一モジュールは前記コーヒー調製器具に取り外し可能に結合され、前記第一モジュールが前記コーヒー調製器具に結合されると、前記第二モジュールは前記第一モジュールに取り外し可能に結合される、項８４に記載の装置。
（項８６）
前記第二のコーヒー豆包装カートリッジの前記第二注入デバイスの前記出口は、前記コーヒー調製器具に接続されたときに開き、そして、接続を外すと閉じ、そして、ここで、前記第二モジュールが、好ましくはコーヒー豆再充填モードで、前記コーヒー調製器具の代わりに前記第一モジュールに接続できる、項８４又は８５に記載の装置。
（項８７）
好ましくは、コーヒー豆再充填モードで、前記コーヒー調製器具と同じ又は同様に、前記第二モジュールは前記第一モジュールに接続され、前記第一モジュールの前記出口を開く、項８６に記載の装置。
（項８８）
前記コーヒー調製器具は、前記第一のコーヒー豆包装カートリッジ及び前記第二のコーヒー豆包装カートリッジに取り外し可能に接続するための接続手段を有し、前記接続手段は前記コーヒー調製器具の上側にある凹部を有し、前記凹部は側壁によって囲まれていて、かつ前記第一のコーヒー豆包装カートリッジ及び前記第二のコーヒー豆包装カートリッジの下側からそれぞれ突出する対応する部分を受け入れるために構成されている、項１ないし８７のいずれか１項に記載の装置。
（項８９）
前記側壁は前記コーヒー調製器具の前記上側から突出している、項８８に記載の装置。
（項９０）
前記側壁は前記各コーヒー豆包装カートリッジの差込み素子を受け入れる開口を有している、項８８又は８９に記載の装置。
（項９１）
前記第一のコーヒー豆包装カートリッジ及び前記第二のコーヒー豆包装カートリッジは前記差込み素子を有している、項９０に記載の装置。
（項９２）
前記各コーヒー豆包装カートリッジは前記差込み素子が前記開口に差し込められるように前記凹部に挿入させられ、そして前記コーヒー調製器具に接続するために回転され、ここで、前記側壁は、前記各コーヒー豆包装カートリッジがその最終位置に到達したときに、前記各コーヒー豆包装カートリッジがそれ以上回転するのを妨げるための阻止要素を有する、項９０又は９１に記載の装置。
（項９３）
前記各コーヒー豆包装カートリッジはその最終位置に到達するために約５０度回転させられる、項９２に記載の装置。
（項９４）
前記凹部はその中心に、前記駆動軸に固定される回転可能な突出端を有し、ここで、前記第一のコーヒー豆包装カートリッジの前記移送手段は、前記駆動軸が回転したときに前記回転する突出端が前記移送手段を駆動するように、前記突出端を受け入れる凹所を備えている、項８８ないし９３及び７のいずれか１項に記載の装置。
（項９５）
前記コーヒー調製器具は前記突出する側壁を囲むハウジングを有する、項８９又は項８９の従属項であるときの項９０ないし９４のいずれか１項に記載の装置。
（項９６）
前記第二のコーヒー豆包装カートリッジは、前記第二のコーヒー豆包装カートリッジが前記コーヒー調製器具に接続されていないときに、前記コーヒー豆出口を閉じるための閉じ手段を有する、項４８又は項４８の従属項であるときの項４９ないし９５のいずれか１項に記載の装置。
（項９７）
前記閉じ手段は、前記第二のコーヒー豆包装カートリッジが前記コーヒー調製器具に接続されるときに、前記コーヒー豆出口を開くように構成されている、項９６に記載の装置。
（項９８）
前記閉じ手段は、前記容器の前記底部側に、前記コーヒー豆出口と、開口を有する回転可能な閉じ円盤とを有する閉じ部材を有する、項９６又は９７に記載の装置。
（項９９）
前記第二のコーヒー豆包装カートリッジを前記コーヒー調製器具に接続するために、前記回転可能な閉じ円盤の開口を前記コーヒー豆出口と整合する位置に持ってくる、項９７又は９８のいずれかに記載の装置。
（項１００）
前記閉じ部材は１対の羽根付けアームを有し、前記閉じ円盤は、前記閉じた位置で前記羽根付けアームの後ろで拘束される移動止めを有する、項９９に記載の装置。
（項１０１）
前記流出孔が、前記第二のコーヒー豆包装カートリッジの作動前に前記内部容積を封じる除去可能な密封素子と関連させられ、ここで、好ましくは、前記密封素子はガスが前記第二のコーヒー豆包装カートリッジから逃げるのを阻止する、項４８、又は、項４８の従属項であるときの項４９ないし１００のうちのいずれか１項に記載の装置。
（項１０２）
更に、前記密封素子を引裂きかつ移動させる手段を含む、項１０１に記載の装置。
（項１０３）
前記密封素子はシール薄膜である、項１０１又は１０２に記載の装置。
（項１０４）
前記引裂きかつ移動させる手段は引抜きタブである、項１０３に記載の装置。
（項１０５）
更に、前記各コーヒー豆包装カートリッジが前記コーヒー調製器具に接続されているかを検出するように構成されているセンサーを有する、項１ないし１０４のいずれか１項に記載の装置。
（項１０６）
前記センサーは前記検出の結果を前記制御デバイスへ信号を送るように構成されている、項３４又は１０５に記載の装置。
（項１０７）
前記センサーはスイッチである、項１０５又は１０６に記載の装置。
（項１０８）
前記スイッチはマイクロスイッチである、項１０７に記載の装置。
（項１０９）
前記各コーヒー豆包装カートリッジは、それが前記コーヒー調製器具に接続されたときに、前記スイッチを作動するための突出部を有する、項１０７又は１０８に記載の装置。
（項１１０）
前記突出部は前記差込み素子の１つの下又は上に置かれる、項９１又は１０９に記載の装置。
（項１１１）
前記突出部は、前記各コーヒー豆包装カートリッジがその最終位置に達したときに、前記スイッチを作動する、項１０８、１０９、又は９２に記載の装置。
（項１１２）
前記スイッチは前記コーヒー調製器具の前記上側にある前記凹部を囲む前記側壁内に在る開口内に配置され、前記突出部が前記スイッチを、前記開口を通して作動する、項１０７ないし１０９、及び９０のいずれか１項に記載の装置。
（項１１３）
前記スイッチは前記側壁内の水平壁セグメントの後ろに隠されていて、前記開口は前記水平壁セグメント間の隙間であり、前記突出部は前記隙間にぴったり適合する、項１１２に記載の装置。
（項１１４）
前記第一のコーヒー豆包装カートリッジが前記コーヒー調製器具に接続されていることを検出した場合にのみ、前記第一モーター及び前記グラインダーが作動できるように、前記第一モーター及び前記グラインダーを制御するように前記制御デバイスは構成されている、項１０５ないし１１３及び項３４のいずれか１項に記載の装置。
（項１１５）
更に、前記各コーヒー豆包装カートリッジの代わりに前記コーヒー調製器具に除去可能に接続できる挿入片を有する、項１ないし１１４のいずれか１項に記載の装置。
（項１１６）
前記挿入片は、前記各コーヒー豆包装カートリッジと同じ又は類似の方法で前記コーヒー調製器具に接続できる、項１１５に記載の装置。
（項１１７）
前記挿入片は差込み素子を有する、項１１６に記載の装置。
（項１１８）
前記挿入片は、それが前記コーヒー調製器具に接続されるときに前記スイッチを作動するための突出部を有する、項１０８又は１０９の従属項であるときの、項１１５ないし１１７のいずれか１項に記載の装置。
（項１１９）
前記突出部が前記差込み素子のうちの１つの下又は上に配置される、項１０８又は１０９の従属項であるときの項１１７又は１１８のいずれか１項に記載の装置。
（項１２０）
前記挿入片がその最終位置に達したときに、前記突出部は前記スイッチを作動させる、項１１８、１１９、又は９２に記載の装置。
（項１２１）
前記挿入片は内部容積を有する空洞及びコーヒー豆出口を画定する少なくとも１つの流出孔を有し、前記内部容積はコーヒー豆を受け入れるように構成され、更に、前記挿入片が前記コーヒー調製器具に接続されない、又はその最終位置で前記コーヒー調製器具に接続されないときに、前記コーヒー豆出口を閉じる閉じ手段を有する、項１１５ないし１２０のいずれか１項に記載の装置。
（項１２２）
前記閉じ手段は、前記挿入片が最終位置で前記コーヒー調製器具に結合されるときに、前記コーヒー豆出口を開くように構成されている、項１２１に記載の装置。
（項１２３）
前記閉じ手段は、前記コーヒー豆出口を有する前記空洞の基部側に閉じ部材を有し、前記閉じ手段は更に開口を有する回転可能な閉じ円盤を有する、項１２０又は１２１に記載の装置。
（項１２４）
前記挿入片がその最終位置で前記コーヒー調製器具に接続されるときに、前記回転可能な閉じ円盤の前記開口は前記コーヒー豆出口と整合する位置にある、項１２３に記載の装置。
（項１２５）
項１ないし１２４のいずれか１項に記載の前記コーヒー調製器具と項１ないし１２４のいずれか１項に記載の前記第二のコーヒー豆包装カートリッジとを有する装置。
（項１２６）
前記グラインダーを作動したとき、前記基部部分は前記第一垂直軸の周りを回転して注入分のコーヒー豆を前記計量室から前記グラインダーへ移送し、そして、前記コーヒー豆を粉砕するように、前記装置が構成されている、項１ないし１２５に記載の装置。
（項１２７）
コーヒー豆の前記注入分は５〜１１、好ましくは６〜８グラムのコーヒー豆を含む、項１２６に記載の装置。
（項１２８）
前記第二室部分は前記計量室の前記容積の約１００−Ｘ％を有し、前記第一室部分は前記計量室の前記容積の約Ｘ％を有し、ここで、Ｘは２〜５０の範囲にあり、好ましくは５〜４０の範囲にあり、より好ましくは１５〜３０の範囲にある、項３又は項３の従属項であるときの項４ないし１２７のいずれか１項に記載の装置。
（項１２９）
前記装置は、使用中に前記粉砕デバイスは前記計量室を空にし、前記計量室に集められた前記コーヒー豆を粉砕するように構成された、項１ないし１２８のいずれかに記載の装置。
（項１３０）
前記装置は、使用中、前記粉砕デバイスが前記計量室を空にし又は少なくとも実質的に完全に空にし、そして、前記計量室に集められたすべての前記コーヒー豆を粉砕するのに必要とされる時間よりも長い時間作動されるように構成されている、項１２９に記載の装置。
（項１３１）
前記計量室を前記空にし、かつ、前記コーヒー豆を粉砕する前に、第一工程で、前記移送手段を駆動して前記計量室をコーヒー豆で充填する、項１２９又は１３０に記載の装置。
（項１３２）
前記移送手段は前記計量室をコーヒー豆で完全に充填し又は少なくとも実質的に完全に充填するのに必要とされる時間よりも長い時間駆動される、項１３１に記載の装置。
（項１３３）
前記コーヒー調製器具は、前記コーヒー調製器具の前記流入孔を開き及び／又は閉じるように構成された閉じ手段を有し、前記閉じ手段は、好ましくは前記コーヒー調製器具及び／又は前記カートリッジの前記コーヒー調製器具への（からの）接続（接続を切る）をすることによって制御できるように構成される、項１ないし１３２のいずれか１項に記載の装置。
（項１３４）
前記第二のコーヒー豆包装カートリッジはコーヒー豆を保持しかつ供給するように構成され、前記第二のコーヒー豆包装カートリッジは１注入分のコーヒー豆を供給する第二注入デバイスを有している、項１ないし１３３のいずれか１項に記載の装置と共に使用するための第二のコーヒー豆包装カートリッジ。
（項１３５）
前記第二注入デバイスは１杯のコーヒー飲料の量を作るのを意図した一人前のコーヒー豆の量になる所定の注入量のコーヒー豆を保持しかつ供給するようにされている、項１３４に記載の第二のコーヒー豆包装カートリッジ。
（項１３６）
前記第二注入デバイスは複数の区画を有し、前記複数の区画のそれぞれは所定の注入量のコーヒー豆で充填されている、項１３４に記載の第二のコーヒー豆包装カートリッジ。
（項１３７）
それぞれの区画は１杯のコーヒー飲料の量を作るのを意図した一人前のコーヒー豆の量になる１注入分のコーヒー豆を保持するようにされている、項１３６に記載の第二のコーヒー豆包装カートリッジ。
（項１３８）
それぞれの注入分は、約５０グラム以下、特に２０グラム以下、更に特別には１５グラム以下の重量である、項１３５、１３６又は、１３７のいずれか１項に記載の第二のコーヒー豆包装カートリッジ。
（項１３９）
前記第二のコーヒー豆包装カートリッジの前記第二注入デバイスは、内部容積とコーヒー豆出口を画定する少なくとも１つの流出孔を有するハウジングを有し、前記内部容積は所定の注入分のコーヒー豆を保持するようにされ、ここで、好ましくは前記コーヒー豆出口は、前記第二のコーヒー豆包装カートリッジがコーヒー調製器具に接続されたときに、前記コーヒー調製器具の流入孔と連通するように配置することができる、項１３４ないし１３８のいずれか１項に記載の第二のコーヒー豆包装カートリッジ。
（項１４０）
それぞれの区画は、コーヒー豆出口を画定する少なくとも１つの流出孔を有する、項１３６と１３９、又は、項１３７と１３９に記載の第二のコーヒー豆包装カートリッジ。
（項１４１）
前記第二のコーヒー豆包装カートリッジの前記第二注入デバイスは、所定の注入分のコーヒー豆を前記内部容積から前記第二注入デバイスの少なくとも１つの流出孔に向けて移送することができるように構成された移送手段を有する、項１３９又は１４０に記載の第二のコーヒー豆包装カートリッジ。
（項１４２）
前記移送手段は移動可能な注入素子を形成する、項１４１に記載の第二のコーヒー豆包装カートリッジ。
（項１４３）
前記第二注入デバイスの前記移送手段は独立して作動されるように構成される、項１４１又は１４２に記載の第二のコーヒー豆包装カートリッジ。
（項１４４）
前記移送手段は手動で作動されるように構成されている、項１４３に記載の第二のコーヒー豆包装カートリッジ。
（項１４５）
前記第二注入デバイスの前記移送手段は、前記コーヒー豆と接触するために前記内部容積内に少なくとも部分的に存在する可動構造を有し、かつ、ここで、前記移送手段は更に手動動作の作動手段を含み、前記手動動作の作動手段は、前記可動構造を手動で作動させるために前記内部容積の外部に少なくとも部分的に設けられる、項１４３又は１４４に記載の第二のコーヒー豆包装カートリッジ。
（項１４６）
前記第二注入デバイスの前記移送手段は、少なくとも部分的に前記内部容積内に配置される回転可能車軸のような回転可能素子を有している、項１４５に記載の第二のコーヒー豆包装カートリッジ。
（項１４７）
前記回転可能素子は少なくとも部分的にコンベヤー・スクリューとして形成される、項１４６に記載の第二のコーヒー豆包装カートリッジ。
（項１４８）
前記可動構造は前記回転可能素子に堅く結合されていて、そして、前記可動構造は少なくとも１つの第一開口を備え、その開口を通してコーヒー豆を通過させ、前記第二のコーヒー豆包装カートリッジは少なくとも１つの第二開口を備え、前記第二開口は使用中に前記少なくとも１つの第一開口の上又は下に配置され、かつ前記出口に対する入口となり、ここで、前記回転可能素子を回転させる結果として、前記少なくとも１つの開口は前記少なくとも１つの第二開口と整合できる、項１４６又は１４７のいずれかに記載の第二のコーヒー豆包装カートリッジ。
（項１４９）
前記可動構造はプランジャーを含む、項１４８に記載の第二のコーヒー豆包装カートリッジ。
（項１５０）
更に、コーヒー豆が前記出口に向かう通路を妨害するために前記内部容積内に構成されたバリアを設ける、項１４６ないし１４９のいずれか１項に記載の第二のコーヒー豆包装カートリッジ。
（項１５１）
前記バリアが、前記出口に向かう前記コーヒー豆の通路を妨害するための弁を有する、項１５０に記載の第二のコーヒー豆包装カートリッジ。
（項１５２）
前記弁は、前記弁が開いたときに変形する柔軟性素子を含む、項１５１に記載の第二のコーヒー豆包装カートリッジ。
（項１５３）
前記バリアは、使用時に前記ハウジングの頂部から間隔を置いた内壁を含み、ここで、前記移送手段は、使用時に前記ハウジングの前記頂部と前記内壁との間の隙間を介してコーヒー豆を移動させるように構成されている、項１５２に記載の第二のコーヒー豆包装カートリッジ。
（項１５４）
前記内壁は前記内部容積の第一部分を前記内部容積の第二部分から分離し、ここで、前記可動構造は前記内部容積の前記第一部分内に配置され、そして、ここで、前記出口は前記内部容積の前記第二部分を介して達することができる、項１５３に記載の第二のコーヒー豆包装カートリッジ。
（項１５５）
前記第二のコーヒー豆包装カートリッジの前記第二注入デバイスの前記可動構造は、弾性部材によって前記第二のコーヒー豆包装カートリッジに弾性的に取り付けられ、そのため、前記弾性部材を変形しながら、前記可動構造は手動動作の作動手段で第一の位置と第二の位置との間を繰り返し移動できる、項１４６に記載の第二のコーヒー豆包装カートリッジ。
（項１５６）
前記内部容積内に前記出口に向かう前記コーヒー豆の通路が設けられ、ここで、前記第二の位置で前記通路は少なくとも部分的に前記可動構造によって妨害され、そして前記第一の位置で、前記通路は前記第二の位置でのときよりも前記可動構造による妨害は少なく、選択的には、前記可動構造によって妨害されない、項１５５に記載の第二のコーヒー豆包装カートリッジ。
（項１５７）
前記内部容積内に前記出口に向かう前記コーヒー豆の通路が設けられ、ここで、前記第一の位置で前記通路は少なくとも部分的に前記可動構造によって妨害され、そして前記第二の位置で、前記通路は前記第一の位置でのときよりも前記可動構造による妨害は少なく、選択的には、前記可動構造によって妨害されない、項１５６に記載の第二のコーヒー豆包装カートリッジ。
（項１５８）
前記第一の位置は、使用中、前記第二の位置より上又は下に配置される、項１５６又は１５７に記載の第二のコーヒー豆包装カートリッジ。
（項１５９）
前記コーヒー豆の少なくとも一部が、使用中に、前記第二注入デバイスの前記可動構造の上に配置される、項１５８に記載の第二のコーヒー豆包装カートリッジ。
（項１６０）
前記第二のコーヒー豆包装カートリッジは、コーヒー調製器具の駆動軸を受けるための凹部を前記ハウジング内に設けられた、項１３９又は項１３９の従属項であるときの項１４０ないし１５９のいずれか１項に記載の第二のコーヒー豆包装カートリッジ。
（項１６１）
前記容器は前記凹部で閉じている、項１６０に記載の第二のコーヒー豆包装カートリッジ。
（項１６２）
前記凹部は、前記第二のコーヒー豆包装カートリッジと前記駆動軸との間の機械的な接触を防ぐような大きさにされている、項１６０又は１６１に記載の第二のコーヒー豆包装カートリッジ。
（項１６３）
前記移送手段は、コーヒー調製器具の前記駆動軸によって、使用中に、前記移送手段の駆動を妨げるように配置されている、項１６０ないし１６２のいずれか１項に記載の第二のコーヒー豆包装カートリッジ。
（項１６４）
前記第二注入デバイスは、コーヒー豆を保持しかつ供給するスクーパーを有し、前記スクーパーはコーヒー調製器具に接続されるとその前記流入孔に整合し、前記スクーパーはその軸の回りを回転することによって移送手段としても働くように構成され、これにより前記流入孔へコーヒー豆を注ぐ、項１３４に記載の第二のコーヒー豆包装カートリッジ。
（項１６５）
前記第二のコーヒー豆包装カートリッジは前記スクーパーを手動で回転するハンドルを有する、項１６４に記載の第二のコーヒー豆包装カートリッジ。
（項１６６）
前記第二注入デバイスは所定の注入量のコーヒー豆を保持するホッパーを有し、前記ホッパーは出口を有し、前記第二のコーヒー豆包装カートリッジがコーヒー調製器具に接続されると、前記ホッパーの出口は前記コーヒー調製器具の前記流入孔と整合され、ここで、前記移送手段は閉じ板を有し、前記閉じ板は第一の位置では少なくともかなりの範囲で、好ましくは全体に前記出口を閉じ、これにより前記流入孔に向かうコーヒー豆の通過を妨げ、そして、第二の位置では前記出口を塞がないか、ほとんど塞がず、そして、そこで前記移送手段が、更に前記第一の位置から前記第二の位置へ、又はその逆も同様に、前記閉じ板を作動する手動動作の作動手段を含んでいる、項１３４に記載の第二のコーヒー豆包装カートリッジ。
（項１６７）
前記第二の位置で前記閉じ板は、前記ホッパーの前記内部容積の第一の部分を前記ホッパーの前記内部容積の第二の部分から少なくとも実質的に区切り、これにより、前記第一の部分から前記第二の部分へのコーヒー豆の通過を妨げる、項１６６に記載の第二のコーヒー豆包装カートリッジ。
（項１６８）
前記閉じ板は仮想シリンダーの前記第一部分を形成し、前記シリンダーの前記他の部分は開いていて、ここで、前記手動動作の作動手段が前記閉じ板を前記第一の位置及び前記第二の位置へ、それぞれ回転するように構成されている、項１６６又は１６７に記載の第二のコーヒー豆包装カートリッジ。
（項１６９）
前記第二のコーヒー豆包装カートリッジは、所定の注入分のコーヒー豆を保持するじょうご状ホルダーと前記ホルダーからコーヒー豆を放出する出口を有し、前記出口は前記じょうご状ホルダーの上端に配置され、前記第二のコーヒー豆包装カートリッジがコーヒー調製器具に接続されたときに、それの前記流入孔と整合され、ここで、前記移送手段はらせん状コンベヤー手段で、使用中に回転可能に作動されて所定の注入分のコーヒー豆を前記じょうご状ホルダーから前記出口に向かって進める、項１３４に記載の第二のコーヒー豆包装カートリッジ。
（項１７０）
前記らせん状移送手段は、前記内壁上にらせん状に突出する縁部によって得られる前記じょうご状の前記内壁上の前記コーヒー豆に対するらせん状の軌道によって形成される、項１６９に記載の第二のコーヒー豆包装カートリッジ。
（項１７１）
前記らせん状移送手段は、前記コーヒー豆が前記内壁上を回転し続けるのを妨げる非移動阻止要素を含み、これにより、前記らせん状軌道に従って前記出口に向かって前記コーヒー豆を上方へ駆動する、項１６９又は１７０に記載の第二のコーヒー豆包装カートリッジ。
（項１７２）
前記第二のコーヒー豆包装カートリッジはコーヒー豆を振ったり又は振動させて、所定の注入分のコーヒー豆を放出するために、前記第二のコーヒー豆包装カートリッジの出口に向かってその流れを促進するように構成されている、項１３４に記載の第二のコーヒー豆包装カートリッジ。
（項１７３）
前記第二のコーヒー豆包装カートリッジは、前記注入デバイスを有しかつ所定の注入量のコーヒー豆を保持する容器である第一モジュールと、モーターを有する第二モジュールを有し、前記第一モジュールはコーヒー調製器具に取り外し可能に結合され、前記第一モジュールがコーヒー調製器具に結合されると、前記第二モジュールは前記第一モジュールに取り外し可能に結合される、項１７２に記載の第二のコーヒー豆包装カートリッジ。
（項１７４）
前記第二のコーヒー豆包装カートリッジの前記第二注入デバイスの前記出口は、コーヒー調製器具に接続されたときに開き、そして、接続を外すと閉じ、そして、ここで、前記第二モジュールが、好ましくはコーヒー豆再充填モードで、前記コーヒー調製器具の代わりに前記第一モジュールに接続できる、項１７２又は１７３に記載の第二のコーヒー豆包装カートリッジ。
（項１７５）
好ましくは、コーヒー豆再充填モードで、コーヒー調製器具と同じ又は同様に、前記第二モジュールは前記第一モジュールに接続され、前記第一モジュールの前記出口を開く、項１７４に記載の第二のコーヒー豆包装カートリッジ。
（項１７６）
項１ないし１３３のいずれか１項に記載の前記コーヒー調製器具及び項１３４ないし１７５のいずれか１項に記載の前記第二のコーヒー豆包装カートリッジを有するコーヒー飲料装置。
（項１７７）
項１ないし１３３のいずれか１項による装置によって飲料をつくる方法であって、前記方法は、空にし及び粉砕する工程で、前記計量室を空にし、そして前記計量室に集められたコーヒー豆を粉砕するために前記粉砕デバイスが作動される工程を含む、方法。
（項１７８）
前記粉砕デバイスは、前記計量室を空にし又は少なくとも実質的に完全に空にし、そして前記計量室に集められたすべての前記コーヒー豆を粉砕するのに必要とされる時間よりも長い時間作動される、項１７７に記載の方法。
（項１７９）
前記計量室を空にし、前記計量室に集められた前記コーヒー豆を粉砕する前に、前記計量室をコーヒー豆で充填する、項１７７又は１７８に記載の方法。
（項１８０）
前記計量室はコーヒー豆で完全に充填される、又はコーヒー豆で少なくとも実質的に完全に充填される、項１７９に記載の方法。
（項１８１）
前記移送手段は、前記計量室をコーヒー豆で完全に満たす、或は少なくとも実質的に完全に満たすのに要求される時間より長く駆動される、項１８０に記載の方法。
（項１８２）
飲料を調製する方法であって、第一工程で前記移送手段は前記計量室をコーヒー豆で充填するのに必要とされるよりも長い時間駆動され、そして、
前記第一工程の完了後に続く第二工程で、前記粉砕デバイスは前記計量室を空にし、かつ前記第一工程の間に前記計量室に集められたすべての前記コーヒー豆を粉砕するのに必要とされるよりも長い時間作動される工程を含む、
項１ないし１３３のいずれか１項に記載の装置によって飲料を調製する方法。
（項１８３）
前記方法は更に、前記第二工程の完了後に続く第三工程で、前記調製デバイスは挽いたコーヒー及び温水に基づいてコーヒーを調製する工程を含む、項１８２に記載の方法。
（項１８４）
コーヒー豆で充填されているカートリッジがコーヒー調製器具に接続され、そこで、前記カートリッジと前記コーヒー調製器具との接続によって計量室が形成され、そこで、その次に、前記計量室は前記カートリッジからコーヒー豆で充填され、その次に、前記計量室はグラインダーを作動することによって空にされ、そこで、前記計量室の前記コーヒー豆は前記グラインダーの前記作動により粉砕され、そして、その次に、前記コーヒー調製器具と共に前記挽いた豆及び温水に基づいてコーヒーを調製する、コーヒーを調製する方法。
（項１８５）
前記グラインダーの回転部分によって少なくとも部分的に形成される基部部分を有する計量室を使用し、そこで、前記グラインダーの駆動によって前記回転部分は垂直軸の周りを回転し、そこで、前記部分の前記回転によって前記計量室は空になり、そして前記グラインダーで前記計量室の前記豆は粉砕される、項１８４に記載の方法。
（項１８６）
前記計量室をコーヒー豆で充填する前記工程は前記計量室を前記コーヒー豆で完全に又は実質的に完全に充填するのに必要な時間よりも長い時間行われ、及び／又は前記グラインダーは、前記計量室を空にし、又は少なくとも実質的に完全に空にし、かつ前記充填工程の間に前記計量室に集められたすべての前記コーヒー豆を粉砕するのに必要とされるよりも長い時間作動される、項１８４又は１８５に記載の方法。
（項１８７）
前記方法は、第一工程で前記計量室はコーヒー豆で充填され、
前記第一工程の完了後に続く第二工程で、前記粉砕デバイスは、前記計量室を空にし、かつ前記第一工程の間に前記計量室に集められたコーヒー豆を粉砕するために作動される工程を含む、項１ないし１３３のいずれか１項に記載の装置によって飲料を調製する方法。
（項１８８）
前記第一工程で、前記計量室はコーヒー豆で完全に充填され、又は、コーヒー豆で少なくとも実質的に完全に充填される、項１８７に記載の方法。
（項１８９）
前記第一工程で、前記移送手段は、前記計量室をコーヒー豆で充填するのに必要とされる時間よりも長く駆動される、項１８７又は１８８に記載の方法。
（項１９０）
前記第二工程で、前記グラインダーは、前記計量室を完全に空にし、又は少なくとも実質的に完全に空にし、かつ前記第一工程の間に前記計量室に集められたすべての又は少なくとも実質的にすべての前記コーヒー豆を粉砕するのに必要とされるよりも長い時間作動される、項１８７、１８８、又は１８９に記載の方法。
（項１９１）
飲料を調製する方法であって、
前記第一のコーヒー豆包装カートリッジを前記コーヒー調製器具に接続し、
前記モーター手段と共に前記垂直に延在する駆動軸を回転し、これにより前記第一のコーヒー豆包装カートリッジの前記移送手段を駆動しかつ動かして、１注入分の前記コーヒー豆を用意し、そして前記第一のコーヒー豆包装カートリッジの前記流出孔に向けて移送し、
前記コーヒー調製器具内にそれの前記流入孔を通って入るコーヒー豆を粉砕して挽いたコーヒーを作り、
挽いたコーヒーに基づいてコーヒーを調製し、
前記第二のコーヒー豆包装カートリッジを前記コーヒー調製器具に接続し、
前記第二のコーヒー豆包装カートリッジの前記第二注入デバイスを作動して、１注入分のコーヒー豆を用意し、そして、それを前記コーヒー調製器具とは独立に前記第二のコーヒー豆包装カートリッジの前記流出孔に向けて移送し、
前記コーヒー調製器具内にそれの前記流入孔を通って入るコーヒー豆を粉砕して挽いたコーヒーを作り、
挽いたコーヒーに基づいてコーヒーを調製する、項１ないし１３３のいずれか１項に記載のコーヒー飲料装置によって飲料を作る方法。
（項１９２）
前記第二のコーヒー豆包装カートリッジを前記コーヒー調製器具に接続する工程の前に、１注入分のコーヒー豆を用意し、そして、それを前記第二のコーヒー豆包装カートリッジの前記流出孔に向けて移送するために前記第二のコーヒー豆カートリッジの前記第二注入デバイスを作動する工程を実行する、項１９１に記載の方法。
（項１９３）
前記第二注入デバイスは手動で作動される、項１９１又は１９２に記載の方法。
（項１９４）
前記移送手段は前記計量室を充填するために作動され、そして、ここで、前記計量室をコーヒー豆で充填する工程の完了後に続く次の工程で、前記計量室を空にし、そして前記充填工程の期間に前記計量室に集められたコーヒー豆を粉砕するために前記粉砕デバイスが作動される、項１９１、１９２、又は１９３に記載の方法。
（項１９５）
前記充填工程の期間に、前記粉砕デバイスは、前記計量室を空にし、又は、少なくとも実質的に完全に空にし、かつ、前記充填工程の期間に前記計量室に集められたすべての前記コーヒー豆を粉砕するのに必要とされる時間よりも長い時間作動される工程を含む、項１９４に記載の方法。
（項１９６）
項１３４ないし１７５のいずれか１項に記載の第二のコーヒー豆包装カートリッジから外部器具にコーヒー豆を供給する方法が、
前記第二のコーヒー豆包装カートリッジの内部容積を囲むハウジング内に前記コーヒー豆を保持し、
１注入分のコーヒー豆を提供するために前記第二注入デバイスを手動で作動し、
前記内部容積から前記ハウジングの前記出口を通して前記コーヒー豆を放出し、
前記移送手段によって前記出口へ向けて前記コーヒー豆を移送し、ここで、前記コーヒー豆の移送は、前記移送手段の前記可動構造によって前記コーヒー豆に接触することを含み、
前記移送手段の手動動作の作動手段によって前記可動構造を作動する、
工程を含む、方法。
【符号の説明】
【０２２０】
１  コーヒー飲料装置
３  第一のコーヒー豆包装カートリッジ
４  コーヒー調製器具
６  移送手段
７  容器
８  じょうご
９  コーヒー調製器具の有する流入孔
１１  羽根車
１３  羽根
１５  計量室
１７  第一のモーター
２１  計量室の入力開口
２８  グラインダー
２９  第一のカートリッジの流出孔
５０  コーヒー調製器具の上側にある凹部
１０１  第二のモーター（グラインダー駆動モーター）
１０２  上部粉砕円盤
１０９  下部粉砕円盤
１１００、１２００  挿入部品
３０２３  第二注入デバイス
２１１０２  第二のコーヒー豆包装カートリッジ
【図１】
0005903052.tif 000002
【図２】
0005903052.tif 000003
【図３Ａ】
0005903052.tif 000004
【図３Ｂ】
0005903052.tif 000005
【図３Ｃ】
0005903052.tif 000006
【図４Ａ】
0005903052.tif 000007
【図４Ｂ】
0005903052.tif 000008
【図４Ｃ】
0005903052.tif 000009
【図５Ａ】
0005903052.tif 000010
【図５Ｂ】
0005903052.tif 000011
【図６Ａ】
0005903052.tif 000012
【図６Ｂ】
0005903052.tif 000013
【図６Ｃ】
0005903052.tif 000014
【図６Ｄ】
0005903052.tif 000015
【図７Ａ】
0005903052.tif 000016
【図７Ｂ】
0005903052.tif 000017
【図７Ｃ】
0005903052.tif 000018
【図８】
0005903052.tif 000019
【図９】
0005903052.tif 000020
【図１０】
0005903052.tif 000021
【図１１Ａ】
0005903052.tif 000022
【図１１Ｂ】
0005903052.tif 000023
【図１２Ａ】
0005903052.tif 000024
【図１２Ｂ】
0005903052.tif 000025
【図１２Ｃ】
0005903052.tif 000026
【図１３Ａ】
0005903052.tif 000027
【図１３Ｂ】
0005903052.tif 000028
【図１３Ｃ】
0005903052.tif 000029
【図１３Ｄ】
0005903052.tif 000030
【図１４Ａ】
0005903052.tif 000031
【図１４Ｂ】
0005903052.tif 000032
【図１４Ｃ】
0005903052.tif 000033
【図１４Ｄ】
0005903052.tif 000034
【図１５Ａ】
0005903052.tif 000035
【図１５Ｂ】
0005903052.tif 000036
【図１５Ｃ】
0005903052.tif 000037
【図１５Ｄ】
0005903052.tif 000038
【図１６Ａ】
0005903052.tif 000039
【図１６Ｂ】
0005903052.tif 000040
【図１６Ｃ】
0005903052.tif 000041
【図１６Ｄ】
0005903052.tif 000042
【図１６Ｅ】
0005903052.tif 000043
【図１６Ｆ】
0005903052.tif 000044
【図１７】
0005903052.tif 000045
【図１８】
0005903052.tif 000046
【図１９】
0005903052.tif 000047
【図２０】
0005903052.tif 000048
【図２１】
0005903052.tif 000049
【図２２】
0005903052.tif 000050
【図２３】
0005903052.tif 000051
【図２４】
0005903052.tif 000052
【図２５】
0005903052.tif 000053
【図２６】
0005903052.tif 000054
【図２７】
0005903052.tif 000055
【図２８Ａ】
0005903052.tif 000056
【図２８Ｂ】
0005903052.tif 000057
【図２９Ａ】
0005903052.tif 000058
【図２９Ｂ】
0005903052.tif 000059
【図２９Ｃ】
0005903052.tif 000060
【図２９Ｄ】
0005903052.tif 000061
【図３０Ａ】
0005903052.tif 000062
【図３０Ｂ】
0005903052.tif 000063
【図３１】
0005903052.tif 000064
【図３２】
0005903052.tif 000065
【図３３Ａ】
0005903052.tif 000066
【図３３Ｂ】
0005903052.tif 000067
【図３３Ｃ】
0005903052.tif 000068
【図３４】
0005903052.tif 000069
【図３５】
0005903052.tif 000070
【図３６Ａ】
0005903052.tif 000071
【図３６Ｂ】
0005903052.tif 000072
【図３７Ａ】
0005903052.tif 000073
【図３７Ｂ】
0005903052.tif 000074
【図３７Ｃ】
0005903052.tif 000075
【図３７Ｄ】
0005903052.tif 000076
【図３８Ａ】
0005903052.tif 000077
【図３８Ｂ】
0005903052.tif 000078
【図３８Ｃ】
0005903052.tif 000079
【図３９Ａ】
0005903052.tif 000080
【図３９Ｂ】
0005903052.tif 000081
【図３９Ｃ】
0005903052.tif 000082
【図４０Ａ】
0005903052.tif 000083
【図４０Ｂ】
0005903052.tif 000084
【図４０Ｃ】
0005903052.tif 000085
【図４０Ｄ】
0005903052.tif 000086
【図４０Ｅ】
0005903052.tif 000087
【図４０Ｆ】
0005903052.tif 000088
【図４１Ａ】
0005903052.tif 000089
【図４１Ｂ】
0005903052.tif 000090
【図４２】
0005903052.tif 000091
【図４３】
0005903052.tif 000092
【図４４Ａ】
0005903052.tif 000093
【図４４Ｂ】
0005903052.tif 000094
【図４５Ａ】
0005903052.tif 000095
【図４５Ｂ】
0005903052.tif 000096
【図４６Ａ】
0005903052.tif 000097
【図４６Ｂ】
0005903052.tif 000098
【図４６Ｃ】
0005903052.tif 000099
【図４６Ｄ】
0005903052.tif 000100
【図４６Ｅ】
0005903052.tif 000101
【図４６Ｆ】
0005903052.tif 000102
【図４６Ｇ】
0005903052.tif 000103
【図４６Ｈ】
0005903052.tif 000104
【図４６Ｉ】
0005903052.tif 000105
【図４６Ｊ】
0005903052.tif 000106
【図４６Ｋ】
0005903052.tif 000107
【図４６Ｌ】
0005903052.tif 000108
【図４６Ｍ】
0005903052.tif 000109
【図４６Ｎ】
0005903052.tif 000110
【図４６Ｏ】
0005903052.tif 000111
【図４６Ｐ】
0005903052.tif 000112
【図４６Ｑ】
0005903052.tif 000113
【図４６Ｒ】
0005903052.tif 000114
【図４６Ｓ】
0005903052.tif 000115
【図４６Ｔ】
0005903052.tif 000116
【図４６Ｕ】
0005903052.tif 000117
【図４６Ｖ】
0005903052.tif 000118